(57)【要約】  無線通信システムの基地局が開示される。無線通信システムの基地局はそれぞれ通信モジュールと、プロセッサと、を含む。前記端末が前記無線通信システムの基地局のセルにアクセスする際、前記プロセッサは前記通信モジュールを介してＲＲＣ（ｒａｄｉｏ  ｒｅｓｏｕｒｃｅ  ｃｏｎｔｒｏｌ）信号を受信し、前記ＲＲＣ信号が指示する少なくとも一つのリソース−セット（ｓｅｔ）に当たる時間−周波数資源を判断する。前記プロセッサは、前記セルアクセスの後、前記通信モジュールを介して前記基地局から物理制御チャネルを受信し、前記物理制御チャネルによって前記端末の物理データチャネルの受信がスケジューリングされる時間−周波数資源領域を判断し、前記端末の物理データチャネルの受信がスケジューリングされる時間−周波数資源と前記少なくとも一つのリソース−セットがオーバーラップされる時間−周波数資源に基づいて物理データチャネルを受信する。前記リソース−セットは時間−周波数資源のセットである。
2020533861.tif 000002
【特許請求の範囲】
【請求項１】
無線通信システムの端末において、
通信モジュールと、
前記通信モジュールを制御するプロセッサと、を含み、
前記プロセッサは、
前記無線通信システムの基地局から前記通信モジュールを介してＲＲＣ（ｒａｄｉｏ  ｒｅｓｏｕｒｃｅ  ｃｏｎｔｒｏｌ）信号を受信し、前記ＲＲＣ信号が指示する少なくとも一つのリソース−セット（ｓｅｔ）に当たる時間−周波数資源を判断し、
前記通信モジュールを介して前記基地局から物理制御チャネルを受信し、前記物理制御チャネルによって前記端末の物理データチャネルの受信がスケジューリングされる時間−周波数資源領域を判断し、
前記端末の物理データチャネルの受信がスケジューリングされる時間−周波数資源と前記少なくとも一つのリソース−セットがオーバーラップされる時間−周波数資源に基づいて物理データチャネルを受信し、
前記リソース−セットは時間−周波数資源のセットである
端末。
【請求項２】
前記オーバーラップされる時間−周波数資源は複数のサブ−リソース−セットに区分され、
前記プロセッサは、
前記物理制御チャネルから前記複数のサブ−リソース−セット別に前記物理データチャネル受信不可能可否を示すレートマッチング指示子を獲得し、
前記レートマッチング指示子によって前記サブ−リソース−セット別にサブ−リソース−セットに当たる時間−周波数資源で前記物理データチャネル受信不可能可否を判断し、前記物理データチャネルを受信する
請求項１に記載の端末。
【請求項３】
前記サブ−リソース−セットは前記オーバーラップされる時間−周波数資源のうち、時間領域で区分なしに、周波数領域を基準に分けられる
請求項２に記載の端末。
【請求項４】
前記少なくとも一つのリソース−セットそれぞれは互いに異なるインデックスによって識別され、
前記レートマッチング指示子は複数のビットからなり、
前記複数のビットそれぞれが指示するサブ−リソース−セットは前記インデックスに基づいて決定される
請求項２に記載の端末。
【請求項５】
前記プロセッサは、
前記端末の前記物理データチャネルの受信がスケジューリングされる時間−周波数資源と前記少なくとも一つのリソース−セットがいずれもオーバーラップされなければ、前記レートマッチング指示子とは関係なく、前記端末の前記物理データチャネルの受信がスケジューリングされる時間−周波数資源領域で前記物理データチャネルを受信する
請求項２に記載の端末。
【請求項６】
前記物理制御チャネルは第１スロットで受信され、
前記プロセッサは、
前記物理データチャネルが受信される第２スロットで物理データチャネルがスケジューリングされる時間−周波数資源と前記少なくとも一つのリソース−セットがオーバーラップされれば、前記第２スロットで物理データチャネルがスケジューリングされる時間−周波数資源から、前記物理データチャネルがスケジューリングされる時間−周波数資源と前記少なくとも一つのリソース−セットがオーバーラップされる時間−周波数資源を除いた時間−周波数資源で前記物理データチャネルを受信するためのレートマッチングを行い、
前記第１スロットと前記第２スロットは互いに異なるスロットである
請求項１に記載の端末。
【請求項７】
無線通信システムの端末において、
通信モジュールと、
前記通信モジュールを制御するプロセッサと、を含み、
前記プロセッサは、
物理制御チャネルを受信し、
前記物理制御チャネルによって前記端末の物理データチャネルの受信が複数のスロットにスケジューリングされれば、前記物理データチャネルが伝送される全てのスロットで同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの位置に基づいて前記物理データチャネルを受信する
端末。
【請求項８】
前記物理制御チャネルは第１スロットで伝送され、
前記プロセッサは、
前記無線通信システムの基地局から前記通信モジュールを介してＲＲＣ信号を受信し、前記ＲＲＣ信号が指示する少なくとも一つのリソース−セットに当たる時間−周波数資源を判断し、
前記複数のスロットに含まれた第２スロットで前記物理データチャネルがスケジューリングされる時間−周波数資源と前記少なくとも一つのリソース−セットがオーバーラップされれば、前記第２スロットで物理データチャネルがスケジューリングされる時間−周波数資源から、前記第２スロットで前記物理データチャネルがスケジューリングされる時間−周波数資源と前記少なくとも一つのリソース−セットがオーバーラップされる時間−周波数資源が除かれた時間−周波数資源で前記物理データチャネルを受信するためのレートマッチングを行い、
前記第１スロットと前記第２スロットは互いに異なるスロットである
請求項７に記載の端末。
【請求項９】
前記複数のスロットそれぞれにおいて、物理データチャネル受信が不可能なリソースセットに当たる時間−周波数資源の位置は同じであり、
前記スロットそれぞれにスケジューリングされる前記物理データチャネルに当たる時間−周波数資源から前記位置に当たる時間−周波数資源が除かれた時間−周波数資源で物理データチャネルを受信するためのレートマッチングを行う
請求項７に記載の端末。
【請求項１０】
前記ＯＦＤＭシンボル位置は、前記物理制御チャネルによって指示される
請求項７に記載の端末。
【請求項１１】
無線通信システムの端末の動作方法において、
前記無線通信システムの基地局から通信モジュールを介してＲＲＣ信号を受信するステップと、
前記ＲＲＣ信号が指示する少なくとも一つのリソース−セットに当たる時間−周波数資源を判断するステップと、
前記通信モジュールを介して前記基地局から物理制御チャネルを受信するステップと、
前記物理制御チャネルによって前記端末の物理データチャネルの受信がスケジューリングされる時間−周波数資源領域を判断するステップと、
前記端末の物理データチャネルの受信がスケジューリングされる時間−周波数資源と前記少なくとも一つのリソース−セットがオーバーラップされる時間−周波数資源に基づいて物理データチャネルを受信するステップと、を含み、
前記リソース−セットは時間−周波数資源のセットである
動作方法。
【請求項１２】
前記オーバーラップされる時間−周波数資源は複数のサブ−リソース−セットに区分され、
前記物理制御チャネルによって前記端末の物理データチャネルの受信がスケジューリングされる時間−周波数資源領域を判断するステップは、
前記物理制御チャネルから前記複数のサブ−リソース−セット別に前記物理データチャネル受信不可能可否を示すレートマッチング指示子を獲得するステップを含み、
前記物理データチャネルを受信するステップは、
前記レートマッチング指示子によって前記サブ−リソース−セット別にサブ−リソース−セットに当たる時間−周波数資源で前記物理データチャネル受信不可能可否を判断し、前記物理データチャネルを受信するステップを含む
請求項１１に記載の動作方法。
【請求項１３】
前記サブ−リソース−セットは前記オーバーラップされる時間−周波数資源のうち、時間領域で区分なしに、周波数領域を基準に分けられる
請求項１２に記載の動作方法。
【請求項１４】
前記少なくとも一つのリソース−セットそれぞれは互いに異なるインデックスによって識別され、
前記レートマッチング指示子は複数のビットからなり、
前記複数のビットそれぞれが指示するサブ−リソース−セットは前記インデックスに基づいて決定される
請求項１２に記載の動作方法。
【請求項１５】
前記物理データチャネルを受信するステップは、
前記端末の前記物理データチャネルの受信がスケジューリングされる時間−周波数資源と前記少なくとも一つのリソース−セットがいずれもオーバーラップされなければ、前記レートマッチング指示子とは関係なく、前記端末の前記物理データチャネルの受信がスケジューリングされる時間−周波数資源領域で前記物理データチャネルを受信するステップを含む
請求項１２に記載の動作方法。
【請求項１６】
前記物理制御チャネルは第１スロットで伝送され、
前記物理データチャネルを受信するステップは、
前記物理データチャネルが伝送される第２スロットで物理データチャネルがスケジューリングされる時間−周波数資源と前記少なくとも一つのリソース−セットがオーバーラップされれば、前記第２スロットで物理データチャネルがスケジューリングされる時間−周波数資源から、前記物理データチャネルがスケジューリングされる時間−周波数資源と前記少なくとも一つのリソース−セットがオーバーラップされる時間−周波数資源を除いた時間−周波数資源で前記物理データチャネルを受信するためのレートマッチングを行うステップを含み、
前記第１スロットと前記第２スロットは互いに異なるスロットである
請求項１１に記載の動作方法。
【請求項１７】
無線通信システムの端末の動作方法において、
物理制御チャネルを受信するステップと、
前記物理制御チャネルによって前記端末の物理データチャネルの受信が複数のスロットにスケジューリングされれば、前記物理データチャネルが伝送される全てのスロットで同じＯＦＤＭシンボルの位置に基づいて前記物理データチャネルを受信するステップと、を含む
動作方法。
【請求項１８】
前記物理制御チャネルは第１スロットで伝送され、
前記動作方法は、
前記無線通信システムの基地局から通信モジュールを介してＲＲＣ信号を受信し、前記ＲＲＣ信号が指示する少なくとも一つのリソース−セットに当たる時間−周波数資源を判断するステップを更に含み、
前記物理データチャネルを受信するステップは、
前記複数のスロットに含まれた第２スロットで前記物理データチャネルがスケジューリングされる時間−周波数資源と前記少なくとも一つのリソース−セットがオーバーラップされれば、前記第２スロットで物理データチャネルがスケジューリングされる時間−周波数資源から、前記第２スロットで前記物理データチャネルがスケジューリングされる時間−周波数資源と前記少なくとも一つのリソース−セットがオーバーラップされる時間−周波数資源が除かれた時間−周波数資源で前記物理データチャネルを受信するためのレートマッチングを行うステップを含み、
前記第１スロットと前記第２スロットは互いに異なるスロットである
請求項１７に記載の動作方法。
【請求項１９】
前記複数のスロットそれぞれにおいて、物理データチャネル受信が不可能なリソースセットに当たる時間−周波数資源の位置は同じであり、
前記物理データチャネルを受信するステップは、
前記スロットそれぞれにスケジューリングされる前記物理データチャネルに当たる時間−周波数資源から前記位置に当たる時間−周波数資源が除かれた時間−周波数資源で物理データチャネルを受信するためのレートマッチングを行う
請求項１７に記載の動作方法。
【請求項２０】
前記ＯＦＤＭシンボル位置は、前記物理制御チャネルによって指示される
請求項１７に記載の動作方法。
【発明の詳細な説明】
【技術分野】
【０００１】
本発明は無線通信システムに関する。詳しくは、本発明は無線通信システムのデータ伝送方法、受信方法、及びそれを利用する装置に関する。
【背景技術】
【０００２】
４Ｇ（４ｔｈ  ｇｅｎｅｒａｔｉｏｎ）通信システムの商用化後、増加する無線データトラフィック需要を充足するために、新たな５Ｇ（５ｔｈ  ｇｅｎｅｒａｔｉｏｎ）通信システムを開発するための努力が行われている。５Ｇ通信システムは、４Ｇネットワーク以降（ｂｅｙｏｎｄ  ４Ｇ  ｎｅｔｗｏｒｋ）の通信システム、ＬＴＥシステム以降（ｐｏｓｔ  ＬＴＥ）のシステム、またはＮＲ（ｎｅｗ  ｒａｄｉｏ）システムと称されている。高いデータ伝送率を達成するために、５Ｇ通信システムは、６ＧＨｚ以上の超高周波（ｍｍＷａｖｅ）帯域を使用して運用されるシステムを含み、また、カバレッジを確保し得る側面から６ＧＨｚ以下の周波数帯域を使用して運用される通信システムを含んで、基地局と端末における具現が考慮されている。
【０００３】
３ＧＰＰ（３ｒｄ  ｇｅｎｅｒａｔｉｏｎ  ｐａｒｔｎｅｒｓｈｉｐ  ｐｒｏｊｅｃｔ）  ＮＲシステムは、ネットワークスペクトルの効率を向上させて、通信事業者が与えられた帯域幅でより多くのデータ及び音声サービスを提供し得るようにする。よって、３ＧＰＰ  ＮＲシステムは、大容量音声支援以外にも、高速データ及びメディア伝送に対する要求を充足するように設計される。ＮＲシステムの長所は、同じプラットフォームで高い処理量、低い待機時間、ＦＤＤ（ｆｒｅｑｕｅｎｃｙ  ｄｉｖｉｓｉｏｎ  ｄｕｐｌｅｘ）、及びＴＤＤ（ｔｉｍｅ  ｄｉｖｉｓｉｏｎ  ｄｕｐｌｅｘ）支援、向上された最終ユーザ環境、及び簡単なアーキテクチャで低い運営コストを有するという点である。
【０００４】
より効率的なデータ処理のために、ＮＲシステムのダイナミックＴＤＤは、セルのユーザのデータトラフィック方向に応じて上りリンク及び下りリンクに使用し得るＯＦＤＭ（ｏｒｔｈｏｇｏａｌ  ｆｒｅｑｕｅｎｃｙ  ｄｉｖｉｓｉｏｎ  ｍｕｌｔｉｐｌｅｘｉｎｇ）シンボルの数を可変する方式を使用する。例えば、セルの下りリンクトラフィックが上りリンクトラフィックより多ければ、基地局はスロット（またはサブフレーム）に多数の下りリンクＯＦＤＭシンボルを割り当てる。スロット構成に関する情報は端末に伝送されるべきである。
【０００５】
超高周波帯域における電波の経路損失の緩和、及び電波の伝達距離の増加のために、５Ｇ通信システムではビームフォーミング（ｂｅａｍｆｏｒｍｉｎｇ）、巨大配列体重入出力（ｍａｓｓｉｖｅ  ＭＩＭＯ）、全次元多重入出力（ｆｕｌｌ  ｄｉｍｅｎｓｉｏｎ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、アナログビームフォーミングとデジタルビームフォーミングを組み合わせるハイブリッドビームフォーミング、及び大規模アンテナ（ｌａｒｇｅ  ｓｃａｌｅ  ａｎｔｅｎｎａ）技術が論議されている。また、システムネットワークを改善するために、５Ｇ通信システムでは進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間通信（ｄｅｖｉｃｅ  ｔｏ  ｄｅｖｉｃｅ  ｃｏｍｍｕｎｉｃａｔｉｏｎ：Ｄ２Ｄ）、車両を利用する通信（ｖｅｈｉｃｌｅ  ｔｏ  ｅｖｅｒｙｔｈｉｎｇ  ｃｏｍｍｕｎｉｃａｔｉｏｎ：Ｖ２Ｘ）、無線バックホール（ｗｉｒｅｌｅｓｓ  ｂａｃｋｈａｕｌ）、非地上波ネットワーク通信（ｎｏｎ−ｔｅｒｒｅｓｔｒｉａｌ  ｎｅｔｗｏｒｋ  ｃｏｍｍｕｎｉｃａｔｉｏｎ、ＮＴＮ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）などに関する技術開発が行われている。その他、５Ｇシステムでは進歩したコーディング変調（ａｄｖａｎｃｅｄ  ｃｏｄｉｎｇ  ｍｏｄｕｌａｔｉｏｎ：ＡＣＭ）方式のＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは人間が情報を生成し消費する人間中心の連結網において、物など分散された構成要素間に情報を交換し処理するＩｏＴ（Ｉｎｔｅｒｎｅｔ  ｏｆ  Ｔｈｉｎｇｓ、モノのインターネット）網に進化している。クラウドサーバなどとの連結を介したビックデータ（ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。ＩｏＴを具現するために、センシング技術、有無線通信及びネットワークインフラ、サービスインタフェース技術、及び保安技術などのような技術要素が要求されており、最近は物間の連結のためのセンサネットワーク、マシンツーマシン（ｍａｃｈｉｎｅ  ｔｏ  ｍａｃｈｉｎｅ、Ｍ２Ｍ）、ＭＴＣ（ｍａｃｈｉｎｅ  ｔｙｐｅ  ｃｏｍｍｕｎｉｃａｔｉｏｎ）などの技術が研究されている。ＩｏＴ環境では、連結された物から生成されたデータを収集、分析して、人間の生活に新たな価値を生み出す知能型ＩＴ（ｉｎｔｅｒｎｅｔ  ｔｅｃｈｎｏｌｏｇｙ）サービスが提供される。ＩｏＴは、従来のＩＴ技術と多様な産業間の融合及び複合を介し、スマートホーム、スマートビル、スマートシティ、スマートカーまたはコネクテッドカー、スマートグリッド、ヘルスケア、スマート家電、先端医療サービスなどの分野に応用される。
【０００７】
そこで、５Ｇ通信システムをＩｏＴ網に適用するための様々な試みが行われている。例えば、センサネットワーク、マシンツーマシン、ＭＴＣなどの技術が、５Ｇ通信技術であるビームフォーミング、ＭＩＭＯ、及びアレイアンテナなどの技法によって具現されている。上述したビックデータ処理技術として、クラウド無線アクセスネットワーク（ｃｌｏｕｄ  ＲＡＮ）の適用も５Ｇ技術とＩｏＴ技術の融合の一例といえる。一般に、移動通信システムは、ユーザの活動性を保障しながら音声サービスを提供するために開発された。
【０００８】
しかし、移動通信システムは次第に音声だけでなくデータサービスまでサービス領域を拡張しており、現在は高速のデータサービスを提供する程度にまで発展している。しかし、現在サービス提供中の移動通信システムでは、資源不足現象及びユーザの高速サービスの要求のため、より発展した移動通信システムが要求されている。
【発明の概要】
【発明が解決しようとする課題】
【０００９】
本発明の一実施例の目的は、無線通信システムにおいて効率的に信号を伝送する方法、及びそのための装置を提供することである。また、本発明の一実施例の目的は、無線通信システムのデータ伝送方法、受信方法、及びそれを利用する装置を提供することである。
【課題を解決するための手段】
【００１０】
本発明の一実施例による無線通信システムの端末は、通信モジュールと、前記通信モジュールを制御するプロセッサと、を含む。前記プロセッサは、前記無線通信システムの基地局から前記通信モジュールを介してＲＲＣ（ｒａｄｉｏ  ｒｅｓｏｕｒｃｅ  ｃｏｎｔｒｏｌ）信号を受信し、前記ＲＲＣ信号が指示する少なくとも一つのリソース−セット（ｓｅｔ）に当たる時間−周波数資源を判断し、前記通信モジュールを介して前記基地局から物理制御チャネルを受信し、前記物理制御チャネルによって前記端末の物理データチャネルの受信がスケジューリングされる時間−周波数資源領域を判断し、前記端末の物理データチャネルの受信がスケジューリングされる時間−周波数資源と前記少なくとも一つのリソース−セットがオーバーラップされる時間−周波数資源に基づいて物理データチャネルを受信する。この際、前記リソース−セットは時間−周波数資源のセットである。
【００１１】
前記オーバーラップされる時間−周波数資源は複数のサブ−リソース−セットに区分される。前記プロセッサは、前記物理制御チャネルから前記複数のサブ−リソース−セット別に前記物理データチャネル受信不可能可否を示すレートマッチング指示子を獲得し、前記レートマッチング指示子によって前記サブ−リソース−セット別にサブ−リソース−セットに当たる時間−周波数資源で前記物理データチャネル受信不可能可否を判断し、前記物理データチャネルを受信する。
【００１２】
前記サブ−リソース−セットは、前記オーバーラップされる時間−周波数資源のうち、時間領域で区分なしに、周波数領域を基準に分けられる。
【００１３】
前記少なくとも一つのリソース−セットそれぞれは互いに異なるインデックスによって識別される。前記レートマッチング指示子は複数のビットからなり、前記複数のビットそれぞれが指示するサブ−リソース−セットは前記インデックスに基づいて決定される。
【００１４】
前記端末の前記物理データチャネル受信がスケジューリングされる時間−周波数資源と前記少なくとも一つのリソース−セットがいずれもオーバーラップされなければ、前記プロセッサは前記レートマッチング指示子とは関係なく、前記端末の前記物理データチャネルの受信がスケジューリングされる時間−周波数資源領域で前記物理データチャネルを受信する。
【００１５】
前記物理制御チャネルは第１スロットで受信される。前記物理データチャネルが受信される第２スロットで物理データチャネルがスケジューリングされる時間−周波数資源と前記少なくとも一つのリソース−セットがオーバーラップされれば、前記プロセッサは前記第２スロットで物理データチャネルがスケジューリングされる時間−周波数資源から、前記物理データチャネルがスケジューリングされる時間−周波数資源と前記少なくとも一つのリソース−セットがオーバーラップされる時間−周波数資源を除いた時間−周波数資源で前記物理データチャネルを受信するためのレートマッチングを行う。この際、前記第１スロットと前記第２スロットは互いに異なるスロットである。
【００１６】
本発明の一実施例による無線通信システムの端末は、通信モジュールと、前記通信モジュールを制御するプロセッサと、を含む。前記プロセッサは物理制御チャネルを受信し、前記物理制御チャネルによって前記端末の物理データチャネルの受信が複数のスロットにスケジューリングされれば、前記物理データチャネルが伝送される全てのスロットで同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの位置に基づいて前記物理データチャネルを受信する。
【００１７】
前記物理制御チャネルは第１スロットで伝送される。前記プロセッサは前記無線通信システムの基地局から前記通信モジュールを介してＲＲＣ信号を受信し、前記ＲＲＣ信号が指示する少なくとも一つのリソース−セットに当たる時間−周波数資源を判断し、前記複数のスロットに含まれた第２スロットで前記物理データチャネルがスケジューリングされる時間−周波数資源と前記少なくとも一つのリソース−セットがオーバーラップされれば、前記第２スロットで前記物理データチャネルがスケジューリングされる時間−周波数資源から、前記第２スロットで前記物理データチャネルがスケジューリングされる時間−周波数資源と前記少なくとも一つのリソース−セットがオーバーラップされる時間−周波数資源が除かれた時間−周波数資源で前記物理データチャネルを受信するためのレートマッチングを行う。前記第１スロットと前記第２スロットは互いに異なるスロットである。
【００１８】
前記複数のスロットそれぞれにおいて、物理データチャネル受信が不可能なリソースセットに当たる時間−周波数資源の位置は同じである。前記プロセッサは、前記複数のスロットそれぞれにスケジューリングされる前記物理データチャネルに当たる時間−周波数資源から前記位置に当たる時間−周波数資源が除かれた時間−周波数資源で物理データチャネルを受信するためのレートマッチングを行う。
【００１９】
前記ＯＦＤＭシンボル位置は、前記物理制御チャネルによって指示される。
【００２０】
本発明の一実施例による無線通信システムの端末の動作方法は、前記無線通信システムの基地局から前記通信モジュールを介してＲＲＣ信号を受信するステップと、前記ＲＲＣ信号が指示する少なくとも一つのリソース−セットに当たる時間−周波数資源を判断するステップと、前記通信モジュールを介して前記基地局から物理制御チャネルを受信するステップと、前記物理制御チャネルによって前記端末の物理データチャネルの受信がスケジューリングされる時間−周波数資源領域を判断するステップと、前記端末の物理データチャネルの受信がスケジューリングされる時間−周波数資源と前記少なくとも一つのリソース−セットがオーバーラップされる時間−周波数資源に基づいて物理データチャネルを受信するステップと、を含む。前記リソース−セットは時間−周波数資源のセットである。
【００２１】
前記オーバーラップされる時間−周波数資源は複数のサブ−リソース−セットに区分される。前記物理制御チャネルによって前記端末の物理データチャネルの受信がスケジューリングされる時間−周波数資源領域を判断するステップは、前記物理制御チャネルから前記複数のサブ−リソース−セット別に前記物理データチャネル受信不可能可否を示すレートマッチング指示子を獲得するステップを含む。前記物理データチャネルを受信するステップは、前記レートマッチング指示子によって前記サブ−リソース−セット別にサブ−リソース−セットに当たる時間−周波数資源で前記物理データチャネル受信不可能可否を判断し、前記物理データチャネルを受信するステップを含む。
【００２２】
前記サブ−リソース−セットは、前記オーバーラップされる時間−周波数資源のうち、時間領域で区分なしに、周波数領域を基準に分けられる。
【００２３】
前記少なくとも一つのリソース−セットそれぞれは互いに異なるインデックスによって識別される。前記レートマッチング指示子は複数のビットからなり、前記複数のビットそれぞれが指示するサブ−リソース−セットは前記インデックスに基づいて決定される。
【００２４】
前記物理データチャネルを受信するステップは、前記端末の前記物理データチャネル受信がスケジューリングされる時間−周波数資源と前記少なくとも一つのリソース−セットがいずれもオーバーラップされなければ、前記レートマッチング指示子とは関係なく、前記端末の前記物理データチャネルの受信がスケジューリングされる時間−周波数資源領域で前記物理データチャネルを受信するステップを含む。
【００２５】
前記物理制御チャネルは第１スロットで伝送される。前記物理データチャネルを受信するステップは、前記物理データチャネルが伝送れる第２スロットで物理データチャネルがスケジューリングされる時間−周波数資源と前記少なくとも一つのリソース−セットがオーバーラップされれば、前記第２スロットで物理データチャネルがスケジューリングされる時間−周波数資源から、前記物理データチャネルがスケジューリングされる時間−周波数資源と前記少なくとも一つのリソース−セットがオーバーラップされる時間−周波数資源を除いた時間−周波数資源で前記物理データチャネルを受信するためのレートマッチングを行うステップを含む。前記第１スロットと前記第２スロットは互いに異なるスロットである。
【００２６】
本発明の一実施例による無線通信システムの端末の動作方法は、物理制御チャネルを受信するステップと、前記物理制御チャネルによって前記端末の物理データチャネルの受信が複数のスロットにスケジューリングされれば、前記物理データチャネルが伝送される全てのスロットで同じＯＦＤＭシンボルの位置に基づいて前記物理データチャネルを受信するステップと、を含む。
【００２７】
前記物理制御チャネルは第１スロットで伝送される。前記動作方法は、前記無線通信システムの基地局から前記通信モジュールを介してＲＲＣ信号を受信し、前記ＲＲＣ信号が指示する少なくとも一つのリソース−セットに当たる時間−周波数資源を判断するステップを更に含む。
【００２８】
前記物理データチャネルを受信するステップは、前記複数のスロットに含まれた第２スロットで前記物理データチャネルがスケジューリングされる時間−周波数資源と前記少なくとも一つのリソース−セットがオーバーラップされれば、前記第２スロットで物理データチャネルがスケジューリングされる時間−周波数資源から、前記第２スロットで前記物理データチャネルがスケジューリングされる時間−周波数資源と前記少なくとも一つのリソース−セットがオーバーラップされる時間−周波数資源が除かれた時間−周波数資源で前記物理データチャネルを受信するためのレートマッチングを行うステップを含む。前記第１スロットと前記第２スロットは互いに異なるスロットである。
【００２９】
前記複数のスロットそれぞれにおいて、物理データチャネル受信が不可能なリソースセットに当たる時間−周波数資源の位置は同じである。前記物理データチャネルを受信するステップは、前記スロットそれぞれにスケジューリングされる前記物理データチャネルに当たる時間−周波数資源から前記位置に当たる時間−周波数資源が除かれた時間−周波数資源で物理データチャネルを受信するためのレートマッチングを行う。
【００３０】
前記ＯＦＤＭシンボル位置は、前記物理制御チャネルによって指示される。
【発明の効果】
【００３１】
本発明の一実施例は、無線通信システムにおいて効率的に信号を伝送する方法、受信する方法、及びそれを利用する装置を提供する。
【００３２】
本発明から得られる効果は以上で言及した効果に限らず、言及していない他の効果は、以下の記載から本発明が属する技術分野で通常の知識を有する者に明確に理解されるはずである。
【図面の簡単な説明】
【００３３】
【図１】無線通信システムで使用される無線フレーム構造の一例を示す図である。
【図２】無線通信システムにおける下りリンク（ｄｏｗｎｌｉｎｋ、ＤＬ）／上りリンク（ｕｐｌｉｎｋ、ＵＬ）スロット構造の一例を示す図である。
【図３】３ＧＰＰシステムに利用される物理チャネルと該当物理チャンネルを利用した一般的な信号伝送方法を説明する図である。
【図４】３ＧＰＰ  ＮＲシステムにおける初期セルアクセスのためのＳＳ／ＰＢＣＨブロックを示す図である。
【図５】３ＧＰＰ  ＮＲシステムにおける制御情報及び制御チャネル伝送のための手順を示す図である。
【図６】３ＧＰＰ  ＮＲシステムにおけるＰＤＣＣＨ（ｐｈｙｓｉｃａｌ  ｄｏｗｎｌｉｎｋ  ｃｏｎｔｒｏｌ  ｃｈａｎｎｅｌ）が伝送されるＣＯＲＥＳＥＴ（ｃｏｎｔｒｏｌ  ｒｅｓｏｕｒｃｅ  ｓｅｔ）を示す図である。
【図７】３ＧＰＰ  ＮＲシステムにおけるＰＤＣＣＨ探索空間を設定する方法を示す図である。
【図８】キャリア集成（ｃａｒｒｉｅｒ  ａｇｇｒｅｇａｔｉｏｎ）を説明する概念図である。
【図９】単一キャリア通信と多重キャリア通信を説明するための図である。
【図１０】クロスキャリアスケジューリング技法が適用される例を示す図である。
【図１１】本発明の一実施例による端末と基地局の構成をそれぞれ示すブロック図である。
【図１２】本発明の実施例による無線通信システムで使用されるリソース−セットを示す図である。
【図１３】本発明の実施例による無線通信システムにおいてＰＤＳＣＨが伝送される時間−周波数資源領域を示す図である。
【図１４】本発明の実施例による無線通信システムにおいてＰＤＳＣＨが伝送される時間−周波数資源領域を示す図である。
【図１５】本発明の実施例による無線通信システムの端末が端末に設定されたＲＥＳＥＴでＰＤＳＣＨを受信することを示す図である。
【図１６】本発明の実施例による無線通信システムの端末が端末に設定されたＲＥＳＥＴでＰＤＳＣＨを受信することを示す図である。
【図１７】本発明の実施例による無線通信システムにおいてクロス−スロットスケジューリングが行われる際、端末がＰＤＳＣＨを受信することを示す図である。
【図１８】本発明の実施例による無線通信システムにおいてスロット−結合基盤スケジューリングが行われる際、端末がＰＤＳＣＨを受信することを示す図である。
【図１９】本発明の実施例による無線通信システムにおいてスロット−結合基盤スケジューリングが行われる際、端末がＰＤＳＣＨを受信することを示す図である。
【図２０】本発明の実施例による無線通信システムで使用されるサブ−リソース−セットの例を示す図である。
【図２１】本発明の実施例による無線通信システムにおいて端末がオーバーラップ−リソース−セットに基づいてＰＤＳＣＨを受信することを示す図である。
【図２２】互いに異なるＲＥＳＥＴが占めると指示された時間−周波数資源がオーバーラップされる場合を示す図である。
【図２３】互いに異なるＲＥＳＥＴが占めると指示された時間−周波数資源がオーバーラップされる場合を示す図である。
【図２４】互いに異なるＲＥＳＥＴが占めると指示された時間−周波数資源がオーバーラップされる場合を示す図である。
【図２５】本発明の実施例による無線通信システムで使用されるスロット構成を示す図である。
【図２６】本発明の実施例による無線通信システムにおいて端末特定ＰＤＣＣＨが端末にスケジューリングされた資源を指示することを示す図である。
【図２７】本発明の実施例による無線通信システムにおいて基地局が端末に２つのＲＩＶを伝送して端末にスケジューリングされた時間−周波数資源領域を指示することを示す図である。
【図２８】本発明の実施例による無線通信システムにおいて基地局が端末に２つのＲＩＶを伝送して端末にスケジューリングされた時間−周波数資源領域を指示することを示す図である。
【図２９】本発明の他の実施例による無線通信システムにおいてＲＲＣ信号の６ビットが示す端末にスケジューリングされた物理データチャネルに当たるＯＦＤＭシンボルを示す図である。
【図３０】本発明の他の実施例による無線通信システムにおいてＲＲＣ信号の６ビットが示す端末にスケジューリングされた物理データチャネルに当たるＯＦＤＭシンボルを示す図である。
【図３１】本発明の他の実施例による無線通信システムにおいてＲＲＣ信号の６ビットが示す端末にスケジューリングされた物理データチャネルに当たるＯＦＤＭシンボルを示す図である。
【図３２】本発明の他の実施例による無線通信システムにおいてＲＲＣ信号の６ビットが示す端末にスケジューリングされた物理データチャネルに当たるＯＦＤＭシンボルを示す図である。
【図３３】本発明の他の実施例による無線通信システムにおいてＲＲＣ信号の６ビットが示す端末にスケジューリングされた物理データチャネルに当たるＯＦＤＭシンボルを示す図である。
【発明を実施するための形態】
【００３４】
本明細書で使用される用語は本発明における機能を考慮してできるだけ現在広く使用されている一般的な用語を選択しているが、これは当分野に携わる技術者の意図、慣例、または新たな技術の出現などによって異なり得る。また、特定の場合は出願人が任意に選択したものもあるが、この場合、該当する発明の説明部分でその意味を記載する。よって、本明細書で使用される用語は、単なる用語の名称ではなく、その用語の有する実質的意味と本明細書全般にわたる内容に基づいて解析すべきであることを明らかにする。
【００３５】
明細書全体において、ある構成が他の構成を「連結」されているという際、これは「直接連結」されている場合だけでなく、その中間の他の構成要素を介在して「電気的に連結」されていることも含む。また、ある構成が特定構成要素を「含む」という際、これは特に反対する記載がない限り、他の構成要素を除くのではなく、他の構成要素を更に含むことを意味する。加えて、特定臨海を基準にする「以上」または「以下」という限定事項は、実施例によってそれぞれ「超過」または「未満」に適切に代替されてもよい。
【００３６】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線接続システムに使用される。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  ｔｅｒｍ  ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。３ＧＰＰ  ＮＲはＬＴＥ／ＬＴＥ−Ａとは別途に設計されたシステムであって、ＩＭＴ−２０２０の要求条件であるｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に説明するが、本発明の技術的思想はこれに限らない。
【００３７】
図１は、無線通信システムで使用される無線フレーム構造の一例を示す図である。
【００３８】
図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（ｓｕｂｆａｍｅ、ＳＦ）からなる。ここで、Δｆｍａｘ＝４８０＊１０３Ｈｚ、Ｎｆ＝４０９６、Ｔｃ＝１／（Δｆｒｅｆ＊Ｎｆ，ｒｅｆ）、Δｆｒｅｆ＝１５＊１０３Ｈｚ、Ｎｆ，ｒｅｆ＝２０４８である。一つのフレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）によって一つまたは複数のスロットからなる。より詳しくは、３ＧＰＰ  ＮＲシステムで使用し得るサブキャリア間隔は１５＊２μｋＨｚである。μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０〜４の値を有する。つまり、１５ｋＨｚ、３０ｋＨｚ、６０ｋＨｚ、１２０ｋＨｚ、または２４０ｋＨｚがサブキャリア間隔として使用される。１ｍｓ長さのサブフレームは２μ個のスロットからなる。この際、各スロットの長さは２−μｍｓである。一つのサブフレーム内の２μ個のスロットは、それぞれ０から２μ−１までの番号が与えられる。また、一つの無線フレーム内のスロットは、それぞれ０から１０＊２μ−１までの番号が与えられる。時間資源は、無線フレーム番号（または無線フレームインデックスともいう）、サブフレーム番号（またはサブフレームインデックスともいう）、スロット番号（またはスロットインデックス）のうち少なくともいずれか一つによって区分される。
【００３９】
図２は、無線通信システムにおける下りリンク（ＤＬ）／上りリンク（ＵＬ）スロット構造の一例を示す図である。特に、図２は３ＧＰＰ  ＮＲシステムの資源格子（ｒｅｓｏｕｒｃｅ  ｇｒｉｄ）構造を示す。
【００４０】
アンテナポート当たり一つの資源格子がある。図２を参照すると、スロットは時間ドメインで複数のＯＦＤＭシンボルを含み、周波数ドメインで複数の資源ブロック（ｒｅｓｏｕｒｃｅ  ｂｌｏｃｋ、ＲＢ）を含む。ＯＦＤＭシンボルは、一つのシンボル区間も意味する。特別な説明がない限り、ＯＦＤＭシンボルは簡単にシンボルと称される。一つのＲＢは周波数領域で連続した１２個のサブキャリアを含む。図２を参照すると、各スロットから伝送される信号はＮｓｉｚｅ、μｇｒｉｄ、ｘ＊ＮＲＢＳＣ個のサブキャリア（ｓｕｂｃａｒｒｉｅｒ）とＮｓｌｏｔｓｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによる資源ブロック（ＲＢ）の個数を示し（ｘはＤＬまたはＵＬ）、Ｎｓｌｏｔｓｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重アクセス方式によってＣＰ−ＯＦＤＭ（ｃｙｃｌｉｃ  ｐｒｅｆｉｘ  ＯＦＤＭ）シンボル、またはＤＦＴ−Ｓ−ＯＦＤＭ（ｄｉｓｃｒｅｔｅ  Ｆｏｕｒｉｅｒ  ｔｒａｎｓｆｏｒｍ  ｓｐｒｅａｄ  ＯＦＤＭ）シンボルと称される。
【００４１】
一つのスロットに含まれるＯＦＤＭシンボルの数は、ＣＰ（ｃｙｃｌｉｃ  ｐｒｅｆｉｘ）の長さに応じて異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなる場合を例示したが、本発明の実施例は他の個数のＯＦＤＭシンボルを有するスロットでも同じ方式で適用される。図２を参照すると、各ＯＦＤＭシンボルは、周波数ドメインで、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、ガードバンド（ｇｕａｒｄ  ｂａｎｄ）に分けられる。キャリア周波数は中心周波数（ｃｅｎｔｅｒ  ｆｒｅｑｕｅｎｃｙ、ｆｃ）ともいう。
【００４２】
一つのＲＢは、周波数ドメインでＮＲＢＳＣ個（例えば、１２個）の連続するサブキャリアによって定義される。ちなみに、一つのＯＦＤＭシンボルと一つのサブキャリアからなる資源を資源要素（ｒｅｓｏｕｒｃｅ  ｅｌｅｍｅｎｔ、ＲＥ）またはトーン（ｔｏｎｅ）と称する。よって、一つのＲＢはＮｓｌｏｔｓｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、ｌは時間ドメインで０からＮｓｌｏｔｓｙｍｂ−１まで与えられるインデックスである。
【００４３】
端末が基地局から信号を受信するか基地局信号を伝送するためには、端末の時間／周波数同期を基地局の時間／周波数同期と合わせるべきである。基地局と端末が同期化しなければ、端末がＤＬ信号の復調及びＵＬ信号の伝送を正確な時点に行うのに必要な時間及び周波数パラメータを決定できないためである。
【００４４】
ＴＤＤ（ｔｉｍｅ  ｄｉｖｉｓｉｏｎ  ｄｕｐｌｅｘ）またはアンペアドスペクトル（ｕｎｐａｉｒｅｄ  ｓｐｅｃｔｒｕｍ）で動作する無線フレームの各シンボルは、下りリンクシンボル（ＤＬ  ｓｙｍｂｏｌ）、上りリンクシンボル（ＵＬ  ｓｙｍｂｏｌ）、またはフレキシブルシンボル（ｆｌｅｘｉｂｌｅ  ｓｙｍｂｏｌ）のうち少なくともいずれか一つからなる。ＦＤＤ（ｆｒｅｑｕｅｎｃｙ  ｄｉｖｉｓｉｏｎ  ｄｕｐｌｅｘ）またはペアドスペクトル（ｐａｉｒｅｄ  ｓｐｅｃｔｒｕｍ）で下りリンクキャリアで動作する無線フレームは、下りリンクシンボルまたはフレキシブルシンボルからなり、上りリンクキャリアで動作する無線フレームは、上りリンクシンボルまたはフレキシブルシンボルからなる。下りリンクシンボルでは下りリンク伝送はできるが上りリンク伝送はできず、上りリンクシンボルでは上りリンク伝送はできるが下りリンク伝送はできない。フレキシブルシンボルは、信号に応じて下りリンクで使用されるか上りリンクで使用されるかが決定される。
【００４５】
各シンボルのタイプ（ｔｙｐｅ）に関する情報、つまり、下りリンクシンボル、上りリンクシンボル、及びフレキシブルシンボルのうちいずれか一つを示す情報は、セル特定（ｃｅｌｌ−ｓｐｅｃｉｆｉｃまたはｃｏｍｍｏｎ）ＲＲＣ信号からなる。また、各シンボルのタイプに関する情報は、追加に特定端末（ＵＥ−ｓｐｅｃｉｆｉｃまたはｄｅｄｉｃａｔｅｄ）ＲＲＣ信号からなる。基地局は、セル特定ＲＲＣ信号を使用し、i）セル特定スロット構成の周期、ii）セル特定スロット構成の周期の最初から下りリンクシンボルのみを有するスロットの数、iii）下りリンクシンボルのみを有するスロットの直後のスロットの最初のシンボルから下りリンクシンボルの数、iv）セル特定スロット構成の周期の最後から上りリンクシンボルのみを有するスロットの数、v）上りリンクシンボルのみを有するスロットの直前のスロットの最後のシンボルから上りリンクシンボルの数を知らせる。ここで、上りリンクシンボルと下りリンクシンボルのいずれにも構成されていないシンボルはフレキシブルシンボルである。
【００４６】
シンボルタイプに関する情報が端末特定ＲＲＣ信号からなれば、基地局はフレキシブルシンボルが下りリンクシンボルなのかまたは上りリンクシンボルなのかを、セル特定ＲＲＣ信号でシグナリングする。この際、端末特定ＲＲＣ信号は、セル特定ＲＲＣ信号からなる下りリンクシンボルまたは上りリンクシンボルを他のシンボルタイプに変更することができない。特定端末ＲＲＣ信号は、各スロットごとに該当スロットのＮｓｌｏｔｓｙｍｂシンボルのうち下りリンクシンボルの数、該当スロットのＮｓｌｏｔｓｙｍｂシンボルのうち上りリンクシンボルの数をシグナリングする。この際、スロットの下りリンクシンボルはスロットの最初のシンボルからｉ番目のシンボルまで連続的に構成される。また、スロットの上りリンクシンボルはスロットのｊ番目のシンボルから最後のシンボルまで連続的に構成される（ここで、ｉ＜ｊ）。スロットにおいて、上りリンクシンボルと下りリンクシンボルのいずれにも構成されていないシンボルはフレキシブルシンボルである。
【００４７】
前記のようなＲＲＣ信号からなるシンボルのタイプをセミ−スタティック（ｓｅｍｉ−ｓｔａｔｉｃ）ＤＬ／ＵＬ構成と称する。上述したＲＲＣ信号からなるセミ−スタティックＤＬ／ＵＬ構成において、フレキシブルシンボルは物理下りリンク制御チャネル（ＰＤＣＣＨ）で伝送されるダイナミックＳＦＩ（ｓｌｏｔ  ｆｏｒｍａｔ  ｉｎｆｏｒｍａｔｉｏｎ）を介して下りリンクシンボル、上りリンクシンボル、またはフレキシブルシンボルに指示される。この際、ＲＲＣ信号からなる下りリンクシンボルまたは上りリンクシンボルは、他のシンボルタイプに変更されない。表１は、基地局が端末に指示するダイナミックＳＦＩを例示する。
【００４８】
【表１】
2020533861.tif 000003
【００４９】
表１において、Ｄは下りリンクシンボルを、Ｕは上りリンクシンボルを、Ｘはフレキシブルシンボルを示す。表１に示したように、一つのスロットで最大２回のＤＬ／ＵＬスイッチング（ｓｗｉｔｃｈｉｎｇ）が許容される。
【００５０】
図３は、３ＧＰＰシステム（例えば、ＮＲ）に利用される物理チャネルと、該当物理チャンネルを利用した一般的な信号伝送方法を説明する図である。
【００５１】
端末の電源がつくか端末が新しくセルに進入すれば、端末は初期セル探索作業を行うＳ１０１。詳しくは、端末は初期セル探索で基地局と同期を合わせる。このために、端末は基地局から主同期信号（ｐｒｉｍａｒｙ  ｓｙｎｃｈｒｏｎｉｚａｔｉｏｎ  ｓｉｇｎａｌ、ＰＳＳ）及び副同期信号（ｓｅｃｏｎｄａｒｙ  ｓｙｎｃｈｒｏｎｉｚａｔｉｏｎ  ｓｉｇｎａｌ、ＳＳＳ）を受信して基地局と同期を合わせ、セルＩＤなどの情報を獲得する。次に、端末は基地局から物理放送チャネルを受信し、セル内の放送情報を獲得する。
【００５２】
初期セル探索を終えた端末は、物理下りリンク制御チャネル（ＰＤＣＣＨ）及び前記ＰＤＣＣＨに乗せられている情報によって物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信することで、初期セル探索を介して獲得したシステム情報より詳しいシステム情報を獲得するＳ１０２。ここで、端末が伝達されたシステム情報はＲＲＣで物理階層（ｐｈｙｓｉｃａｌ  ｌａｙｅｒ）で端末が正しく動作するためのセル−共通システム情報であり、リメイニングシステム情報（ｒｅｍａｉｎｉｎｇ  ｓｙｓｔｅｍ  ｉｎｆｏｒｍａｔｉｏｎ）またはシステム情報ブロック（ｓｙｓｔｅｍ  ｉｎｆｏｒｍａｔｉｏｎ  ｂｌｏｃｋ、ＳＩＢ）１と称される。
【００５３】
端末が基地局に最初にアクセスするか信号伝送のための無線資源がなければ（端末がＲＲＣ＿ＩＤＬＥモードであれば）、端末は基地局に対して任意のアクセス過程を行うＳ１０３乃至Ｓ１０６。まず、端末は物理任意アクセスチャネル（ｐｈｙｓｉｃａｌ  ｒａｎｄｏｍ  ａｃｃｅｓｓ  ｃｈａｎｎｅｌ、ＰＲＡＣＨ）を介してプリアンブルを伝送しＳ１０３、基地局からＰＤＣＣＨ及び対応するＰＤＳＣＨを介してプリアンブルに対する応答メッセージを受信するＳ１０４。端末に有効なランダムアクセス応答メッセージが受信されれば、端末は基地局からＰＤＣＣＨを介して伝達された上りリンクグラントから指示した物理上りリンク共有チャネル（ｐｈｙｓｉｃａｌ  ｕｐｌｉｎｋ  ｓｈａｒｅｄ ｃｈａｎｎｅｌ、ＰＵＳＣＨ）を介して自らの識別子などを含むデータを基地局に伝送するＳ１０５。次に、端末は衝突を解決するために基地局の指示としてＰＤＣＣＨの受信を待つ。端末が自らの識別子を介してＰＤＣＣＨの受信に成功すればＳ１０６、ランダムアクセス過程は終了される。端末はランダムアクセス過程の間、ＲＲＣ階層で物理階層で端末が正しく動作するために必要な端末−特定システム情報を獲得する。端末がＲＲＣ階層から端末−特定システム情報を獲得すれば、端末はＲＲＣ連結モード（ＲＲＣ＿ＣＯＮＮＥＣＴＥＤ  ｍｏｄｅ）に進入する。
【００５４】
ＲＲＣ階層は、端末と無線アクセスネットワーク（Ｒａｉｄｏ  Ａｃｃｅｓｓ  Ｎｅｔｗｏｒｋ、ＲＡＮ）との間を制御するためのメッセージの生成及び管理に使用される。より詳しくは、基地局と端末はＲＲＣ階層でセル内の全ての端末に必要なセルシステム情報の放送（ｂｒｏａｄｃａｓｔｉｎｇ）、ページング（ｐａｇｉｎｇ）メッセージの伝達管理、移動性管理及びハンドオーバー、端末の測定報告とそれに対する制御、端末能力管理及び機管理を含む保管管理を行う。一般に、ＲＲＣ階層で伝達する信号（以下、ＲＲＣ信号）の更新（ｕｐｄａｔｅ）は、物理階層で送受信周期（つまり、ｔｒａｎｓｍｉｓｓｉｏｎ  ｔｉｍｅ  ｉｎｔｅｒｖａｌ、ＴＴＩ）より長いため、ＲＲＣ信号は長い周期の間変化せずに維持される。
【００５５】
上述した手順後、端末は一般的な上り／下りリンク信号伝送手順としてＰＤＣＣＨ／ＰＤＳＣＨ受信Ｓ１０７、及び物理上りリンク共有チャネル（ＰＵＳＣＨ）／物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を伝送Ｓ１０８する。特に、端末は、ＰＤＣＣＨを介して下りリンク制御情報（ｄｏｗｎｌｉｎｋ  ｃｏｎｔｒｏｌ  ｉｎｆｏｒｍａｔｉｏｎ、ＤＣＩ）を受信する。ＤＣＩは、端末に対する資源割当情報のような制御情報を含む。また、ＤＣＩは使用目的に応じてフォーマットが異なり得る。端末が上りリンクを介して基地局に伝送する上りリンク制御情報（ｕｐｌｉｎｋ  ｃｏｎｔｒｏｌ  ｉｎｆｏｒｍａｔｉｏｎ、ＵＣＩ）は、下りリンク／上りリンクＡＣＫ／ＮＡＣＫ信号、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）などを含む。ここで、ＣＱＩ、ＰＭＩ、及びＲＩは、ＣＳＩ（ｃｈａｎｎｅｌ  ｓｔａｔｅ  ｉｎｆｏｒｍａｔｉｏｎ）に含まれる。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００５６】
図４は、３ＧＰＰ  ＮＲシステムにおける初期セルアクセスのためのＳＳ／ＰＢＣＨブロックを示す図である。
【００５７】
端末は、電源が入るか新しくセルにアクセスしようとする際、セルとの時間及び周波数同期を獲得し、初期セル探索過程を行う。端末は、セル探索過程でセルの物理セル識別子（ｐｈｙｓｉｃａｌ  ｃｅｌｌ  ｉｄｅｎｔｉｔｙ）ＮｃｅｌｌＩＤを検出する。このために、端末は基地局から同期信号、例えば、主同期信号（ＰＳＳ）及び副同期信号（ＳＳＳ）を受信して基地局と同期を合わせる。この際、端末はセル識別子（ｉｄｅｎｔｉｔｙ、ＩＤ）などの情報を獲得する。
【００５８】
図４（ａ）を参照して、同期信号（ｓｙｎｃｈｒｏｎｉｚａｔｉｏｎ  ｓｉｇｎａｌ、ＳＳ）をより詳しく説明する。同期信号はＰＳＳとＳＳＳに分けられる。ＰＳＳは、ＯＦＤＭシンボル同期、スロット同期のような時間ドメイン同期及び／または周波数ドメイン同期を得るために使用される。ＳＳＳは、フレーム同期、セルグループＩＤを得るために使用される。図４（ａ）と表２を参照すると、ＳＳ／ＰＢＣＨブロックは周波数軸に連続した２０ＲＢｓ（＝２４０サブキャリア）からなり、時間軸に連続した４ＯＦＤＭシンボルからなる。この際、ＳＳ／ＰＢＣＨブロックにおいて、ＰＳＳは最初のＯＦＤＭシンボル、ＳＳＳは３番目のＯＦＤＭシンボルで５６〜１８２番目のサブキャリアを介して伝送される。ここで、ＳＳ／ＰＢＣＨブロックの最も低いサブキャリアインデックスを０から付ける。ＰＳＳが伝送される最初のＯＦＤＭシンボルにおいて、残りのサブキャリア、つまり、０〜５５、１８３〜２３９番目のサブキャリアを介しては基地局が信号を伝送しない。また、ＳＳＳが伝送される３番目のＯＦＤＭシンボルにおいて、４８〜５５、１８３〜１９１番目のサブキャリアを介しては基地局が信号を伝送しない。基地局は、ＳＳ／ＰＢＣＨブロックにおいて、前記信号を除いた残りのＲＥを介してＰＢＣＨ（ｐｈｙｓｉｃａｌ  ｂｒｏａｄｃａｓｔ  ｃｈａｎｎｅｌ）を伝送する。
【００５９】
【表２】
2020533861.tif 000004
【００６０】
ＳＳは３つのＰＳＳとＳＳＳの組み合わせを介して計１００８個の固有の物理階層セル識別子（ｐｈｙｓｉｃａｌ  ｌａｙｅｒ  ｃｅｌｌ  ＩＤ）を、詳しくは、それぞれの物理階層セルＩＤはたった一つの物理−階層セル−識別子グループの部分になるように、各グループが３つの固有の識別子を含む３３６個の物理−階層セル−識別子グループにグルーピングされる。よって、物理階層セルＩＤ  ＮｃｅｌｌＩＤ＝３Ｎ（１）ＩＤ＋Ｎ（２）ＩＤは、物理−階層セル−識別子グループを示す０から３３５までの範囲内のインデックスＮ（１）ＩＤと、前記物理−階層セル−識別子グループ内の物理−階層識別子を示す０から２までのインデックスＮ（２）ＩＤによって固有に定義される。端末はＰＳＳを検出し、３つの固有の物理−階層識別子のうち一つを識別する。また、端末はＳＳＳを検出し、前記物理−階層識別子に連関する３３６個の物理階層セルＩＤのうち一つを識別する。この際、ＰＳＳのシーケンスｄＰＳＳ（ｎ）は以下のようである。
【００６１】
【数１】
2020533861.tif 000005
ここで、
【数２】
2020533861.tif 000006
であり、
【数３】
2020533861.tif 000007
に与えられる。
【００６２】
また、ＳＳＳのシーケンスｄＳＳＳ（ｎ）は以下のようである。
【００６３】
【数４】
2020533861.tif 000008
ここで、
【数５】
2020533861.tif 000009
であり、
【数６】
2020533861.tif 000010
に与えられる。
【００６４】
１０ｍｓ長さの無線フレームは、５ｍｓ長さの２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、ケースＡ、Ｂ、Ｃ、Ｄ、Ｅのうちいずれか一つである。ケースＡにおいて、サブキャリア間隔は１５ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＢにおいて、サブキャリア間隔は３０ｋＨｚであり、ＳＳ／ＰＢＣＨブロックの開始時点は｛４、８、１６、２０｝＋２８＊ｎ番目のシンボルである。この際、３ＧＨｚ以下のキャリア周波数において、ｎ＝０である。また、３ＧＨｚ超過６ＧＨｚ以下のキャリア周波数において、ｎ＝０、１である。ケースＣにおいて、サブキャリア間隔は３０ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＤにおいて、サブキャリア間隔は１２０ｋＨｚであり、ＳＳ／ＰＢＣＨブロックの開始時点は｛４、８、１６、２０｝＋２８＊ｎ番目のシンボルである。この際、６ＧＨｚ以上のキャリア周波数において、ｎ＝０、１、２、３、５、６、７、８、１０、１１、１２、１３、１５、１６、１７、１８である。ケースＥにおいて、サブキャリア間隔は２４０ｋＨｚであり、ＳＳ／ＰＢＣＨブロックの開始時点は｛８、１２、１６、２０、３２、３６、４０、４４｝＋５６＊ｎ番目のシンボルである。この際、６ＧＨｚ以上のキャリア周波数において、ｎ＝０、１、２、３、５、６、７、８である。
【００６５】
図５は、３ＧＰＰ  ＮＲシステムにおける制御情報及び制御チャネル伝送のための手順を示す図である。図５（ａ）を参照すると、基地局は制御情報（例えば、ＤＣＩ）にＲＮＴＩ（ｒａｄｉｏ  ｎｅｔｗｏｒｋ  ｔｅｍｐｏｒａｒｙ  ｉｄｅｎｔｉｆｉｅｒ）でマスク（例えば、ＸＯＲ演算）されたＣＲＣ（ｃｙｃｌｉｃ  ｒｅｄｕｎｄａｎｃｙ  ｃｈｅｃｋ）を付加するＳ２０２。基地局は、各制御情報の目的／対象に応じて決定されるＲＮＴＩ値でＣＲＣをスクランブルする。一つ以上の端末が使用する共通ＲＮＴＩは、ＳＩ−ＲＮＴＩ（ｓｙｓｔｅｍ  ｉｎｆｏｒｍａｔｉｏｎ  ＲＮＴＩ）、Ｐ−ＲＮＴＩ（ｐａｇｉｎｇ  ＲＮＴＩ）、ＲＡ−ＲＮＴＩ（ｒａｎｄｏｍ  ａｃｃｅｓｓ  ＲＮＴＩ）、及びＴＰＣ−ＲＮＴＩ（ｔｒａｎｓｍｉｔ  ｐｏｗｅｒ  ｃｏｎｔｒｏｌ  ＲＮＴＩ）のうち少なくともいずれか一つを含む。また、端末−特定ＲＮＴＩは、Ｃ−ＲＮＴＩ（ｃｅｌｌ  ｔｅｍｐｏｒａｒｙ  ＲＮＴＩ）及びＣＳ−ＲＮＴＩのうち少なくともいずれか一つを含む。次に、基地局はチャネルエンコーディング（例えば、ｐｏｌａｒ  ｃｏｄｉｎｇ）を行ったＳ２０４後、ＰＤＣＣＨ伝送のために使用された資源（ら）の量に合わせてレート−マッチング（ｒａｔｅ−ｍａｔｃｈｉｎｇ）をするＳ２０６。次に、基地局はＣＣＥ（ｃｏｎｔｒｏｌ  ｃｈａｎｎｅｌ  ｅｌｅｍｅｎｔ）基盤のＰＤＣＣＨ構造に基づいて、ＤＣＩ（ら）を多重化するＳ２０８。また、基地局は、多重化されたＤＣＩ（ら）に対してスクランブリング、モジュレーション（例えば、ＱＰＳＫ）、インターリービングなどの追加過程Ｓ２１０を適用した後、伝送しようとする資源にマッピングする。ＣＣＥはＰＤＣＣＨのための基本資源単位であり、一つのＣＣＥは複数（例えば、６つ）のＲＥＧ（ｒｅｓｏｕｒｃｅ  ｅｌｅｍｅｎｔ  ｇｒｏｕｐ）からなる。一つのＲＥＧは複数（例えば、１２個）のＲＥからなる。一つのＰＤＣＣＨのために使用されたＣＣＥの個数を集成レベル（ａｇｇｒｅｇａｔｉｏｎ  ｌｅｖｅｌ）と定義する。３ＧＰＰ  ＮＲシステムでは、１、２、４、８、または１６の集成レベルを使用する。図５（ｂ）はＣＣＥ集成レベルとＰＤＣＣＨの多重化に関する図であり、一つのＰＤＣＣＨのために使用されたＣＣＥ集成レベルの種類とそれによる制御領域で伝送されるＣＣＥ（ら）を示す。
【００６６】
図６は、３ＧＰＰ  ＮＲシステムにおけるＰＤＣＣＨが伝送されるＣＯＲＥＳＥＴを示す図である。
【００６７】
ＣＯＲＥＳＥＴは、端末のための制御信号であるＰＤＣＣＨが伝送される時間−周波数資源である。また、後述する探索空間（ｓｅａｒｃｈ  ｓｐａｃｅ）は一つのＣＯＲＥＳＥＴにマッピングされる。よって、端末はＰＤＣＣＨを受信するために全ての周波数帯域をモニタリングするのではなく、ＣＯＲＥＳＥＴと指定された時間−周波数領域をモニタリングして、ＣＯＲＥＳＥＴにマッピングされたＰＤＣＣＨをデコーディングする。基地局は、端末にセル別に一つまたは複数のＣＯＲＥＳＥＴを構成する。ＣＯＲＥＳＥＴは、時間軸に最大３つまでの連続したシンボルからなる。また、ＣＯＲＥＳＥＴは周波数軸に連続した６つのＰＲＢの単位からなる。図５の実施例において、ＣＯＲＥＳＥＴ＃１は連続的なＰＲＢからなり、ＣＯＲＥＳＥＴ＃２とＣＯＲＥＳＥＴ＃３は不連続的なＰＲＢからなる。ＣＯＲＥＳＥＴは、スロット内のいかなるシンボルにも位置し得る。例えば、図５の実施例において、ＣＯＲＥＳＥＴ＃１はスロットの最初のシンボルから始まり、ＣＯＲＥＳＥＴ＃２はスロットの５番目のシンボルから始まり、ＣＯＲＥＳＥＴ＃９はスロットの９番目のシンボルから始まる。
【００６８】
図７は、３ＧＰＰ  ＮＲシステムにおけるＰＤＣＣＨ探索空間を設定する方法を示す図である。
【００６９】
端末にＰＤＣＣＨを伝送するために、各ＣＯＲＥＳＥＴには少なくとも一つ以上の探索空間が存在する。本発明の実施例において、探索空間は端末のＰＤＣＣＨが伝送される全ての時間−周波数資源（以下、ＰＤＣＣＨ候補）の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特定探索空間（ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間では、同一基地局に属するセルにおける全ての端末が共通に探すように設定されているＰＤＣＣＨをモニタリングする。また、端末−特定探索空間は、端末に応じて互いに異なる探索空間の位置で、各端末に割り当てられたＰＤＣＣＨをモニタリングするように端末別に設定される。端末−特定探索空間の場合、ＰＤＣＣＨが割り当てられる制限された制御領域のため、端末間の探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現か、成功的に検出／受信されていないと表現する。
【００７０】
説明の便宜上、一つ以上の端末に下りリンク制御情報を伝送するために、一つ以上の端末が既に知っているグループ共通（ｇｒｏｕｐ  ｃｏｍｍｏｎ、ＧＣ）ＲＮＴＩでスクランブルされたＰＤＣＣＨをグループ共通（ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定ＰＤＣＣＨと称する。前記共通ＰＤＣＣＨは共通探索空間に含まれ、端末−特定ＰＤＣＣＨは共通探索空間または端末−特定ＰＤＣＣＨに含まれる。
【００７１】
基地局は、ＰＤＣＣＨを介して伝送チャネルであるＰＣＨ（ｐａｇｉｎｇ  ｃｈａｎｎｅｌ）及びＤＬ−ＳＣＨ（ｄｏｗｎｌｉｎｋ−ｓｈａｒｅｄ  ｃｈａｎｎｅｌ）の資源割当に関する情報（つまり、ＤＬ  Ｇｒａｎｔ）、またはＵＬ−ＳＣＨ（ｕｐｌｉｎｋ−ｓｈａｒｅｄ  ｃｈａｎｎｅｌ）の資源割当とＨＡＲＱ（ｈｙｂｒｉｄ  ａｕｔｏｍａｔｉｃ  ｒｅｐｅａｔ  ｒｅｑｕｅｓｔ）に関する情報（つまり、ＵＬ  Ｇｒａｎｔ）を各端末または端末グループに知らせる。基地局は、ＰＣＨ伝送ブロック、及びＤＬ−ＳＣＨ伝送ブロックをＰＤＳＣＨを介して伝送する。基地局は、特定制御情報または特定サービスデータを除いたデータをＰＤＳＣＨを介して伝送する。また、端末は、特定制御情報または特定サービスデータを除いたデータをＰＤＳＣＨを介して受信する。
【００７２】
基地局は、ＰＤＳＣＨのデータがいかなる端末（一つまたは複数の端末）に伝送されるのか、該当端末がいかにＰＤＳＣＨデータを受信しデコーディングすべきなのかに関する情報をＰＤＣＣＨに含ませて伝送する。例えば、特定ＰＤＣＣＨを介して伝送されるＤＣＩが「Ａ」というＲＮＴＩでＣＲＣマスキングされており、そのＤＣＩが「Ｂ」という無線資源（例えば、周波数位置）にＰＤＳＣＨが割り当てられていることを指示し、「Ｃ」という伝送形式情報（例えば、伝送ブロックのサイズ、変調方式、コーディング情報など）を指示すると仮定する。端末は、自らが有するＲＮＴＩ情報を利用してＰＤＣＣＨをモニタリングする。この場合、「Ａ」ＲＮＴＩを使用してＰＤＣＣＨをブラインドデコーディングする端末があれば、該当端末はＰＤＣＣＨを受信し、受信したＰＤＣＣＨの情報を介して「Ｂ」と「Ｃ」によって指示されるＰＤＳＣＨを受信する。
【００７３】
表３は、無線通信システムで使用されるＰＵＣＣＨの一実施例を示す。
【００７４】
【表３】
2020533861.tif 000011
【００７５】
ＰＵＣＣＨは、以下の上りリンク制御情報（ＵＣＩ）を伝送するのに使用される。
【００７６】
−ＳＲ（Ｓｃｈｅｄｕｌｉｎｇ  Ｒｅｑｕｅｓｔ）：上りリンクＵＬ−ＳＣＨ資源を要請するのに使用される情報である。
【００７７】
−ＨＡＲＱ−ＡＣＫ：（ＤＬ  ＳＰＳ  ｒｅｌｅａｓｅを指示する）ＰＤＣＣＨに対する応答及び／またはＰＤＳＣＨ上の上りリンク伝送ブロック（ｔｒａｎｓｐｏｒｔ  ｂｌｏｃｋ、ＴＢ）に対する応答である。ＨＡＲＱ−ＡＣＫは、ＰＤＣＣＨまたはＰＤＳＣＨを介して伝送された情報の受信可否を示す。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）、またはＮＡＣＫ／ＤＴＸを含む。ここで、ＨＡＲＱ−ＡＣＫという用語は、ＨＡＲＱ−ＡＣＫ／ＮＡＣＫ、ＡＣＫ／ＮＡＣＫと混用される。一般に、ＡＣＫはビット値１で表され、ＮＡＣＫはビット値０で表される。
【００７８】
−ＣＳＩ：下りリンクチャネルに対するフィードバック情報である。基地局が伝送するＣＳＩ−ＲＳ（Ｒｅｆｅｒｅｎｃｅ  Ｓｉｇｎａｌ）に基づいて端末が生成する。ＭＩＭＯ（ｍｕｌｔｉｐｌｅ  ｉｎｐｕｔ  ｍｕｌｔｉｐｌｅ  ｏｕｔｐｕｔ）−関連フィードバック情報は、ＲＩ及びＰＭＩを含む。ＣＳＩは、ＣＳＩが示す情報に応じてＣＳＩパート１とＣＳＩパート２に分けられる。
【００７９】
３ＧＰＰ  ＮＲシステムでは、多様なサービスシナリオと多様なチャネル環境、及びフレーム構造を支援するために、５つのＰＵＣＣＨフォーマットが使用される。
【００８０】
ＰＵＣＣＨフォーマット０は、１ビットまたは２ビットＨＡＲＱ−ＡＣＫ情報またはＳＲを伝達するフォーマットである。ＰＵＣＣＨフォーマット０は、時間軸に１つまたは２つのＯＦＤＭシンボルと、周波数軸に１つのＰＲＢを介して伝送される。ＰＵＣＣＨフォーマット０が２つのＯＦＤＭシンボルで伝送されれば、２つのシンボルに同じシーケンスが互いに異なるＲＢで伝送される。この際、シーケンスはＰＵＣＣＨフォマード０に使用されるベースシーケンス（ｂａｓｅ  ｓｅｑｕｅｎｃｅ）からサイクリックシフト（ｃｙｃｌｉｃ  ｓｈｉｆｔ、ＣＳ）されたシーケンスである。これを介し、端末は周波数ダイバーシティゲイン（ｄｉｖｅｒｓｉｔｙ  ｇａｉｎ）を得る。詳しくは、端末はＭｂｉｔビットＵＣＩ（Ｍｂｉｔ＝１ｏｒ２）によってサイクリックシフト（ＣＳ）値ｍｃｓを決定する。また、長さが１２のベースシーケンスを決められたＣＳ値ｍｃｓに基づいてサイクリックシフトしたシーケンスを１つのＯＦＤＭシンボル及び１つのＲＢの１２個のＲＥｓにマッピングして伝送する。端末が使用可能なサイクリックシフトの数が１２個で、Ｍｂｉｔ＝１であれば、１ｂｉｔ  ＵＣＩ０と１は、それぞれサイクリックシフト値の差が６である２つのサイクリックシフトされたシーケンスにマッピングされる。また、Ｍｂｉｔ＝２であれば、２ｂｉｔｓ  ＵＣＩ００、０１、１１、１０は、それぞれサイクリックシフト値の差が３である４つのサイクリックシフトされたシーケンスにマッピングされる。
【００８１】
ＰＵＣＣＨフォーマット１は、１ビットまたは２ビットＨＡＲＱ−ＡＣＫ情報またはＳＲを伝達する。ＰＵＣＣＨフォーマット１は、時間軸に連続的なＯＦＤＭシンボルと、周波数軸に１つのＰＲＢを介して伝送される。ここで、ＰＵＣＣＨフォーマット１が占めるＯＦＤＭシンボルの数は４〜１４のうち一つである。より詳しくは、Ｍｂｉｔ＝１であるＵＣＩはＢＰＳＫでモジュレーションされる。端末は、Ｍｂｉｔ＝２であるＵＣＩをＱＰＳＫ（ｑｕａｄｒａｔｕｒｅ  ｐｈａｓｅ  ｓｈｉｆｔ  ｋｅｙｉｎｇ）でモジュレーションされる。モジュレーションされた複素数シンボル（ｃｏｍｐｌｅｘ  ｖａｌｕｅｄ  ｓｙｍｂｏｌ）ｄ（０）に長さ１２のシーケンスをかけて信号を得る。この際、シーケンスはＰＵＣＣＨフォマード０に使用されるベースシーケンスである。端末は、得られた信号をＰＵＣＣＨフォーマット１が割り当てられた偶数番目のＯＦＤＭシンボルに、時間軸ＯＣＣ（ｏｒｔｈｏｇｏｎａｌ  ｃｏｖｅｒ  ｃｏｄｅ）でスプレディング（ｓｐｒｅａｄｉｎｇ）して伝送する。ＰＵＣＣＨフォーマット１は、使用するＯＣＣの長さに応じて同じＲＢで多重化される互いに異なる端末の最大数が決められる。ＰＵＣＣＨフォーマット１の奇数番目ＯＦＤＭシンボルには、ＤＭＲＳ（ｄｅｍｏｄｕｌａｔｉｏｎ  ｒｅｆｅｒｅｎｃｅ  ｓｉｇｎａｌ）がＯＣＣでスプレディングされてマッピングされる。
【００８２】
ＰＵＣＣＨフォーマット２は、２ビットを超過するＵＣＩを伝達する。ＰＵＣＣＨフォーマット２は、時間軸に１つまたは２つのＯＦＤＭシンボルと、周波数軸に１つまたは複数個のＲＢを介して伝送される。ＰＵＣＣＨフォーマット２が２つのＯＦＤＭシンボルで伝送されれば、２つのＯＦＤＭシンボルを介して同じシーケンスが互いに異なるＲＢで伝送される。ここで、シーケンスは複数のモジュレーションされた複素数シンボルｄ（０）、…、ｄ（Ｍｓｙｍｂｏｌ−１）である。ここで、ＭｓｙｍｂｏｌはＭｂｉｔ／２である。これを介し、端末は周波数ダイバーシティゲインを得る。より詳しくは、ＭｂｉｔビットＵＣＩ（Ｍｂｉｔ＞２）はビット−レベルスクランブリングされ、ＱＰＳＫモジュレーションされて１つまたは２つのＯＦＤＭシンボル（ら）のＲＢ（ら）にマッピングされる。ここで、ＲＢの数は１〜１６のうち一つである。
【００８３】
ＰＵＣＣＨフォーマット３またはＰＵＣＣＨフォーマット４は、２ビットを超過するＵＣＩを伝達する。ＰＵＣＣＨフォーマット３またはＰＵＣＣＨフォーマット４は、時間軸に連続的なＯＦＤＭシンボルと、周波数軸に１つのＰＲＢを介して伝送される。ＰＵＣＣＨフォーマット３またはＰＵＣＣＨフォーマット４が占めるＯＦＤＭシンボルの数は４〜１４のうち一つである。詳しくは、端末は、ＭｂｉｔビットＵＣＩ（Ｍｂｉｔ＞２）をπ／２−ＢＰＳＫ（Ｂｉｎａｒｙ  Ｐｈａｓｅ  Ｓｈｉｆｔ  Ｋｅｙｉｎｇ）またはＱＰＳＫでモジュレーションし、複素数シンボルｄ（０）〜ｄ（Ｍｓｙｍｂ−１）を生成する。ここで、π／２−ＢＰＳＫを使用するとＭｓｙｍｂ＝Ｍｂｉｔであり、ＱＰＳＫを使用するとＭｓｙｍｂ＝Ｍｂｉｔ／２である。端末は、ＰＵＣＣＨフォーマット３にブロック−単位スプレディングを適用しない。但し、端末は、ＰＵＣＣＨフォーマット４が２つまたは４つの多重化容量（ｍｕｌｔｉｐｌｅｘｉｎｇ  ｃａｐａｃｉｔｙ）を有するように、長さ−１２のＰｒｅＤＦＴ−ＯＣＣを使用して１つのＲＢ（つまり、１２ｓｕｂｃａｒｒｉｅｒｓ）にブロック−単位スプレディングを適用してもよい。端末は、スプレディングされた信号を伝送プリコーディング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【００８４】
この際、ＰＵＣＣＨフォーマット２、ＰＵＣＣＨフォーマット３、またはＰＵＣＣＨフォーマット４が占めるＲＢの数は、端末が伝送するＵＣＩの長さと最大コードレート（ｃｏｄｅ  ｒａｔｅ）に応じて決定される。端末がＰＵＣＣＨフォーマット２を使用すれば、端末はＰＵＣＣＨを介してＨＡＲＱ−ＡＣＫ情報及びＣＳＩ情報を共に伝送する。もし、端末が伝送し得るＲＢの数がＰＵＣＣＨフォーマット２、ＰＵＣＣＨフォーマット３、またはＰＵＣＣＨフォーマット４が使用し得る最大ＲＢの数より大きければ、端末はＵＣＩ情報の優先順位に応じて一部のＵＣＩ情報は伝送せず、残りのＵＣＩ情報のみ伝送する。
【００８５】
ＰＵＣＣＨフォーマット１、ＰＵＣＣＨフォーマット３、またはＰＵＣＣＨフォーマット４がスロット内で周波数ホッピング（ｆｒｅｑｕｅｎｃｙ  ｈｏｐｐｉｎｇ）を指示するように、ＲＲＣ信号を介して構成される。周波数ホッピングが構成される際、周波数ホッピングするＲＢのインデックスはＲＲＣ信号からなる。ＰＵＣＣＨフォーマット１、ＰＵＣＣＨフォーマット３、またはＰＵＣＣＨフォーマット４が時間軸でＮ個のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌ（Ｎ／２）個のＯＦＤＭシンボルを有する。
【００８６】
ＰＵＣＣＨフォーマット１、ＰＵＣＣＨフォーマット３、またはＰＵＣＣＨフォーマット４は、複数のスロットに繰り返し伝送さ得るように構成される。この際、ＰＵＣＣＨが繰り返し伝送されるスロットの個数ＫはＲＲＣ信号によって構成される。繰り返し伝送されるＰＵＣＣＨは、各スロット内で同じ位置のＯＦＤＭシンボルから始まり、同じ長さを有するべきである。端末がＰＵＣＣＨを伝送すべきスロットのＯＦＤＭシンボルのうちいずれか一つのＯＦＤＭシンボルでもＲＲＣ信号によってＤＬシンボルと指示されれば、端末はＰＵＣＣＨを該当スロットから伝送せず、次のスロットに延期して伝送する。
【００８７】
一方、３ＧＰＰ  ＮＲシステムにおいて、端末はキャリア（またはセル）の帯域幅より小さいか同じ帯域幅を利用して送受信を行う。そのために、端末はキャリア帯域幅のうち一部の連続的な帯域幅からなるＢＷＰ（ｂａｎｄｗｉｄｔｈ  ｐａｒｔ）を構成される。ＴＤＤに応じて動作するかまたはアンペアドスペクトルで動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤに応じて動作するかまたはペアドスペクトルで動作する端末は、下りリンクキャリア（またはセル）に最大４つのＤＬ  ＢＷＰを構成され、上りリンクキャリア（またはセル）に最大４つのＵＬ  ＢＷＰを構成される。端末は、各キャリア（またはセル）ごとに一つのＤＬ  ＢＷＰとＵＬ  ＢＷＰを活性化する。端末は、活性化されたＢＷＰ以外の時間−周波数資源から受信するか送信しなくてもよい。活性化されたＢＷＰをアクティブＢＷＰと称する。
【００８８】
基地局は、端末が構成されたＢＷＰのうち活性化されたＢＷＰをＤＣＩを介して指示する。ＤＣＩを介して指示したＢＷＰは活性化され、他の構成されたＢＷＰ（ら）は非活性化される。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（ｂａｎｄｗｉｄｔｈ  ｐａｒｔ  ｉｎｄｉｃａｔｏｒ）を含ませる。端末は、ＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるために、ＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるために、ＰＵＳＣＨをスケジューリングするＤＣＩに活性化されるＢＷＰを指示するＢＰＩを含ませる。
【００８９】
図８は、キャリア集成を説明する概念図である。
【００９０】
キャリア集成とは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用して一つの大きい論理周波数帯域で使用する方法を意味する。一つのコンポーネントキャリアは、ＰＣｅｌｌ（Ｐｒｉｍａｒｙ  ｃｅｌｌ）またはＳＣｅｌｌ（Ｓｅｃｏｎｄａｒｙ  Ｃｅｌｌ）、またはＰＳＣｅｌｌ（Ｐｒｉｍａｒｙ  ＳＣｅｌｌ）という用語で称される。但し、以下では説明の便宜上、コンポーネントキャリアという用語に統一する。
【００９１】
図８を参照すると、３ＧＰＰ  ＮＲシステムの一例示として、全体システム帯域は最大１６個のコンポーネントキャリアを含み、それぞれのコンポーネントキャリアは最大４００ＭＨｚの帯域幅を有する。コンポーネントキャリアは、一つ以上の物理的に連続するサブキャリアを含む。図８ではそれぞれのコンポーネントキャリアがいずれも同じ帯域幅を有するように示したが、これは例示に過ぎず、それぞれのコンポーネントキャリアは互いに異なる帯域幅を有してもよい。また、それぞれのコンポーネントキャリアは周波数軸で互いに隣接しているように示したが、前記図面は論理的な概念で示したものであって、それぞれのコンポーネントキャリアは物理的に互いに隣接してもよく、離れていてもよい。
【００９２】
それぞれのコンポーネントキャリアにおいて、互いに異なる中心周波数が使用される。また、物理的に隣接したコンポーネントキャリアにおいて、共通した一つの中心周波数が使用される。図８の実施例において、全てのコンポーネントキャリアが物理的に隣接していると仮定すれば、全てのコンポーネントキャリアで中心周波数Ａが使用される。また、それぞれのコンポーネントキャリアが物理的に隣接していないと仮定すれば、コンポーネントキャリアそれぞれにおいて中心周波数Ａ、中心周波数Ｂが使用される。
【００９３】
キャリア集成で全体のシステム帯域が拡張されれば、各端末との通信に使用される周波数帯域はコンポーネントキャリア単位に定義される。端末Ａは全体のシステム帯域である１００ＭＨｚを使用し、５つのコンポーネントキャリアをいずれも使用して通信を行う。端末Ｂ１〜Ｂ５は２０ＭＨｚの帯域幅のみを使用し、一つのコンポーネントキャリアを使用して通信を行う。端末Ｃ１及びＣ２は４０ＭＨｚの帯域幅のみを使用し、それぞれ２つのコンポーネントキャリアを利用して通信を行う。２つのコンポーネントキャリアは、論理／物理的に隣接するか隣接しない。図８の実施例では、端末Ｃ１が隣接していない２つのコンポーネントキャリアを使用し、端末Ｃ２が隣接した２つのコンポーネントキャリアを使用する場合を示す。
【００９４】
図９は、端末キャリア通信と多重キャリア通信を説明するための図である。特に、図９（ａ）は単一キャリアのサブフレーム構造を示し、図９（ｂ）は多重キャリアのサブフレーム構造を示す。
【００９５】
図９（ａ）を参照すると、一般的な無線通信システムはＦＤＤモードの場合一つのＤＬ帯域とそれに対応する一つのＵＬ帯域を介してデータ伝送または受信を行う。他の具体的な実施例において、無線通信システムはＴＤＤモードの場合、無線フレームを時間ドメインで上りリンク時間ユニットと下りリンク時間ユニットに区分し、上り／下りリンク時間ユニットを介してデータ伝送または受信を行う。図９（ｂ）を参照すると、ＵＬ及びＤＬにそれぞれ３つの２０ＭＨｚコンポーネントキャリア（ｃｏｍｐｏｎｅｎｔ  ｃａｒｒｉｅｒ、ＣＣ）が集まって、６０ＭＨｚの帯域幅が支援される。それぞれのＣＣは、周波数ドメインで互いに隣接するか非−隣接する。図９（ｂ）は、便宜上ＵＬ  ＣＣの帯域幅とＤＬ  ＣＣの帯域幅がいずれも同じで対称な場合を示したが、各ＣＣの帯域幅は独立的に決められてもよい。また、ＵＬ  ＣＣの個数とＤＬ  ＣＣの個数が異なる非対称のキャリア集成も可能である。ＲＲＣを介して特定端末に割当／構成されたＤＬ／ＵＬ  ＣＣを特定端末のサービング（ｓｅｒｖｉｎｇ）ＤＬ／ＵＬ  ＣＣと称する。
【００９６】
基地局は、端末のサービングＣＣのうち一部または全部と活性化（ａｃｔｉｖａｔｅ）するか一部のＣＣを非活性化（ｄｅａｃｔｉｖａｔｅ）して、端末と通信を行う。基地局は、活性化／非活性化されるＣＣを変更してもよく、活性化／非活性化されるＣＣの個数を変更してもよい。基地局が端末に利用可能なＣＣをセル−特定または端末−特定に割り当てると、端末に対するＣＣ割当が全面的に再構成されるか端末がハンドオーバー（ｈａｎｄｏｖｅｒ）しない限り、一旦割り当てられたＣＣのうち少なくとも一つは非活性化されなくてもよい。端末に非活性化されない一つのＣを主ＣＣ（ｐｒｉｍａｒｙ  ＣＣ、ＰＣＣ）またはＰＣｅｌｌ（ｐｒｉｍａｒｙ  ｃｅｌｌ）と称し、基地局が自由に活性化／非活性化されるＣＣを副ＣＣ（ｓｅｃｏｎｄａｒｙ  ＣＣ、ＳＣＣ）またはＳＣｅｌｌ（ｓｅｃｏｎｄａｒｙ  ｃｅｌｌ）と称する。
【００９７】
一方、３ＧＰＰ  ＮＲは無線資源を管理するためにセル（ｃｅｌｌ）の概念を使用する。セルは、下りリンク資源と上りリンク資源の組み合わせ、つまり、ＤＬ  ＣＣとＵＬ  ＣＣの組み合わせと定義される。セルは、ＤＬ資源単独、またはＤＬ資源とＵＬ資源の組み合わせからなる。キャリア集成が支援されれば、ＤＬ資源（または、ＤＬ  ＣＣ）のキャリア周波数とＵＬ資源（または、ＵＬ  ＣＣ）のキャリア周波数との間のリンケージ（ｌｉｎｋａｇｅ）はシステム情報によって指示される。キャリア周波数とは、各セルまたはＣＣの中心周波数を意味する。ＰＣＣに対応するセルをＰＣｅｌｌと称し、ＳＣＣに対応するセルをＳＣｅｌｌと称する。下りリンクにおいてＰＣｅｌｌに対応するキャリアはＤＬ  ＰＣＣであり、上りリンクにおいてＰＣｅｌｌに対応するキャリアはＵＬ  ＰＣＣである。類似して、下りリンクにおいてＳＣｅｌｌに対応するキャリアはＤＬ  ＳＣＣであり、上りリンクにおいてＳＣｅｌｌに対応するキャリアはＵＬ  ＳＣＣである。端末性能（ｃａｐａｃｉｔｙ）に応じて、サービングセル（ら）は一つのＰＣｅｌｌと０以上のＳＣｅｌｌからなる。ＲＲＣ＿ＣＯＮＮＥＣＴＥＤ状態にあるがキャリア集成が設定されていないか、キャリア集成を支援しないＵＥの場合、ＰＣｅｌｌのみからなるサービングセルがたった一つ存在する。
【００９８】
上述したように、キャリア集成で使用されるセルという用語は、一つの基地局または一つのアンテナグループによって通信サービスが提供される一定の地理的領域を称するセルという用語とは区分される。つまり、一つのコンポーネントキャリアは、スケジューリングセル、スケジュールドセル、ＰＣｅｌｌ、ＳＣｅｌｌ、またはＰＳＣｅｌｌという用語で称される。但し、一定の地理的領域を称するセルとキャリア集成のセルを区分するために、本発明ではキャリア集成のセルをＣＣと称し、地理的領域のセルをセルと称する。
【００９９】
図１０は、クロスキャリアスケジューリング技法が適用される例を示す図である。クロスキャリアスケジューリングが設定されれば、第１ＣＣを介して伝送される制御チャネルはキャリア指示子フィールド（ｃａｒｒｉｅｒ  ｉｎｄｉｃａｔｏｒ  ｆｉｅｌｄ、ＣＩＦ）を利用して、第１ＣＣまたは第２ＣＣを介して伝送されるデータチャネルをスケジューリングする。ＣＩＦはＤＣＩ内に含まれる。言い換えると、スケジューリングセル（ｓｃｈｅｄｕｌｉｎｇ  ｃｅｌｌ）が設定され、スケジューリングセルのＰＤＣＣＨ領域から伝送されるＤＬグラント／ＵＬグラントは、被スケジューリングセル（ｓｃｈｅｄｕｌｅｄ  ｃｅｌｌ）のＰＤＳＣＨ／ＰＵＳＣＨをスケジューリングする。つまり、複数のコンポーネントキャリアに対する検索領域がスケジューリングセルのＰＤＣＣＨ領域が存在する。ＰＣｅｌｌは基本的にスケジューリングセルであり、特定ＳＣｅｌｌが上位階層によってスケジューリングセルと指定される。
【０１００】
図１０の実施例では、３つのＤＬ  ＣＣが併合されていると仮定する。ここで、ＤＬコンポーネントキャリア＃０はＤＬ  ＰＣＣ（または、ＰＣｅｌｌ）と仮定し、ＤＬコンポーネントキャリア＃１及びＤＬコンポーネントキャリア＃２はＤＬ  ＳＣＣ（または、ＳＣｅｌｌ）と仮定する。また、ＤＬ  ＰＣＣがＰＤＣＣＨモニタリングＣＣと設定されていると仮定する。端末−特定（または端末−グループ−特定、またはセル−特定）上位階層シグナリングによってクロスキャリアスケジューリングを構成しなければＣＩＦがディスエーブル（ｄｉｓａｂｌｅ）となり、それぞれのＤＬ  ＣＣはＮＲ  ＰＤＣＣＨ規則に従ってＣＩＦなしに自らのＰＤＳＣＨをスケジューリングするＰＤＣＣＨのみを伝送する（ノン−クロス−キャリアスケジューリング、セルフ−キャリアスケジューリング）。それに対し、端末−特定（または端末−グループ−特定、またはセル−特定）上位階層シグナリングによってクロスキャリアスケジューリングを構成すればＣＩＦがイネーブル（ｅｎｓａｂｌｅ）となり、特定のＣＣ（例えば、ＤＬ  ＰＣＣ）はＣＩＦを利用してＤＬ  ＣＣ  ＡのＰＤＳＣＨをスケジューリングするＰＤＣＣＨのみならず、他のＣＣのＰＤＳＣＨをスケジューリングするＰＤＣＣＨも伝送する（クロス−キャリアスケジューリング）。それに対し、他のＤＬ  ＣＣではＰＤＣＣＨが伝送されない。よって、端末は端末にクロスキャリアスケジューリングが構成されているのか否かに応じて、ＣＩＦを含まないＰＤＣＣＨをモニタリングしてセルフキャリアスケジューリングされたＰＤＳＣＨを受信するか、ＣＩＦを含むＰＤＣＣＨをモニタリングしてクロスキャリアスケジューリングされたＰＤＳＣＨを受信する。
【０１０１】
一方、図９及び図１０は、３ＧＰＰ  ＬＴＥ−Ａシステムのサブフレーム構造を例示しているが、これと同じまたは類似した構成が３ＧＰＰ  ＮＲシステムにも適用可能である。但し、３ＧＰＰ  ＮＲシステムにおいて、図９及び図１０のサブフレームはスロットに切り替えられる。
【０１０２】
図１１は、本開示の一実施例による端末と基地局の構成をそれぞれ示すブロック図である。本開示の実施例において、端末は携帯性と移動性が保障される多様な種類の無線通信装置、またはコンピューティング装置で具現される。端末はＵＥ（Ｕｓｅｒ  Ｅｑｕｉｐｍｅｎｔ）、ＳＴＡ（Ｓｔａｔｉｏｎ）、ＭＳ（Ｍｏｂｉｌｅ  Ｓｕｂｓｃｒｉｂｅｒ）などと称される。また、本開示の実施例において、基地局はサービス地域に当たるセル（例えば、マクロセル、フェムトセル、ピコセルなど）を制御及び管掌し、信号の送り出し、チャネルの指定、チャネルの監視、自己診断、中継などの機能を行う。基地局は、ｇＮＢ（ｎｅｘｔ  Ｇｅｎｅｒａｔｉｏｎ  ＮｏｄｅＢ）またはＡＰ（Ａｃｃｅｓｓ  Ｐｏｉｎｔ）などと称される。
【０１０３】
図示したように、本開示の一実施例による端末１００は、プロセッサ１１０、通信モジュール１２０、メモリ１３０、ユーザインタフェース１４０、及びディスプレイユニット１５０を含む。
【０１０４】
まず、プロセッサ１１０は多様な命令またはプログラムを実行し、端末１００内部のデータをプロセッシングする。また、プロセッサ１１０は端末１００の各ユニットを含む全体動作を制御し、ユニット間のデータの送受信を制御する。ここで、プロセッサ１１０は、本開示で説明した実施例による動作を行うように構成される。例えば、プロセッサ１１０はスロット構成情報を受信し、それに基づいてスロットの構成を判断して、判断されたスロット構成に応じて通信を行ってもよい。
【０１０５】
次に、通信モジュール１２０は、無線通信網を利用した無線通信、及び無線ＬＡＮを利用した無線ＬＡＮ接続を行う統合モジュールである。そのために、通信モジュール１２０は、セルラー通信インターフェースカード１２１、１２２、及び非免許帯域通信インターフェースカード１２３のような複数のネットワークインターフェースカード（ｎｅｔｗｏｒｋ  ｉｎｔｅｒｆａｃｅ  ｃａｒｄ、ＮＩＣ）を内蔵または外装の形に備える。図面において、通信モジュール１２０は一体型統合モジュールと図示されているが、それぞれのネットワークインターフェースカードは図面とは異なって、回路構成または用途に応じて独立して配置されてもよい。
【０１０６】
セルラー通信インターフェースカード１２１は、移動通信網を介して基地局２００、外部ディバイス、サーバのうち少なくとも一つと無線信号を送受信し、プロセッサ１１０の命令に基づいて第１周波数帯域によるセルラー通信サービスを提供する。一実施例によると、セルラー通信インターフェースカード１２１は、６ＧＨｚ未満の周波数帯域を利用する少なくとも一つのＮＩＣモジュールを含む。セルラー通信インターフェースカード１２１の少なくとも一つのＮＩＣモジュールは、該当ＮＩＣモジュールが支援する６ＧＨｚ未満の周波数帯域のセルラー通信規格またはプロトコールに応じて、独立して基地局２００、外部ディバイス、サーバのうち少なくとも一つとセルラー通信を行う。
【０１０７】
セルラー通信インターフェースカード１２２は、移動通信網を介して基地局２００、外部ディバイス、サーバのうち少なくとも一つと無線信号を送受信し、プロセッサ１１０の命令に基づいて第２周波数帯域によるセルラー通信サービスを提供する。一実施例によると、セルラー通信インターフェースカード１２２は、６ＧＨｚ以上の周波数帯域を利用する少なくとも一つのＮＩＣモジュールを含む。セルラー通信インターフェースカード１２２の少なくとも一つのＮＩＣモジュールは、該当ＮＩＣモジュールが支援する６ＧＨｚ以上の周波数帯域のセルラー通信規格またはプロトコールに応じて、独立して基地局２００、外部ディバイス、サーバのうち少なくとも一つとセルラー通信を行う。
【０１０８】
非免許帯域通信インターフェースカード１２３は、非免許帯域である第３周波数帯域を介して基地局２００、外部ディバイス、サーバのうち少なくとも一つと無線信号を送受信し、プロセッサ１１０の命令に基づいて非免許帯域の通信サービスを提供する。非免許帯域通信インターフェースカード１２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード１２３の少なくとも一つのＮＩＣモジュールは、該当ＮＩＣモジュールが支援する周波数帯域の非免許帯域通信規格またはプロトコールに応じて、独立してまたは従属して基地局２００、外部ディバイス、サーバのうち少なくとも一つと無線通信を行う。
【０１０９】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【０１１０】
次に、ユーザインタフェース１４０は、端末１００に備えられた多様な形態の入／出力手段を含む。つまり、ユーザインタフェース部１４０は多様な入力手段を利用してユーザの入力を受信し、プロセッサ１１０は受信されたユーザ入力に基づいて端末１００を制御する。また、ユーザインタフェース１４０は、多様な出力手段を利用してプロセッサ１１０の命令に基づく出力を行う。
【０１１１】
次に、ディスプレイユニット１５０は、ディスプレイ画面に多様なイメージを出力する。前記ディスプレイユニット１５０は、プロセッサ１１０によって実行されるコンテンツ、またはプロセッサ１１０の制御命令に基づいたユーザインタフェースなどの多様なディスプレイオブジェクトを出力する。
【０１１２】
また、本開示の実施例による基地局２００は、プロセッサ２１０、通信モジュール２２０、及びメモリ２３０を含む。
【０１１３】
まず、プロセッサ２１０は多様な命令またはプログラムを実行し、基地局２００内部のデータをプロセッシングする。また、プロセッサ２１０は基地局２００の各ユニットを含む全体動作を制御し、ユニット間のデータの送受信を制御する。ここで、プロセッサ２１０は、本開示で説明した実施例による動作を行うように構成される。例えば、プロセッサ２１０はスロット構成情報をシグナリングし、シグナリングしたスロット構成に応じて通信を行ってもよい。
【０１１４】
次に、通信モジュール２２０は、無線通信網を利用した無線通信、及び無線ＬＡＮを利用した無線ＬＡＮアクセスを行う統合モジュールである。そのために、通信モジュール１２０は、セルラー通信インターフェースカード２２１、２２２、及び非免許帯域通信インターフェースカード２２３のような複数のネットワークインターフェースカードを内蔵または外装の形に備える。図面において、通信モジュール２２０は一体型統合モジュールと図示されているが、それぞれのネットワークインターフェースカードは図面とは異なって、回路構成または用途に応じて独立して配置されてもよい。
【０１１５】
セルラー通信インターフェースカード２２１は、移動通信網を介して上述した端末１００、外部ディバイス、サーバのうち少なくとも一つと無線信号を送受信し、プロセッサ210の命令に基づいて第１周波数帯域によるセルラー通信サービスを提供する。一実施例によると、セルラー通信インターフェースカード２２１は、６ＧＨｚ未満の周波数帯域を利用する少なくとも一つのＮＩＣモジュールを含む。セルラー通信インターフェースカード２２１の少なくとも一つのＮＩＣモジュールは、該当ＮＩＣモジュールが支援する６ＧＨｚ未満の周波数帯域のセルラー通信規格またはプロトコールに応じて、独立して端末１００、外部ディバイス、サーバのうち少なくとも一つとセルラー通信を行う。
【０１１６】
セルラー通信インターフェースカード２２２は、移動通信網を介してした端末１００、外部ディバイス、サーバのうち少なくとも一つと無線信号を送受信し、プロセッサ２１０の命令に基づいて第２周波数帯域によるセルラー通信サービスを提供する。一実施例によると、セルラー通信インターフェースカード２２２は、６ＧＨｚ以上の周波数帯域を利用する少なくとも一つのＮＩＣモジュールを含む。セルラー通信インターフェースカード２２２の少なくとも一つのＮＩＣモジュールは、該当ＮＩＣモジュールが支援する６ＧＨｚ以上の周波数帯域のセルラー通信規格またはプロトコールに応じて、独立して端末１００、外部ディバイス、サーバのうち少なくとも一つとセルラー通信を行う。
【０１１７】
非免許帯域通信インターフェースカード２２３は、非免許帯域である第３周波数帯域を介して端末１００、外部ディバイス、サーバのうち少なくとも一つと無線信号を送受信し、プロセッサ２１０の命令に基づいて非免許帯域の通信サービスを提供する。非免許帯域通信インターフェースカード２２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード２２３の少なくとも一つのＮＩＣモジュールは、該当ＮＩＣモジュールが支援する周波数帯域の非免許帯域通信規格またはプロトコールに応じて、独立してまたは従属して端末１００、外部ディバイス、サーバのうち少なくとも一つと無線通信を行う。
【０１１８】
図１１に示した端末１００及び基地局２００は本開示の一実施例によるブロック図であって、分離して示したブロックはディバイスのエレメントを論理的に区別して図示したものである。よって、上述したディバイスのエレメントは、ディバイスの設計に応じて一つのチップまたは複数のチップで取り付けられる。また、端末１００の一部の構成、例えば、ユーザインタフェース部１４０及びディスプレイユニット１５０などは端末１００に選択的に備えられてもよい。また、ユーザインタフェース１４０及びディスプレイユニット１５０などは、基地局２００に必要によって追加に備えられてもよい。
【０１１９】
図１２は、本発明の実施例による無線通信システムで使用されるリソース−セットを示す図である。
【０１２０】
基地局は、端末が物理データチャネルの受信に使用し得るのかを指示するための時間−周波数資源のセットであるリソース−セット（Ｒｅｓｏｕｒｃｅ  Ｓｅｔ、ＲＥＳＥＴ）を使用する。詳しくは、基地局は、端末が物理データチャネルの受信に使用できない時間−周波数資源をシグナリングするためのリソース−セットを使用する。端末は、少なくとも初期セルアクセスのためのＲＲＣ信号を介し、少なくとも一つのＲＥＳＥＴに当たる時間−周波数資源を判断する。具体的な実施例において、基地局はＤＣＩのフィールドを使用してどのＲＥＳＥＴで端末が物理データチャネルを受信できないのかを指示する。説明の便宜上、ＲＥＳＥＴが物理データチャネルの受信に使用可能であるのかを指示するＤＣＩのフィールドをＲＥＳＥＴフィールドと称する。物理データチャネルの受信にレートマッチングが使用されれば、ＲＥＳＥＴフィールドはレートマッチング指示子（ｒａｔｅ−ｍａｔｃｈｉｎｇ  ｉｎｄｉｃａｔｏｒ）と称される。また、物理データチャネルの受信にパンクチュアリングが使用されれば、ＲＥＳＥＴフィールドはパンクチュアリング指示子（ｐｕｎｃｔｕｒｉｎｇ  ｉｎｄｉｃａｔｏｒ）と称される。基地局はＲＲＣ信号を使用して一つまたは複数のＲＥＳＥＴを指示する。詳しくは、基地局はＲＲＣ信号を使用してＲＥＳＥＴに当たる時間−周波数資源を指示する。また、基地局はＬ１シグナリングまたは物理データチャネルをスケジューリングするＤＣＩを使用し、一つまたは複数個のＲＥＳＥＴが物理データチャネルの受信に使用不可能であるのかを指示する。この際、基地局は一つまたは複数個のＲＥＳＥＴが物理データチャネルの受信に使用可能であるのかを指示するためのＤＣＩのフィールドの長さをＲＲＣ信号を使用してシグナリングする。また、基地局のＲＥＳＥＴ設定に応じて、ＲＥＳＥＴは上述したＣＯＲＥＳＥＴの全体または一部を含む。詳しくは、ＲＥＳＥＴはＣＯＲＥＳＥＴ単位で指定される。例えば、ＲＥＳＥＴは単一ＣＯＲＥＳＥＴまたは複数のＣＯＲＥＳＥＴ単位で指定されてもよい。
【０１２１】
端末は、端末の物理データチャネルの受信がスケジューリングされた時間−周波数資源と物理データチャネルの受信に使用不可能と指示されたＲＥＳＥＴに当たる時間−周波数資源がオーバーラップされる時間−周波数資源に基づいて物理データチャネルを受信する。この際、端末が物理データチャネルの受信がスケジューリングされた時間−周波数資源は、物理制御チャネルのＤＣＩによって端末の物理データチャネルの受信がスケジューリングされた時間−周波数資源を示す。詳しくは、物理データチャネルをスケジューリングするＤＣＩは、物理データチャネルの受信がスケジューリングされる時間−周波数資源の時間領域情報と周波数領域情報を介し、端末に物理データチャネルの受信がスケジューリングされる時間−周波数資源を指示する。この際、時間領域情報は物理データチャネルの受信がスケジューリングされるスロットの開始ＯＦＤＭシンボルのインデックスを含む。また、物理データチャネルをスケジューリングするＤＣＩは、端末の物理データチャネルの受信がスケジューリングされる時間−周波数資源は端末の物理データチャネルの受信がスケジューリングされる周波数帯域を示す情報を使用して指示する。この際、物理データチャネルの受信がスケジューリングされる周波数帯域を示す情報は、ＰＲＢまたはＰＲＢグループ（ｇｒｏｕｐ）単位で指示される。詳しくは、端末は、物理データチャネルの受信がスケジューリングされた時間−周波数資源のうちチャネルの受信に使用不可能と指示されたＲＥＳＥＴを除いた残りの時間−周波数資源を物理データチャネルを受信する資源として判断する。端末は、物理データチャネルをスケジューリングするＤＣＩによって端末の物理データチャネルの受信がスケジューリングされた時間−周波数資源を判断する。これを介し、端末はＲＲＣ信号と設定されたＲＥＳＥＴに当たる時間−周波数資源とＤＣＩで指示した物理データチャネルの受信がスケジューリングされた時間−周波数資源がオーバーラップされた時間−周波数資源を判断する。説明の便宜上、端末に設定されたＲＥＳＥＴに当たる時間−周波数資源と物理データチャネルの受信がスケジューリングされた時間−周波数資源がオーバーラップされた時間−周波数資源をオーバーラップ−リソース−セット（ｏｖｅｒｌａｐｐｅｄ−ｒｅｓｏｕｒｃｅ  ｓｅｔ、ｏｖｅｒｌａｐｐｅｄ−ＲＥＳＥＴ）と称する。物理データチャネルの受信に使用可能なＲＥＳＥＴに当たる時間−周波数資源と物理データチャネルの受信がスケジューリングされた時間−周波数資源がオーバーラップされなければ、端末は物理データチャネルの受信がスケジューリングされた時間−周波数資源全部で物理データチャネルの受信が可能であると判断する。詳しくは、物理データチャネルの受信に使用可能なＲＥＳＥＴに当たる時間−周波数資源と物理データチャネルの受信がスケジューリングされた時間−周波数資源がオーバーラップされれば、端末は物理データチャネルをスケジューリングするＤＣＩで伝送されるＲＥＳＥＴフィールドに基づいてレートマッチング行い、物理データチャネルを受信する。この際、端末は、物理データチャネルがスケジューリングされる時間−周波数資源でＲＥＳＥＴフィールドが物理���ータチャネルの受信が不可能であると指示するＲＥＳＥＴに当たる時間−周波数資源を除いた時間−周波数資源でレートマッチングを行い、物理データチャネルを受信する。他の具体的な実施例において、物理データチャネルの受信に使用不可能なＲＥＳＥＴに当たる時間−周波数資源と物理データチャネルの受信がスケジューリングされた時間−周波数資源がオーバーラップされれば、端末はＲＥＳＥＴフィールドに基づいてパンクチュアリングを行う。この際、端末は、物理データチャネルがスケジューリングされる時間−周波数資源でＲＥＳＥＴフィールドが物理データチャネルの受信が不可能であると指示するＲＥＳＥＴに当たる時間−周波数資源をパンクチュアリングし、物理データチャネルを受信する。また、物理データチャネルの受信に使用不可能なＲＥＳＥＴに当たる時間−周波数資源と物理データチャネルの受信がスケジューリングされた時間−周波数資源がオーバーラップされなければ、端末はＲＥＳＥＴフィールドの値に関係なく物理データチャネルの受信がスケジューリングされた時間−周波数資源全部で物理データチャネルの受信が可能であると判断する。
【０１２２】
前記説明によって、端末にＲＲＣ信号に応じて物理データチャネルの受信に使用不可能な時間−周波数資源が設定され、端末はＤＣＩで指示する該当時間−周波数のうち実際に物理データチャネルの受信に使用不可能な時間−周波数資源を判断する。もし、基地局がＲＲＣ信号のみで物理データチャネルの受信に使用不可能な時間−周波数資源を設定すれば、資源の使用可能可否は時間が過ぎると共に変更されるため、該当資源が実際に物理データチャネルの受信に使用可能な状況にあっても常にその資源を使用できない可能性がある。よって、周波数容量（ｓｐｅｃｉａｌ  ｅｆｆｉｃｉｅｎｃｙ）が低下する恐れがある。もし、基地局がＤＣＩのみで物理データチャネルの受信に使用してはいけない時間−周波数資源を指示すれば、基地局はＤＣＩを介してその都度物理データチャネルの受信が不可能な時間−周波数資源に関する全ての情報をシグナリングしなければならないため、物理制御チャネルのオーバーヘッドが増加する恐れがある。よって、本発明の方式によって、基地局はＲＲＣ信号でＤＣＩの組み合わせを介して周波数容量を増加するか、物理制御チャネルのオーバーヘッドを減少させる。
【０１２３】
図１２の実施例において、ＲＲＣ信号によってｎ番目のスロットに第１ＲＥＳＥＴ（ＲＥＳＥＴ＃１）と第２ＲＥＳＥＴ（ＲＥＳＥＴ＃２）が設定される。図１２（ａ）の実施例において、ＤＣＩによって端末のＰＤＳＣＨ受信がスケジューリングされた時間−周波数資源と第１ＲＥＳＥＴ（ＲＥＳＥＴ＃１）の一部がオーバーラップされる。よって、端末はＤＣＩによって端末のＰＤＳＣＨ受信がスケジューリングされた時間−周波数資源と第１ＲＥＳＥＴ（ＲＥＳＥＴ＃１）がオーバーラップされる時間−周波数資源をオーバーラップ−リソース−セットと判断する。図１２（ｂ）の実施例において、ＤＣＩによって端末のＰＤＳＣＨ受信がスケジューリングされた時間−周波数資源と第１ＲＥＳＥＴ（ＲＥＳＥＴ＃１）の一部がオーバーラップされる。また、ＤＣＩによって端末のＰＤＳＣＨ受信がスケジューリングされた時間−周波数資源と第２ＲＥＳＥＴ（ＲＥＳＥＴ＃２）の一部がオーバーラップされる。よって、端末はＤＣＩによって端末のＰＤＳＣＨ受信がスケジューリングされた時間−周波数資源と第１ＲＥＳＥＴ（ＲＥＳＥＴ＃１）及び第２ＲＥＳＥＴ（ＲＥＳＥＴ＃２）がそれぞれオーバーラップされる時間−周波数資源をオーバーラップ−リソース−セットと判断する。
【０１２４】
端末は、端末に設定（ｃｏｎｆｉｇｕｒｅ）されていないＲＥＳＥＴが現在のスロットで占める時間−周波数資源を判断することができないか、別途のシグナリングを介してのみ判断することができる。また、端末は未来のスロットで端末に設定されたＲＥＳＥＴが物理データチャネルを受信できるのかを判断することが難しい可能性がある。また、端末は未来のスロットで端末に設定されたＲＥＳＥＴに含まれたＣＯＲＥＳＥＴに動的に（ｄｙｍａｎｉｃａｌｌｙ）割り当てられる物理制御チャネルが占める時間−周波数資源を判断することが難しい可能性がある。結局、端末は端末が物理データチャネルを受信すべき時間−周波数資源を判断することが難しい可能性がある。よって、端末は物理データチャネルの伝送が始まるＯＦＤＭシンボルの位置を示す開始シンボル情報を基地局から受信する。詳しくは、端末は物理データチャネルをスケジューリングするＤＣＩを介して基地局から開始シンボル情報を受信する。物理データチャネルの伝送が始まる開始シンボルと指定可能なＯＦＤＭシンボルの位置がＫ個であれば、基地局はｃｅｉｌ（ｌｏｇ２Ｋ）ビットを使用して開始シンボル情報を伝送する。この際、ｃｅｉｌ（ｘ）はｘと同じであるか大きい数のうち最も小さい整数を示す。この際、開始シンボルはスロット別に指定される。また、端末は開始シンボル情報に基づいて物理データチャネルの伝送が始まるＯＦＤＭシンボルの位置を判断する。例えば、開始シンボルと指定可能なＯＦＤＭシンボルがスロットの最初のＯＦＤＭシンボルから４番目のＯＦＤＭシンボルのうちいずれか一つであれば、基地局はＤＣＩの２ビットを使用して開始シンボル情報を伝送する。この際、ＤＣＩの開始シンボル情報に当たる２ビットの値が００ｂであれば、端末は開始シンボルをスロットの最初のＯＦＤＭシンボルと判断する。また、ＤＣＩの開始シンボル情報に当たる２ビットの値が０１ｂであれば、端末は開始シンボルをスロットの２番目のＯＦＤＭシンボルと判断する。また、ＤＣＩの開始シンボル情報に当たる２ビットの値が１０ｂであれば、端末は開始シンボルをスロットの３番目のＯＦＤＭシンボルと判断する。また、ＤＣＩの開始シンボル情報に当たる２ビットの値が１１ｂであれば、端末は開始シンボルをスロットの４番目のＯＦＤＭシンボルと判断する。端末は開始シンボル情報に基づいて物理データチャネルを受信する。詳しくは、端末は開始シンボル情報に基づいて物理データチャネルの受信を始める時間−周波数資源を決定する。図１３乃至図２４を介して、端末がデータチャネルを受信する方法について説明する。詳しくは、端末が物理データチャネルを受信する時間−周波数資源を判断する方法について説明する。
【０１２５】
図１３は、本発明の実施例による無線通信システムにおいてＰＤＳＣＨが伝送される時間−周波数資源領域を示す図である。
【０１２６】
基地局は、端末にシグナリングされる開始シンボル情報を開始シンボル情報に当たるスロットで物理データチャネルがスケジューリングされた時間−周波数資源とオーバーラップされるＲＥＳＥＴ（ｓ）に基づいて決定する。詳しくは、基地局は開始シンボル情報に当たるスロットで物理データチャネルがスケジューリングされた時間−周波数資源とオーバーラップされるＲＥＳＥＴ（ｓ）に当たる時間−周波数資源のうち最も遅い時間資源（つまり、ＲＥＳＥＴ（ｓ）の最後のＯＦＤＭシンボル）に基づいて決定する。この際、基地局は、ＲＲＣ設定（ｃｏｎｆｉｇｕｒａｔｉｏｎ）を介して端末に設定されたＲＥＳＥＴの時間−周波数資源に基づいて端末に設定された物理データチャネルを受信不可能なＲＥＳＥＴとオーバーラップしないように物理データチャネルの開始シンボル情報を決定する。物理データチャネルがスケジューリングされた周波数帯域に当たる時間−周波数資源とＲＥＳＥＴがオーバーラップされなければ、基地局は該当周波数帯域の最初のＯＦＤＭシンボルから物理データチャネル伝送を始める。詳しくは、ＲＥＳＥＴが設定されていない周波数帯域がスロットにあれば、基地局は該当周波数帯域の最初のＯＦＤＭシンボルから物理データチャネル伝送を始める。図１２は、ｎ番目のスロットの７個のＯＦＤＭシンボルを示す。図１２の実施例において、ｎ番目のスロットには第１ＲＥＳＥＴ（ＲＥＳＥＴ＃１）及び第２ＲＥＳＥＴ（ＲＥＳＥＴ＃２）が設定される。周波数領域において、端末のＰＤＳＣＨ受信がスケジューリングされた時間−周波数資源と第１ＲＥＳＥＴ（ＲＥＳＥＴ＃１）はオーバーラップされるが、第２ＲＥＳＥＴ（ＲＥＳＥＴ＃２）はオーバーラップされない。また、第１ＲＥＳＥＴ（ＲＥＳＥＴ＃１）はｎ番目のスロットの２番目のＯＦＤＭシンボルで終了するため、基地局はｎ番目のスロットの３番目のシンボルからＰＤＳＣＨ伝送を始める。この際、基地局はＤＣＩの開始シンボル情報を示すフィールドの値を１０ｂに設定する。
【０１２７】
端末の物理データチャネル受信がスケジューリングされた時間−周波数資源のうち少なくとも一部がＲＥＳＥＴとオーバーラップされれば、基地局は該当ＲＥＳＥＴの最後のＯＦＤＭシンボルの次のＯＦＤＭシンボルを開始シンボルと指定する。端末は、端末に設定された物理データチャネルを受信不可能なＲＥＳＥＴに当たるＯＦＤＭシンボルでは物理データチャネルの受信を期待しない。また、端末は、端末に設定された物理データチャネルを受信不可能なＲＥＳＥＴの最後のＯＦＤＭシンボルの次のＯＦＤＭシンボルから物理データチャネルの受信を期待する。詳しくは、端末は、端末に設定された物理データチャネルを受信不可能なＲＥＳＥＴの最後のＯＦＤＭシンボルの次のＯＦＤＭシンボルから物理データチャネルを受信する。
【０１２８】
このような実施例の場合、他の用途に使用されない時間−周波数資源であるにもかかわらず、物理データチャネルの伝送に使用できない可能性がある。時間−周波数資源を最大に活用するために、端末は、端末の物理データチャネルの受信がスケジューリングされた周波数帯域のうち端末に設定された物理データチャネルを受信不可能なＲＥＳＥＴとオーバーラップされる周波数帯域と、端末に物理データチャネルを受信不可能な設定されたＲＥＳＥＴとオーバーラップされない帯域を区分して、物理データチャネルの受信開始時点を判断する。また、基地局は、端末に設定されていないＲＥＳＥＴ（ｓ）に当たるＯＦＤＭシンボルのうち最後のＯＦＤＭシンボルに基づいて開始シンボル情報を指定する。それについては図１４を介して説明する。
【０１２９】
図１４は、本発明の実施例による無線通信システムにおいてＰＤＳＣＨが伝送される時間−周波数資源領域を示す図である。
【０１３０】
上述したように、端末は、端末の物理データチャネルの受信がスケジューリングされた周波数帯域のうち端末に設定された物理データチャネルを受信不可能なＲＥＳＥＴとオーバーラップされる周波数帯域と、端末に設定されたＲＥＳＥＴとオーバーラップされない周波数帯域を区分して、物理データチャネルの受信開始時点を判断する。また、基地局は、端末に設定されていないＲＥＳＥＴ（ｓ）に当たるＯＦＤＭシンボルのうち最後のＯＦＤＭシンボルに基づいて開始シンボル情報を指定する。詳しくは、基地局は、端末に設定されていないＲＥＳＥＴ（ｓ）に当たるＯＦＤＭシンボルのうち最後のＯＦＤＭシンボルの次のＯＦＤＭシンボルを開始シンボルと指示する。具体的な実施例において、端末の物理データチャネルの受信がスケジューリングされた周波数帯域のうち、端末に設定された物理データチャネルの受信が不可能なＲＥＳＥＴとオーバーラップされる周波数帯域において、端末は端末に設定された物理データチャネルの受信が不可能なＲＥＳＥＴの最後のＯＦＤＭシンボルの次のＯＦＤＭシンボルから物理データチャネルの受信を期待する。また、物理データチャネルの受信がスケジューリングされた周波数帯域のうち、端末に設定された物理データチャネルの受信が不可能なＲＥＳＥＴとオーバーラップされない周波数帯域において、端末は開始シンボル情報が指示するＯＦＤＭシンボルから物理データチャネルの受信を期待する。物理データチャネルの開始シンボルを指示する理由は、端末は端末に設定された物理データチャネルの受信が不可能なＲＥＳＥＴは判断できるが、他の端末に設定されたＲＥＳＥＴを判断することはできないためである。
【０１３１】
図１４は、ｎ番目のスロットの７個のＯＦＤＭシンボルを示す。図１４の実施例において、ｎ番目のスロットには第１ＲＥＳＥＴ（ＣＯＲＥＳＥＴ＃１）及び第２ＲＥＳＥＴ（ＣＯＲＥＳＥＴ＃２）が設定される。この際、第１ＲＥＳＥＴ（ＣＯＲＥＳＥＴ＃１）は、端末に設定されたＰＤＳＣＨの受信が不可能なＲＥＳＥＴであり、第２ＲＥＳＥＴ（ＲＥＳＥＴ＃２）は、他の端末に設定されたＲＥＳＥＴである。端末のＰＤＳＣＨ受信がスケジューリングされた第１ＲＥＳＥＴ（ＲＥＳＥＴ＃１）はオーバーラップされるが、第２ＲＥＳＥＴ（ＲＥＳＥＴ＃２）はオーバーラップされない。この際、第１ＲＥＳＥＴ（ＲＥＳＥＴ＃１）の最後のＯＦＤＭシンボルはｎ番目のスロットの２番目のＯＦＤＭシンボルである。また、第２ＲＥＳＥＴ（ＲＥＳＥＴ＃２）の最後のＯＦＤＭシンボルはｎ番目のスロットの最初のＯＦＤＭシンボルである。図１４（ａ）の実施例において、基地局は、端末に設定されていない第２ＲＥＳＥＴ（ＲＥＳＥＴ＃２）の最後のシンボルの次のＯＦＤＭシンボルである２番目のＯＦＤＭシンボルを開始シンボルと指定する。この際、開始シンボル情報に当たるＤＣＩフィールドの値は０１ｂである。端末のＰＤＳＣＨ受信がスケジューリングされた周波数帯域のうち第１ＲＥＳＥＴ（ＲＥＳＥＴ＃１）とオーバーラップされる周波数帯域において、端末は第１ＲＥＳＥＴ（ＲＥＳＥＴ＃１）の最初のＯＦＤＭシンボルの次のＯＦＤＭシンボルからＰＤＳＣＨ受信を始める。また、端末のＰＤＳＣＨ受信がスケジューリングされた周波数帯域のうち第１ＲＥＳＥＴ（ＲＥＳＥＴ＃１）とオーバーラップされない周波数帯域において、端末は開始シンボル情報が指示するＯＦＤＭシンボルである２番目のＯＦＤＭシンボルからＰＤＳＣＨ受信を始める。
【０１３２】
他の具体的な実施例において、基地局は、端末の物理データチャネルの受信がスケジューリングされた時間−周波数資源と端末に設定されていないＲＥＳＥＴ（ｓ）がオーバーラップされれば、端末に設定されていないＲＥＳＥＴ（ｓ）の最後のＯＦＤＭシンボルの次のＯＦＤＭシンボルを開始シンボルと指示する。端末の物理データチャネル受信がスケジューリングされた時間−周波数資源とオーバーラップされる、端末に設定されていないＲＥＳＥＴがなければ、基地局はスロットの最初のＯＦＤＭシンボルを開始シンボルと指定する。図１４（ｂ）の実施例において、端末のＰＤＳＣＨ受信がスケジューリングされたＰＲＢとオーバーラップされ、端末に設定されていないＲＥＳＥＴがないため、基地局は最初のＯＦＤＭシンボルを開始シンボルと指定する。この際、開始シンボルに当たるＤＣＩフィールドの値は００ｂである。端末のＰＤＳＣＨ受信がスケジューリングされた周波数帯域のうち第１ＲＥＳＥＴ（ＲＥＳＥＴ＃１）とオーバーラップされる周波数帯域において、端末は第１ＲＥＳＥＴ（ＲＥＳＥＴ＃１）の最後のＯＦＤＭシンボルの次のＯＦＤＭシンボルからＰＤＳＣＨモニタリングを始める。また、端末のＰＤＳＣＨ受信がスケジューリングされた周波数帯域のうち第１ＲＥＳＥＴ（ＲＥＳＥＴ＃１）とオーバーラップされない周波数帯域において、端末は開始シンボル情報が指示するＯＦＤＭシンボルである最初のＯＦＤＭシンボルからＰＤＳＣＨ受信を始める。
【０１３３】
ＲＥＳＥＴが含むＣＯＲＥＳＥＴに当たる時間−周波数資源のうち一部のみが物理データチャネルの伝送に使用される。また、端末は、端末に設定された物理データチャネルの受信が不可能なＲＥＳＥＴに当たる時間−周波数資源のうち、端末の物理制御チャネルが伝送される時間−周波数資源を判断する。よって、ＲＥＳＥＴに当たる時間−周波数資源のうち、物理制御チャネルの伝送に使用されない周波数資源は物理データチャネルの伝送に使用される。この際、端末は、端末に設定された物理データチャネルの受信が不可能なＲＥＳＥＴに当たる時間−周波数資源のうち、物理制御チャネルを受信した時間−周波数資源で物理データチャネルが伝送されないことを仮定する。端末は、該当時間−周波数資源を除いて残りの時間−周波数資源でレートマッチングを行うか、該当時間−周波数資源をパンクチュアリングして物理データチャネルを受信する。それについては、図１５乃至図１６を介して説明する。
【０１３４】
図１５乃至図１６は、本発明の実施例による無線通信システムの端末が端末に設定されたＲＥＳＥＴでＰＤＳＣＨを受信することを示す図である。
【０１３５】
端末に設定された物理データチャネルの受信が不可能なＲＥＳＥＴとオーバーラップされるのか否かとは関係なく、端末は端末の物理データチャネルの受信がスケジューリングされた周波数帯域で開始シンボル情報が指示するＯＦＤＭシンボルから物理データチャネルを受信する。この際、端末は、端末に設定されたＲＥＳＥＴがＣＯＲＥＳＥＴを含み、そのＣＯＲＥＳＥＴで物理制御チャネルを受信すれば、その物理制御チャネルの伝送に使用される時間−周波数資源をパンクチュアリングして物理データチャネルを受信する。また、端末に設定されたＲＥＳＥＴがＣＯＲＥＳＥＴを含み、端末が該当ＣＯＲＥＳＥＴで物理制御チャネルを受信すれば、端末は該当物理制御チャネルの伝送に使用される時間−周波数資源を除いた残りの時間−周波数資源でレートマッチングを行って物理データチャネルを受信する。
【０１３６】
図１５乃至図１６は、ｎ番目のスロットの７個のＯＦＤＭシンボルを示す。図１５乃至図１６の実施例において、ｎ番目のスロットには第１ＲＥＳＥＴ（ＲＥＳＥＴ＃１）及び第２ＲＥＳＥＴ（ＲＥＳＥＴ＃２）が設定される。この際、第１ＲＥＳＥＴ（ＲＥＳＥＴ＃１）は、端末に設定されたＰＤＳＣＨの受信が不可能なＲＥＳＥＴであり、第２ＲＥＳＥＴ（ＲＥＳＥＴ＃１）は、他の端末に設定されたＲＥＳＥＴである。端末のＰＤＳＣＨ受信がスケジューリングされたＰＲＢと第１ＲＥＳＥＴ（ＲＥＳＥＴ＃１）はオーバーラップされるが、第２ＲＥＳＥＴ（ＲＥＳＥＴ＃２）はオーバーラップされない。この際、第１ＲＥＳＥＴ（ＲＥＳＥＴ＃１）の最後のＯＦＤＭシンボルはｎ番目のスロットの２番目のＯＦＤＭシンボルである。また、第２ＲＥＳＥＴ（ＲＥＳＥＴ＃２）の最後のＯＦＤＭシンボルはｎ番目のスロットの最初のＯＦＤＭシンボルである。図１５の実施例において、端末のＰＤＳＣＨ受信がスケジューリングされた周波数帯域で開始シンボル情報が指示する２番目のＯＦＤＭシンボルからＰＤＳＣＨを受信する。この際、端末は、端末に設定されたＲＥＳＥＴでＰＤＣＣＨの伝送に使用されるＰＲＢをパンクチュアリングしてＰＤＳＣＨを受信する。
【０１３７】
他の具体的な実施例において、端末は物理データチャネルの受信がスケジューリングされた周波数帯域のうち、端末に設定された物理データチャネルの受信が不可能なＲＥＳＥＴとオーバーラップされる周波数帯域の最初のＯＦＤＭシンボルから物理データチャネルを受信する。この際、端末は、端末に設定されたＲＥＳＥＴで物理制御チャネルの伝送に使用される時間−周波数資源をパンクチュアリングして物理データチャネルを受信する。また、端末は端末に設定されたＲＥＳＥＴで物理制御チャネルの伝送に使用される時間−周波数資源を除いた残りの時間−周波数資源でレートマッチングを行って物理データチャネルを受信する。物理データチャネルの受信がスケジューリングされた周波数帯域のうち、端末に設定された物理データチャネルの受信が不可能なＲＥＳＥＴとオーバーラップされない周波数帯域において、端末は開始シンボル情報が指示するＯＦＤＭシンボルから物理データチャネルを受信する。
【０１３８】
図１６の実施例において、端末は、端末のＰＤＳＣＨの受信がスケジューリングされた周波数帯域のうち、端末に設定されたＰＤＳＣＨの受信が不可能なＲＥＳＥＴとオーバーラップされる周波数帯域の最初のＯＦＤＭシンボルからＰＤＳＣＨを受信する。この際、端末は、端末に設定されたＰＤＳＣＨの受信が不可能なＲＥＳＥＴでＰＤＣＣＨの伝送に使用されるＰＲＢをパンクチュアリングしてＰＤＳＣＨを受信する。また、端末は、端末に設定されたＰＤＳＣＨの受信が不可能なＲＥＳＥＴでＰＤＣＣＨの伝送に使用されるＰＲＢを除いた残りの時間−周波数資源でレートマッチングを行い、ＰＤＳＣＨを受信する。また、端末のＰＤＳＣＨ受信がスケジューリングされた周波数帯域のうち端末に設定されたＰＤＳＣＨの受信が不可能なＲＥＳＥＴとオーバーラップされない周波数帯域において、端末は開始シンボル情報が指示する２番目のＯＦＤＭシンボルからＰＤＳＣＨをモニタリングする。
【０１３９】
このような実施例において、基地局は図１３乃至図１４を介して説明した実施例によって開始シンボルを設定する。
【０１４０】
基地局は一つのスロットを複数の周波数帯域に区分し、複数の周波数帯域それぞれに開始シンボルをシグナリングする。基地局は、複数の開始シンボルにそれぞれ当たる複数の開始シンボル情報をＤＣＩを介してシグナリングする。この際、端末は複数の開始シンボル情報に基づいて物理データチャネルを受信する。一つのスロットにおいて、複数のＲＥＳＥＴ（ｓ）が設定され、複数のＲＥＳＥＴ（ｓ）が互いに異なるＰＲＢとＯＦＤＭシンボルに設定されるためである。この際、基地局は、該当周波数帯域で端末の物理データチャネルの受信がスケジューリングされた時間−周波数資源とオーバーラップされる物理データチャネルの受信が不可能なＲＥＳＥＴ（ｓ）の最後のＯＦＤＭシンボルのうち最も遅いＯＦＤＭシンボルに基づいて該当周波数帯域の開始シンボルを設定する。詳しくは、基地局は、該当周波数帯域で端末の物理データチャネルの受信がスケジューリングされた時間−周波数資源とオーバーラップされる物理データチャネルの受信が不可能なＲＥＳＥＴ（ｓ）の最後のＯＦＤＭシンボルのうち最も遅いＯＦＤＭシンボルの次のＯＦＤＭシンボルを該当周波数帯域の開始シンボルと設定する。この際、該当周波数帯域で端末の物理データチャネルの受信がスケジューリングされた時間−周波数資源とオーバーラップされる物理データチャネルの受信が不可能なＲＥＳＥＴ（ｓ）がなければ、基地局は最初のＯＦＤＭシンボルを該当周波数帯域の開始シンボルと設定する。
【０１４１】
また、端末は、該当周波数帯域において、端末に設定された物理データチャネルの受信が不可能なＲＥＳＥＴまたは端末に伝送される物理データチャネルとオーバーラップされる端末の物理データチャネルの受信がスケジューリングされた時間−周波数資源に基づいて物理データチャネルの受信を始める。具体的な実施例において、端末は該当周波数帯域の開始シンボルとは関係なく、該当周波数帯域で端末の物理データチャネルの受信がスケジューリングされた時間−周波数資源とオーバーラップされる端末に設定された物理データチャネルの受信が不可能なＲＥＳＥＴの最後のＯＦＤＭシンボルの次のＯＦＤＭシンボルから物理データチャネルを受信する。他の具体的な実施例において、端末は該当周波数帯域の開始シンボルとは関係なく、該当周波数帯域で端末の物理データチャネルの受信がスケジューリングされた時間−周波数資源とオーバーラップされる端末に伝送される物理制御チャネルの最後のＯＦＤＭシンボルの次のＯＦＤＭシンボルから物理データチャネルを受信する。
【０１４２】
基地局は、物理制御チャネルと該当物理制御チャネルによってスケジューリングされた物理データチャネルを互いに異なるスロットを介して伝送する。このようなスケジューリング方式をクロス−スロット（ｃｒｏｓｓ−ｓｌｏｔ）スケジューリングと称する。例えば、基地局はｎ番目のスロットのＣＯＲＥＳＥＴで物理制御チャネルを伝送する。この際、物理制御チャネルはｎ＋ｋ番目のスロットの物理データチャネルをスケジューリングする。この際、ｎは自然数であり、ｋは１より大きい自然数である。端末に設定されたＣＯＲＥＳＥＴにマッピングされる物理制御チャネルが占める（ｏｃｃｕｐｙ）時間−周波数資源の位置はスロットごとに異なり得る。基地局の物理制御チャネル割当によってＣＯＲＥＳＥＴが物理データチャネルに使用されるのか否かが決められるため、該当ＣＯＲＥＳＥＴを含むＲＥＳＥＴが物理データチャネルの受信が不可能であるのか否かはスロットごとに異なり得る。よって、クロス−スロットスケジューリングが行われる際、基地局または端末がクロス−スロットスケジューリングよってスケジューリングされる物理データチャネルが伝送されるスロットで物理データチャネルの伝送に使用される時間−周波数資源を判断することが難しい可能性がある。よって、クロス−スロットスケジューリングが使用される際、物理データチャネルに当たる開始シンボルの設定方法及びシグナリング方法が問題になる。それについては図１７を介して説明する。
【０１４３】
図１７は、本発明の実施例による無線通信システムにおいてクロス−スロットスケジューリングが行われる際、端末がＰＤＳＣＨを受信することを示す図である。
【０１４４】
クロス−スロットスケジューリングによって物理データチャネルがスケジューリングされれば、開始シンボルの位置は物理データチャネルが伝送されるスロットの特定ＯＦＤＭシンボルと固定される。この際、特定ＯＦＤＭシンボルは端末に設定されたＲＥＳＥＴの最後のＯＦＤＭシンボルに基づいて設定される。詳しくは、特定ＯＦＤＭシンボルは端末に設定されたＲＥＳＥＴの最後のＯＦＤＭシンボルの次のＯＦＤＭシンボルである。例えば、端末に設定されたＲＥＳＥＴの最後のシンボルが該当スロットの３番目のＯＦＤＭシンボルであれば、特定ＯＦＤＭシンボルは４番目のＯＦＤＭシンボルである。基地局は、特定ＯＦＤＭシンボルをＲＲＣ信号または周期的に伝送されるシステム情報を介してシグナリングする。この際、端末は、ＲＲＣ信号またはシステム情報に基づいてクロス−スロットスケジューリングによってスケジューリングされた物理データチャネルに当たる開始シンボルを判断する。また、クロス−スロットスケジューリングによってスケジューリングされた物理データチャネルに当たる開始シンボルは、複数の周波数帯域別に設定される。詳しくは、クロス−スロットスケジューリングによってスケジューリングされた物理データチャネルに当たる開始シンボルは、ＰＲＢ別にまたは連続した特定個数のＰＲＢごとに設定される。他の具体的な実施例において、クロス−スロットスケジューリングによってスケジューリングされた物理データチャネルに当たる開始シンボルは、セルの全ての全ての周波数帯域に共通に設定される。また他の具体的な実施例において、基地局はクロス−スロットスケジューリングを行う物理制御チャネルのＤＣＩを介して開始シンボルをシグナリングする。
【０１４５】
端末は、クロス−スロットスケジューリングによって物理データチャネルがスケジューリングされる時間−周波数資源から、物理データチャネルがスケジューリングされる時間−周波数資源とＲＥＳＥＴがオーバーラップされる時間−周波数資源が除かれた時間−周波数資源でレートマッチングを行って物理データチャネルを受信する。また、端末は、クロス−スロットスケジューリングによって物理データチャネルがスケジューリングされる時間−周波数資源で、物理データチャネルがスケジューリングされる時間−周波数資源とＲＥＳＥＴがオーバーラップされる時間−周波数資源をパンクチュアリングして物理データチャネルを受信する。その他、端末が物理データチャネルを受信する動作は図１７の以前に説明した実施例が適用される。
【０１４６】
上述したように、物理データチャネルをスケジューリングするＤＣＩは、ＲＥＳＥＴフィールドを使用してＲＥＳＥＴが物理データチャネルの受信に使用されるのか否かを指示する。この際、ＲＥＳＥＴフィールドは前記用途ではない他の用途で使用される。詳しくは、クロス−スロットスケジューリングによって物理データチャネルがスケジューリングされれば、ＲＥＳＥＴフィールドはどのスロットに物理データチャネルがスケジューリングされるのかを指示する。クロス−スロットスケジューリングによって未来のスロットに物理データチャネルがスケジューリングされれば、クローズスケジューリングの際に基地局が物理データチャンネルがスケジューリングされるスロットでどのＲＥＳＥＴが使用できないのかを判断することが難しいためである。ＲＥＳＥＴフィールドが他の用途に使用されれば、端末は設定されたＲＥＳＥＴに当たる時間−周波数資源が物理データチャネルに使用できないと仮定する。
【０１４７】
図１７の実施例において、ｎ番目のスロットで伝送されるＰＤＣＣＨはｎ＋１番目のスロットで伝送されるＰＤＳＣＨをスケジューリングする。該当セル内の全ての周波数帯域でクロス−スロットスケジューリングによってスケジューリングされたＰＤＳＣＨを受信する際に使用される開始シンボルの位置は、ＰＤＳＣＨと周波数帯域で重なるＲＥＳＥＴ＃１の最後のシンボルの次のシンボルである３番目のＯＦＤＭシンボルである。よって、端末はｎ＋１番目のスロットから３番目のスロットからＰＤＳＣＨの受信を始める。また、ＲＥＳＥＴフィールドはＰＤＳＣＨがｎ＋１番目のスロットにスケジューリングされることを指示する。よって、端末はｎ＋１番目のスロットから３番目のスロットからＰＤＳＣＨの受信を始める。
【０１４８】
基地局は、一つの物理制御チャネルを使用して複数のスロットで伝送されるＰＤＳＣＨをスケジューリングする。このようなスケジューリング方式をスロット−結合（ｓｌｏｔ−ａｇｇｒｅｇａｔｉｏｎ）基盤スケジューリングと称する。例えば、基地局はｎ番目のスロットのＲＥＳＥＴで物理制御チャネルを伝送する。この際、物理制御チャネルはｎ番目のスロット、ｎ＋１番目のスロット、…、ｎ＋ｋ番目のスロットの物理データチャネルをスケジューリングする。この際、ｎは自然数であり、ｋは１より大きい自然数である。端末に設定されたＲＥＳＥＴにマッピングされる物理制御チャネルが占める時間−周波数資源の位置はスロットごとに異なり得る。よって、スロット−結合基盤スケジューリングが行われる際、基地局または端末がスロット−結合基盤スケジューリングよってスケジューリングされる物理データチャネルが伝送されるスロットで物理データチャネルが伝送に使用可能な時間−周波数資源を判断することが難しい可能性がある。よって、スロット−結合基盤スケジューリングが使用される際、物理制御チャネルに当たる開始シンボルの設定方法及びシグナリング方法が問題になる。それについては、図１８乃至図１９を介して説明する。
【０１４９】
図１８乃至図１９は、本発明の実施例による無線通信システムにおいてスロット−結合基盤スケジューリングが行われる際、端末がＰＤＳＣＨを受信することを示す図である。
【０１５０】
物理データチャネルが複数の未来のスロットにスケジューリングされれば、端末は該当複数のスロットで同じＯＦＤＭシンボルの位置に基づいて物理データチャネルの受信を始める。詳しくは、スロット−結合基盤スケジューリングによって物理データチャネルがスケジューリングされれば、端末はスロット−結合基盤スケジューリングスケジューリングによってスケジューリングされる物理データチャネルが伝送される全てのスロットで同じＯＦＤＭシンボルの位置に基づいて物理データチャネルの受信を始める。詳しくは、スロット−結合基盤スケジューリングによって物理データチャネルがスケジューリングされれば、スロット−結合基盤スケジューリングスケジューリングによってスケジューリングされる物理データチャネルが伝送される全てのスロットに当たる開始シンボルの位置は、該当物理データチャネルが伝送されるスロットの同じ特定ＯＦＤＭシンボルと設定される。この際、特定ＯＦＤＭシンボルは各スロットでＲＥＳＥＴが位置し得る最後のＯＦＤＭシンボルに基づいて設定される。詳しくは、特定ＯＦＤＭシンボルは端末に設定されたＲＥＳＥＴの最後のＯＦＤＭシンボルの次のＯＦＤＭシンボルである。例えば、設定されたＲＥＳＥＴの最後のシンボルが該当スロットの３番目のＯＦＤＭシンボルであれば、特定ＯＦＤＭシンボルは４番目のＯＦＤＭシンボルである。基地局は、特定ＯＦＤＭシンボルをＲＲＣ信号または周期的に伝送されるシステム情報を介してシグナリングする。この際、端末は、ＲＲＣ信号またはシステム情報に基づいてスロット−結合基盤スケジューリングによってスケジューリングされた物理データチャネルが伝送される全てのスロットに当たる開始シンボルを判断する。また、スロット−結合基盤スケジューリングによってスケジューリングされた物理データチャネルが伝送される全てのスロットに当たる開始シンボルは、複数の周波数帯域別に設定される。詳しくは、スロット−結合基盤スケジューリングによってスケジューリングされた物理データチャネルが伝送される全てのスロットに当たる開始シンボルは、ＰＲＢ別にまたは連続した特定個数のＰＲＢごとに設定される。他の具体的な実施例において、スロット−結合基盤スケジューリングによってスケジューリングされた物理データチャネルに伝送される全てのスロットに当たる開始シンボルは、セルの全ての周波数帯域に共通に設定される。また他の具体的な実施例において、基地局はスロット−結合基盤スケジューリングを行う物理制御チャネルのＤＣＩを介して開始シンボルをシグナリングする。
【０１５１】
複数の未来のスロットに物理データチャネルがスケジューリングされれば、端末が複数の未来のスロットそれぞれで同じリセットで物理データチャネルを受信する。詳しくは、ＲＥＳＥＴフィールドはスロット−結合基盤スケジューリングスケジューリングによってスケジューリングされる物理データチャネルが伝送される全てのスロットに同じく適用される。他の具体的な実施例において、スロット−結合基盤スケジューリングをする物理制御チャネルのＤＣＩはスロット−結合基盤スケジューリングによってスケジューリングされる物理データチャネルが伝送される全てのスロットのうちいずれか一つのスロットに当たる開始シンボルを指示する。ＲＥＳＥＴフィールドは、スロット−結合基盤スケジューリングによってスケジューリングされる物理データチャネルが伝送される複数のスロットのうちいずれか一つのスロットでＲＥＳＥＴが物理データチャネルの受信に使用可能であるのか否かを指示する。この際、いずれか一つのスロットは物理データチャネルをスケジューリングするＤＣＩを含む物理制御チャネルが伝送されるスロットである。スロット−結合基盤スケジューリングが使用されれば、端末はスロット−結合基盤スケジューリングによってスケジューリングされる物理データチャネルが伝送されるスロットのうち、ＲＥＳＥＴフィールドが指示しないスロットでＲＥＳＥＴに当たる時間−周波数資源で物理データチャネルの受信に使用できないと仮定する。
【０１５２】
図１８の実施例において、ｎ番目のスロットで伝送されるＰＤＣＣＨはｎ番目のスロットで伝送されるＰＤＳＣＨとｎ＋１番目のスロットで伝送されるＰＤＳＣＨをスケジューリングする。該当セル内の全ての周波数帯域でスロット−結合基盤スケジューリングによってスケジューリングされたＰＤＳＣＨを受信する際に使用される開始シンボルの位置は３番目のＯＦＤＭシンボルである。よって、端末はｎ番目のスロットとｎ＋１番目のスロットから３番目のスロットからＰＤＳＣＨの受信を始める。
【０１５３】
上述した実施例では、スロット−結合基盤スケジューリングによってスケジューリングされる物理データチャネルが伝送される全てのスロットに当たる開始シンボルの位置は同じである。他の具体的な実施例において、スロット−結合基盤スケジューリングをする物理制御チャネルのＤＣＩはスロット−結合基盤スケジューリングによってスケジューリングされる物理データチャネルが伝送される全てのスロットのうちいずれか一つのスロットに当たる開始シンボルを指示する。詳しくは、スロット−結合基盤スケジューリングをする物理制御チャネルのＤＣＩはスロット−結合基盤スケジューリングによってスケジューリングされる物理データチャネルが伝送される全てのスロットのうち最初のスロットに当たる開始シンボルを指示する。他の具体的な実施例において、スロット−結合基盤スケジューリングをする物理制御チャネルのＤＣＩはスロット−結合基盤スケジューリングをする物理制御チャネルが伝送されるスロットの開始シンボルを指示する。このような実施例において、スロット−結合基盤スケジューリングをする物理制御チャネルのＤＣＩによって開始シンボルの位置が指示されない物理データチャネルが伝送されるスロットの開始シンボルは、いずれも同じ特定ＯＦＤＭシンボルと固定される。説明の便宜上、スロット−結合基盤スケジューリングをする物理制御チャネルのＤＣＩによって開始シンボルの位置が指示されない物理データチャネルに当たる開始シンボルを残りの開始シンボルと称する。残りの開始シンボルの位置を設定する方法及びシグナリングする方法には、スロット−結合基盤スケジューリングによってスケジューリングされる物理データチャネルが伝送される全てのスロットに当たる開始シンボルの位置が同じ実施例で説明した実施例が同じく適用される。詳しくは、特定ＯＦＤＭシンボルは設定されたＲＥＳＥＴの最後のＯＦＤＭシンボルに基づいて設定される。詳しくは、特定ＯＦＤＭシンボルは端末に設定されたＲＥＳＥＴの最後のＯＦＤＭシンボルの次のＯＦＤＭシンボルである。基地局は、特定ＯＦＤＭシンボルをＲＲＣ信号または周期的に伝送されるシステム情報を介してシグナリングする。この際、端末はＲＲＣ信号またはシステム情報に基づいて残りの開始シンボルの位置を判断する。また、残りの開始シンボルは複数の周波数帯域別に設定される。詳しくは、残りの開始シンボルはＰＲＢ別にまたは連続した特定個数のＰＲＢごとに設定される。他の具体的な実施例において、残りの開始シンボルはセルの全ての全ての周波数帯域に共通に設定される。
【０１５４】
図１９の実施例においてｎ番目のスロットで伝送されるＰＤＣＣＨはｎ番目のスロットで伝送されるＰＤＳＣＨとｎ＋１番目のスロットで伝送されるＰＤＳＣＨをスケジューリングする。この際、ＰＤＣＣＨはｎ番目のスロットの開始シンボルを最初のＯＦＤＭシンボルと指示する。また、ＰＤＣＣＨに開始シンボルが指示されていない残りのＰＤＳＣＨを受信する際に使用される開始シンボルの位置は２番目のＯＦＤＭシンボルである。よって、端末はｎ番目のスロットで最初のＯＦＤＭシンボルからＰＤＳＣＨのモニタリングを始め、ｎ＋１番目のスロットでは２番目のＯＦＤＭシンボルからＰＤＳＣＨモニタリングを始める。
【０１５５】
スロット−結合基盤スケジューリングをする物理制御チャネルが伝送されたスロット以降のスロットにおいて、端末は、スロット−結合基盤スケジューリングによって物理データチャネルがスケジューリングされる時間−周波数資源から、物理データチャネルがスケジューリングされる時間−周波数資源とＲＥＳＥＴがオーバーラップされる時間−周波数資源が除かれた時間−周波数資源でレートマッチングを行って物理データチャネルを受信する。上述したように、ＲＥＳＥＴフィールドの値がスロット−結合基盤スケジューリングをする物理制御チャネルが伝送されたスロットの以降のスロットにも適用される。この際、端末は、スロット−結合基盤スケジューリングによって物理データチャネルがスケジューリングされる時間−周波数資源から、物理データチャネルがスケジューリングされる時間−周波数資源と物理データチャネルの受信が不可能なＲＥＳＥＴがオーバーラップされる時間−周波数資源が除かれた時間−周波数資源でレートマッチングを行う。また、スロット−結合基盤スケジューリングをする物理制御チャネルが伝送されたスロット以降のスロットにおいて、端末は、スロット−結合基盤スケジューリングによって物理データチャネルがスケジューリングされる時間−周波数資源で、物理データチャネルがスケジューリングされる時間−周波数資源とＲＥＳＥＴがオーバーラップされ時間−周波数資源をパンクチュアリングして物理データチャネルを受信する。上述したように、ＲＥＳＥＴフィールドの値がスロット−結合基盤スケジューリングをする物理制御チャネルが伝送されたスロットの以降のスロットにも適用される。この際、端末は、スロット−結合基盤スケジューリングによって物理データチャネルがスケジューリングされる時間−周波数資源で、物理データチャネルがスケジューリングされる時間−周波数資源と物理データチャネルの受信が不可能なリセットがオーバーラップされる時間−周波数資源をパンクチュアリングする。その他、端末が物理データチャネルを受信する動作は図１７の以前に説明した実施例が適用される。
【０１５６】
基地局は、オーバーラップ−リソース−セットを複数のサブ−リソース−セットに区分し、サブ−リソース−セットそれぞれが物理データチャネルの受信に使用不可能であるのかを指示する。また、端末は、サブ−リソース−セットそれぞれが物理データチャネルの受信に使用不可能であるのかを判断する。詳しくは、端末はＮ個のサブ−リソース−セットを指示するＮビットのフィールドを含むＤＣＩを基地局から受信する。この際、Ｎビットフィールドのビットそれぞれは、Ｎ個のサブ−リソース−セットそれぞれが物理データチャネルの受信に使用不可能であるのかを示す。それについては図２０を介して説明する。
【０１５７】
図２０は、本発明の実施例による無線通信システムで使用されるサブ−リソース−セットの例を示す図である。
【０１５８】
上述したように、基地局は、Ｎビットフィールドを使用してサブ−リソース−セットが物理データチャネルの受信に使用されるのか否かを指示する。説明の便宜上、このフィールドをサブ−リソース−セットビットマップと称する。一つのオーバーラップ−リソース−セットが存在すれば、該当オーバーラップ−リソース−セットがＮ個のサブ−リソース−セットに区分される。この際、サブ−リソース−セットビットマップのビットそれぞれは、Ｎ個のサブ−リソース−セットそれぞれが物理データチャネルの受信に使用可能であるのかを指示する。オーバーラップ−リソース−セットの個数がＮより小さければ、オーバーラップ−リソース−セットそれぞれは少なくとも一つのサブ−リソース−セットに設定される。オーバーラップ−リソース−セットの個数がＮより大きければ、複数のオーバーラップ−リソース−セットが一つのサブ−リソース−セットに設定される。また、オーバーラップ−リソース−セットの個数がＮであれば、Ｎ個のオーバーラップ−リソース−セットそれぞれは一つのサブ−リソース−セットに設定される。
【０１５９】
一つのオーバーラップ−リソース−セットを複数のサブ−リソース−セットに設定する際、サブ−リソース−セットは周波数領域での区分なしに時間領域を基準に設定される。この際、サブ−リソース−セットはオーバーラップ−リソース−セットが占めるＯＦＤＭシンボルを基準に設定される。図２０（ａ）は、時間領域を基準に設定されたサブ−リソース−セットの一例を示す。
【０１６０】
また、一つのオーバーラップ−リソース−セットを複数のサブ−リソース−セットに設定する際、サブ−リソース−セットは時間領域での区分なしに周波数領域を基準に設定される。この際、サブ−リソース−セットはオーバーラップ−リソース−セットが占めるＰＲＢを基準に設定される。この際、サブ−リソース−セットは連続したＰＲＢのみを含む。他の具体的な実施例において、サブ−リソース−セットは不連続なＰＲＢを含む。具体的な実施例において、オーバーラップ−リソース−セットをＭ個のサブ−リソース−セットに設定する。この際、オーバーラップ−リソース−セットがＸ個のＰＲＢを占めれば、Ｍ−１個のサブ−リソース−セットはｆｌｏｏｒ（Ｘ／Ｍ）ＰＲＢを占めるように設定され、１つのサブ−リソース−セットはＸ−（Ｍ−１）＊ｆｌｏｏｒ（Ｘ／Ｍ）ＰＲＢを占めるように設定される。この際、ｆｌｏｏｒ（ｘ）はｘと同じであるか小さい数のうち最も大きい自然数を示す。図２０（ｂ）、図２０（ｄ）は、周波数領域を基準に設定されたサブ−リソース−セットの一例を示す。
【０１６１】
また、一つのオーバーラップ−リソース−セットを複数のサブ−リソース−セットに設定する際、サブ−リソース−セットは時間−周波数領域を基準に設定される。この際、サブ−リソース−セットはオーバーラップ−リソース−セットが占めるＯＦＤＭシンボル及びＰＲＢを基準に設定される。この際、サブ−リソース−セットは連続したＰＲＢのみを含む。他の具体的な実施例において、サブ−リソース−セットは不連続なＰＲＢを含む。図２０（ｃ）、図２０（ｅ）は、時間−周波数領域を基準に設定されたサブ−リソース−セットの一例を示す。
【０１６２】
オーバーラップ−リソース−セットの複数のＲＥＳＥＴを含めば、複数のＲＥＳＥＴが優先的にサブ−リソース−セットに設定される。詳しくは、複数のＲＥＳＥＴに優先的にオーバーラップ−リソース−セットビットマップのビットを割り当てる。
【０１６３】
他の具体的な実施例において、基地局はオーバーラップ−リソース−セットとは関係なく、端末の物理データチャネルの受信がスケジューリングされた時間−周波数資源を区分し、区分された資源が物理データチャネルの受信に使用可能であるのかをシグナリングする。詳しくは、端末の物理データチャネルの受信がスケジューリングされた時間−周波数資源を周波数領域を基準に均等に２Ｎ個に区分する。この際、基地局はＬ１シグナリングのＮビットフィールドまたはＤＣＩのＮビットフィールドを使用し、端末の物理データチャネルの受信に使用可能であるのかをシグナリングする。端末は、Ｌ１シグナリングのＮビットフィールドまたはＤＣＩのＮビットフィールドの値に基づいて物理データチャネルの受信に使用可能な時間−周波数資源を判断する。
【０１６４】
図２１は、本発明の実施例による無線通信システムにおいて端末がオーバーラップ−リソース−セットに基づいてＰＤＳＣＨを受信することを示す図である。
【０１６５】
端末は、上述したように、物理データチャネルをスケジューリングするＤＣＩが含むサブ−リソース−セットビットマップでサブ−リソース−セットでＰＤＳＣＨが伝送されると指示されれば、端末はサブ−リソース−セットで物理データチャネルを受信する。サブ−リソース−セットに当たる時間−周波数領域でＰＤＣＣＨが受信されれば、端末は物理制御チャネルが占める時間−周波数領域をパンクチュアリングして物理データチャネルを受信する。また、サブ−リソース−セットに当たる時間−周波数領域に物理制御チャネルが受信されれば、端末は物理制御チャネルが占める時間−周波数領域を除いた残りのサブ−リソース−セットでレートマッチングを行って物理データチャネルを受信する。図２１の実施例において、ＲＲＣ信号によってｎ番目のスロットに第１ＲＥＳＥＴ（ＲＥＳＥＴ＃１）と第２ＲＥＳＥＴ（ＲＥＳＥＴ＃２）が設定される。図２１の実施例において、ＤＣＩによって端末のＰＤＳＣＨ受信がスケジューリングされた時間−周波数資源と第１ＲＥＳＥＴ（ＲＥＳＥＴ＃１）の一部がオーバーラップされる。また、ＤＣＩは第１ＲＥＳＥＴ（ＲＥＳＥＴ＃１）がＰＤＳＣＨの受信が不可能であると指示しない。よって、端末はＤＣＩによって端末のＰＤＳＣＨ受信がスケジューリングされた時間−周波数資源と第１ＲＥＳＥＴ（ＲＥＳＥＴ＃１）がオーバーラップされる時間−周波数資源をオーバーラップ−リソース−セットと判断する。この際、オーバーラップ−リソース−セットに当たる時間−周波数資源を介してＰＤＣＣＨが受信される。端末は、ＰＤＣＣＨが占める時間−周波数領域をパンクチュアリングしてＰＤＳＣＨを受信する。また、端末は、ＰＤＣＣＨが占める時間−周波数領域を除いた残りのオーバーラップ−リソース−セットでレートマッチングを行ってＰＤＳＣＨを受信する。
【０１６６】
上述したように、基地局はＲＲＣ信号を使用してＲＥＳＥＴを設定する。基地局がＲＲＣ信号を使用してＲＥＳＥＴを設定する際、基地局が少なくとも一つのＲＥＳＥＴに当たる時間−周波数資源を指示する方法が問題になる。それについては、図２２乃至図２４を介して説明する。
【０１６７】
基地局は、ＲＥＳＥＴが占めるＰＲＢのインデックス、ＲＥＳＥＴが占めるＯＦＤＭシンボルインデックスをシグナリングして、ＲＥＳＥＴに当たる時間−周波数資源を指示する。ＲＥＳＥＴが連続した時間−周波数資源を占めれば、基地局は一つの指示値を使用して連続した時間−周波数資源を指示する。この際、指示値はＲＩＶ（ｒｅｓｏｕｒｃｅ  ｉｎｄｉｃａｔｉｏｎ  ｖａｌｕｅ）と称し、このような指示方式をＲＩＶ方式と称する。詳しくは、基地局は連続した資源の開始位置と連続した資源の個数を組み合わせて一つのＲＩＶを生成する。詳しくは、ＲＥＳＥＴが連続したＯＦＤＭシンボルを占めれば、基地局はＯＦＤＭシンボルの開始インデックスと最後のＯＦＤＭシンボルのインデックスを使用してＲＩＶを生成する。また、ＲＥＳＥＴが連続したＲＰＢと連続したＯＦＤＭシンボルを占めれば、基地局はＰＲＢのインデックスに基づいて一つのＲＩＶを生成し、ＯＦＤＭシンボルのインデックスに基づいて一つのＲＩＶを生成する。この際、基地局は２つのＲＩＶ値を伝送する。他の具体的な実施例において、２つのＲＩＶをエンコーディングして一つの値を生成する。この際、基地局は生成した一つの値のみを伝送してＲＥＳＥＴが占める時間−周波数資源をシグナリングする。ＲＩＶを生成する方法については、図２７乃至図３０を介して詳しく説明する。
【０１６８】
ＲＥＳＥＴが占める時間−周波数資源が非連続であれば、基地局はビットマップを使用してＲＥＳＥＴが占める時間−周波数資源をシグナリングする。また、基地局がＲＥＳＥＴが占める時間−周波数資源をシグナリングする際、基地局はＲＥＳＥＴに当たるモニタリング周期を共にシグナリングする。例えば、ＲＥＳＥＴのモニタリング周期が２スロットであれば、端末は２スロットごとに該当ＲＥＳＥＴが存在すると判断する。また、基地局がＲＥＳＥＴが占める時間−周波数資源をシグナリングする際、基地局はＲＥＳＥＴが含むＣＯＲＥＳＥＴに関する情報をシグナリングする。ＣＯＲＥＳＥＴに関する情報は、ＲＥＧ（ｒｅｓｏｕｒｃｅ  ｅｌｅｍｅｎｔ  ｇｒｏｕｐ）バンドリング（ｂｕｎｄｌｉｎｇ）に関する情報とＣＣＥ（ｃｏｎｔｒｏｌ  ｃｈａｎｎｅｌ  ｅｌｅｍｅｎｔ）−ｔｏ−ＲＥＧマッピングに関する情報のうち少なくともいずれか一つを含む。
【０１６９】
基地局は、ＲＥＳＥＴとＲＥＳＥＴを指示するＬ１−シグナリングのビットフィールドとの間の連結関係をシグナリングする必要がある。この際、ビットフィールドは上述したＲＥＳＥＴフィールドである。基地局は、ＲＥＳＥＴに当たるＬ１−シグナリングのビットフィールドインデックスを指示し、ＲＥＳＥＴとＲＥＳＥＴを指示するＬ１−シグナリングのビットフィールドとの間の連結関係をシグナリングする。Ｌ１−シグナリングは物理データチャネルをスケジューリングするＤＣＩである。また、Ｌ１−シグナリングは物理データチャネルが伝送されるスロットで伝送されるグループ−共通ＤＣＩである。具体的な実施例において、基地局は、物理データチャネル割当情報とは関係なく、ＲＥＳＥＴとＲＥＳＥＴを指示するＬ１−シグナリングのビットフィールドとの間の連結関係をシグナリングする。例えば、ＲＥＳＥＴフィールドがｎビットである。基地局がＲＥＳＥＴフィールドのｉ番目のビットがＲＥＳＥＴが物理データの受信に使用不可能であるのかを指示することをシグナリングするために、基地局は該当ＲＥＳＥＴを設定するＲＲＣ信号を介してｉをシグナリングする。ＲＥＳＥＴフィールドのｉ番目のビットの値が１であれば、端末は該当ＲＥＳＥＴに当たる時間−周波数資源が物理データチャネルの受信に使用不可能であると判断する。また、ＲＥＳＥＴフィールドのｉ番目のビットの値が０であれば、端末は該当ＲＥＳＥＴに当たる時間−周波数資源で物理データチャネルを受信すると判断する。物理データチャネルがスケジューリングされる時間−周波数資源とオーバーラップされないＲＥＳＥＴに当たるＲＥＳＥＴフィールドのビットは他の用途に使用される。この際、物理データチャネルがスケジューリングされる時間−周波数資源は、ＲＡ（Ｒｅｓｏｕｒｃｅ  Ａｌｌｏｃａｔｉｏｎ）フィールドによって指示される。詳しくは、他のＲＥＳＥＴに当たる時間−周波数資源が物理データチャネルの受信に使用不可能であるのかを示す。例えば、ＲＥＳＥＴフィールドの最初のビットが第１ＲＥＳＥＴ（ＲＥＳＥＴ＃１）と第２ＲＥＳＥＴ（ＲＥＳＥＴ＃２）で物理データチャネルの受信可能可否を指示し、２番目のビットが第３ＲＥＳＥＴ（ＲＥＳＥＴ＃３）と第４ＲＥＳＥＴ（ＲＥＳＥＴ＃４）で物理データチャネルの受信可能可否を指示する。この際、第１ＲＥＳＥＴ（ＲＥＳＥＴ＃１）と第２ＲＥＳＥＴ（ＲＥＳＥＴ＃２）は物理データチャネルがスケジューリングされる時間−周波数資源とオーバーラップされる。第３ＲＥＳＥＴ（ＲＥＳＥＴ＃３）と第４ＲＥＳＥＴ（ＲＥＳＥＴ＃４）は物理データチャネルがスケジューリングされる時間−周波数資源とオーバーラップされない。この際、ＲＥＳＥＴフィールドの最初のビットは第１ＲＥＳＥＴ（ＲＥＳＥＴ＃１）と第２ＲＥＳＥＴ（ＲＥＳＥＴ＃２）で物理データチャネルの受信可能可否を指示せず、第１ＲＥＳＥＴ（ＲＥＳＥＴ＃１）で物理データチャネルの受信可能可否を指示する。また、ＲＥＳＥＴフィールドの２番目のビットは第３ＲＥＳＥＴ（ＲＥＳＥＴ＃３）と第４ＲＥＳＥＴ（ＲＥＳＥＴ＃４）で物理データチャネルの受信可能可否を指示せず、第２ＲＥＳＥＴ（ＲＥＳＥＴ＃２）で物理データチャネルの受信可���可否を指示する。ＲＥＳＥＴフィールドのいずれか一つのビットが指示する全てのＲＥＳＥＴが物理データチャネルがスケジューリングされる時間−周波数資源とオーバーラップされなければ、該当ビットは特定ＣＯＲＥＳＥＴまたはＣＯＲＥＳＥＴを含むＲＥＳＥＴが物理データチャネルの受信に使用されるのかを示す。
【０１７０】
他の具体的な実施例において、基地局は、物理データチャネルがスケジューリングされる時間−周波数資源に基づき、ＲＥＳＥＴとＲＥＳＥＴを指示するＬ１−シグナリングのビットフィールドとの間の連結関係をシグナリングする。例えば、基地局は端末にＲＥＳＥＴに当たる時間−周波数資源情報をシグナリングする。この際、端末は、上述したオーバーラップ−リソース−セットとＬ１−シグナリングとの連結関係をＲＲＣ信号を使用してシグナリングする。または、基地局は、オーバーラップ−リソース−セットとＬ１−シグナリングとの連結関係を黙示的にシグナリングする。詳しくは、オーバーラップ−リソース−セットが複数のサブ−リソース−セットに区分されれば、ＲＥＳＥＴ（ｓ）それぞれは互いに異なるインデックスによって識別される。この際、レートマッチング指示子を構成する複数のビットのうちサブ−リソース−セットを指示するビットは、ＲＥＳＥＴを識別するインデックスに基づいて決定される。具体的な実施例において、端末はサブ−リソース−セットを順番にＲＥＳＥＴフィールドのビットにマッピングする。例えば、ｊ番目のサブ−リソース−セットはＲＥＳＥＴフィールドの（ｊ  ｍｏｄ  Ｂ）＋１番目のビットにマッピングされる。この際、ＢはＲＥＳＥＴフィールドのビット数を示す。また、Ｘ  ｍｏｄ  ＹはＸをＹで割ったときの余りの値を示す。
【０１７１】
互いに異なるＲＥＳＥＴに当たる時間−周波数資源がオーバーラップされる。この際、端末がＲＥＳＥＴに当たる時間−周波数資源で物理データチャネルを受信する方法が問題になる。それについては、図２２乃至図２４を介して説明する。
【０１７２】
図２２乃至図２４は、互いに異なるＲＥＳＥＴが占めると指示された時間−周波数資源がオーバーラップされる場合を示す図である。
【０１７３】
基地局が端末にＲＥＳＥＴを設定する際、端末はＲＥＳＥＴが互いにオーバーラップされないと仮定する。詳しくは、互いに異なるＲＥＳＥＴに当たる時間−周波数資源がオーバーラップされれば、端末は該当時間−周波数資源がいずれか一つのＲＥＳＥＴに含まれ、残りのＲＥＳＥＴには含まれないと判断する。詳しくは、端末はＲＥＳＥＴの優先順位に応じてＲＥＳＥＴ（ｓ）でオーバーラップされる時間−周波数資源がいずれか一つのＲＥＳＥＴに含まれると判断する。この際、ＲＥＳＥＴの優先順位はＲＲＣ信号で明示的に指示される。他の具体的な実施例において、ＲＥＳＥＴの優先順位はＲＲＣ信号でＲＥＳＥＴが設定される順に応じて決定される。他の具体的な実施例において、ＲＥＳＥＴの優先順位はＲＥＳＥＴがマッピングされるＲＥＳＥＴフィールドのビットインデックスによって決定される。また、端末が物理制御チャネルを受信するためにモニタリングするＣＯＲＥＳＥＴを含むＲＥＳＥＴの優先順位は常に最も高い。また、端末がＰＤＣＣＨを受信したＣＯＲＥＳＥＴを含むＲＥＳＥＴの優先順位は常に最も高い。
【０１７４】
図２２の実施例において、第１ＲＥＳＥＴ（ＲＥＳＥＴ＃１）が占めると指示された時間−周波数資源と第２ＲＥＳＥＴ（ＲＥＳＥＴ＃２）が占めると指示された時間−周波数資源がオーバーラップされる。図２２（ａ）の実施例において、第２ＲＥＳＥＴ（ＲＥＳＥＴ＃２）の優先順位が第１ＲＥＳＥＴ（ＲＥＳＥＴ＃１）の優先順位より高い。よって、第１ＲＥＳＥＴ（ＲＥＳＥＴ＃１）が占めると指示された時間−周波数資源と第２ＲＥＳＥＴ（ＲＥＳＥＴ＃２）が占めると指示された時間−周波数資源がオーバーラップされる時間−周波数資源は第２ＲＥＳＥＴ（ＲＥＳＥＴ＃２）に含まれ、第１ＲＥＳＥＴ（ＲＥＳＥＴ＃１）には含まれない。図２２（ｂ）の実施例において、第１ＲＥＳＥＴ（ＲＥＳＥＴ＃１）の優先順位が第２ＲＥＳＥＴ（ＲＥＳＥＴ＃２）の優先順位より高い。よって、第１ＲＥＳＥＴ（ＲＥＳＥＴ＃１）が占めると指示された時間−周波数資源と第２ＲＥＳＥＴ（ＲＥＳＥＴ＃２）が占めると指示された時間−周波数資源がオーバーラップされる時間−周波数資源は第１ＲＥＳＥＴ（ＲＥＳＥＴ＃１）に含まれ、第２ＲＥＳＥＴ（ＲＥＳＥＴ＃２）には含まれない。
【０１７５】
他の具体的な実施例において、基地局が端末にＲＥＳＥＴを設定する際、端末はＲＥＳＥＴが互いにオーバーラップされると仮定する。この際、互いに異なるＲＥＳＥＴに当たるＲＥＳＥＴフィールドのビットが互いに異なる情報を指示すれば問題になる。例えば、第１ＲＥＳＥＴに当たるＬ１−シグナリングのビットフィールドのビットが第１ＲＥＳＥＴで物理データチャネルの受信に使用不可能であるのかを指示し、第２ＲＥＳＥＴに当たるＬ１−シグナリングのビットフィールドのビットのビットが第２ＲＥＳＥＴで物理データチャネルの受信に使用可能であると指示する。この際、端末はいずれか一つの情報を優先する。詳しくは、物理データチャネルの受信に使用可能であることを指示する情報を優先する。図２３に乃至図２４の実施例において、図２３（ａ）で示したように、第１ＲＥＳＥＴ（ＲＥＳＥＴ＃１）が占めると指示された時間−周波数資源と第２ＲＥＳＥＴ（ＲＥＳＥＴ＃２）が占めると指示された時間−周波数資源がオーバーラップされる。図２３（ｂ）の実施例において、ＲＥＳＥＴフィールドは、第１ＲＥＳＥＴ（ＲＥＳＥＴ＃１）がＰＤＳＣＨの受信に使用不可能であることを指示し、第２ＲＥＳＥＴ（ＲＥＳＥＴ＃２）でＰＤＳＣＨの受信に使用不可能ではないことを指示する。よって、端末は、第１ＲＥＳＥＴ（ＲＥＳＥＴ＃１）と第２ＲＥＳＥＴ（ＲＥＳＥＴ＃２）がオーバーラップされる時間−周波数資源を含んで第２ＲＥＳＥＴ（ＲＥＳＥＴ＃２）でＰＤＳＣＨを受信する。図２３（ｃ）の実施例において、ＲＥＳＥＴフィールドは、第１ＲＥＳＥＴ（ＲＥＳＥＴ＃１）がＰＤＳＣＨの受信に使用不可能ではないことを指示し、第２ＲＥＳＥＴ（ＲＥＳＥＴ＃２）でＰＤＳＣＨの受信に使用不可能であることを指示する。よって、端末は、第１ＲＥＳＥＴ（ＲＥＳＥＴ＃１）と第２ＲＥＳＥＴ（ＲＥＳＥＴ＃２）がオーバーラップされる時間−周波数資源を含んで第１ＲＥＳＥＴ（ＲＥＳＥＴ＃１）でＰＤＳＣＨを受信する。
【０１７６】
詳しくは、物理データチャネルの受信に使用不可能であることを指示する情報を優先する。図２４（ａ）の実施例において、ＲＥＳＥＴフィールドは、第１ＲＥＳＥＴ（ＲＥＳＥＴ＃１）がＰＤＳＣＨの受信に使用不可能であることを指示し、第２ＲＥＳＥＴ（ＲＥＳＥＴ＃２）でＰＤＳＣＨの受信に使用不可能ではないことを指示する。よって、端末は、第１ＲＥＳＥＴ（ＲＥＳＥＴ＃１）と第２ＲＥＳＥＴ（ＲＥＳＥＴ＃２）がオーバーラップされる時間−周波数資源を除いて第２ＲＥＳＥＴ（ＲＥＳＥＴ＃２）でＰＤＳＣＨを受信する。図２４（ｂ）の実施例において、ＲＥＳＥＴフィールドは、第１ＲＥＳＥＴ（ＲＥＳＥＴ＃１）がＰＤＳＣＨの受信に使用不可能ではないことを指示し、第２ＲＥＳＥＴ（ＲＥＳＥＴ＃２）でＰＤＳＣＨの受信に使用不可能であることを指示する。よって、端末は、第１ＲＥＳＥＴ（ＲＥＳＥＴ＃１）と第２ＲＥＳＥＴ（ＲＥＳＥＴ＃２）がオーバーラップされる時間−周波数資源を除いて第１ＲＥＳＥＴ（ＲＥＳＥＴ＃１）でＰＤＳＣＨを受信する。
【０１７７】
また、互いに異なるＲＥＳＥＴがオーバーラップされ、互いに異なるＲＥＳＥＴに当たるＬ１−シグナリングビットフィールドが互いに異なる情報を指示すれば、端末はＲＲＣ信号に基づいて物理データチャネルの受信が不可能であることを指示する情報を優先するのか、物理データチャネルの受信が可能であることを指示する情報を優先するのかを判断する。また、端末はＲＥＳＥＴ別にどの情報を優先するのかを独立的に判断する。端末は、第１ＲＥＳＥＴに当たる時間−周波数資源では物理データチャネルの受信が不可能であることを指示する情報を優先し、第２ＲＥＳＥＴに当たる時間−周波数資源では物理データチャネルの受信が可能であることを指示する情報を優先する。
【０１７８】
図２５は、本発明の実施例による無線通信システムで使用されるスロット構成を示す図である。
【０１７９】
一つのスロットは７個のＯＦＤＭシンボルを含む。他の具体的な実施例において、一つのスロットは１４個のＯＦＤＭシンボルを含む。スロットはＤＬ伝送に使用されるＤＬシンボルを含む。また、スロットはＵＬ伝送に使用されるＵＬシンボルを含む。また、スロットはＤＬ伝送からＵＬ伝送に変更されるか、ＵＬ伝送からＤＬ伝送に変更される際、ＤＬ伝送またはＵＬ伝送に使用されないギャップ（ＧＡＰ）シンボルを含む。基地局と端末が伝送モードから受信モードに、または受信モードから伝送モードに変更するための時間が必要であるためである。ギャップシンボルは一つのＯＦＤＭシンボルである。また、ギャップシンボルはＤＬ制御情報を伝送する一つのＯＦＤＭシンボルを含む。
【０１８０】
図２５は、８つのスロット構成を示す。Ｆｏｒｍａｔ０において、スロットはＤＬシンボル（ＤＬ）のみを含む。Ｆｏｒｍａｔ１において、スロットは６つのＤＬシンボル（ＤＬ）と一つのギャップシンボル（ＧＰ）を含む。Ｆｏｒｍａｔ２において、スロットは５つのＤＬシンボル（ＤＬ）、一つのギャップシンボル（ＧＰ）、及び一つのＵＬシンボル（ＵＬ）を含む。Ｆｏｒｍａｔ３において、スロットは４つのＤＬシンボル（ＤＬ）、一つのギャップシンボル（ＧＰ）、及び２つのＵＬシンボル（ＵＬ）を含む。Ｆｏｒｍａｔ４において、スロットは３つのＤＬシンボル（ＤＬ）、一つのギャップシンボル（ＧＰ）、及び３つのＵＬシンボル（ＵＬ）を含む。Ｆｏｒｍａｔ５において、スロットは２つのＤＬシンボル（ＤＬ）、一つのギャップシンボル（ＧＰ）、及び４つのＵＬシンボル（ＵＬ）を含む。Ｆｏｒｍａｔ６において、スロットは一つのＤＬシンボル（ＤＬ）、一つのギャップシンボル（ＧＰ）、及び５つのＵＬシンボル（ＵＬ）を含む。Ｆｏｒｍａｔ７において、スロットは６つのＵＬシンボル（ＵＬ）と１つのギャップシンボル（ＧＰ）を含む。Ｆｏｒｍａｔ８において、スロットはＵＬシンボル（ＵＬ）のみを含む。説明の便宜上、Ｆｏｒｍａｔ０のようにＤＬシンボルのみを含むスロットをＤＬオンリースロットと称し、Ｆｏｒｍａｔ７ようにＵＬシンボルのみを含むスロットをＵＬオンリースロットと称し、Ｆｏｒｍａｔ１乃至Ｆｏｒｍａｔ６のようにＤＬシンボルとＵＬシンボル両方を含むスロットはハイブリッドスロットと称する。ＵＬオンリースリットではないスロットでは、ＰＤＣＣＨ伝送のためのＣＯＲＥＳＥＴが設定される。この際、ＣＯＲＥＳＥＴでグループ−共通（ｇｒｏｕｐ−ｃｏｍｍｏｎ）ＰＤＣＣＨと端末−特定（ＵＥ−ｓｐｅｃｉｆｉｃ）ＰＤＣＣＨが伝送される。一つ以上の端末がグループ−共通ＰＤＣＣＨを受信する。また、グループ−共通ＰＤＣＣＨはスロット構成を示すスロット構成情報を含む。この際、グループ−共通ＰＤＣＣＨはＰＤＣＣＨが伝送されるスロットのスロット構成情報を含む。また、グループ−共通ＰＤＣＣＨはＰＤＣＣＨが伝送されるスロットのみならず、ＰＤＣＣＨが伝送されるスロットの次のスロット構成情報を含む。また、グループ−共通ＰＤＣＣＨはＰＤＣＣＨが伝送されるスロットのみならず、Ｎ個の未来のスロットのスロット構成情報を含む。この際、未来のスロットはＰＤＣＣＨが伝送されるスロットより遅い時間に当たるスロットである。また、Ｎは１以上の自然数である。Ｎは動的に変更される。また、ＮはＲＲＣ信号によって設定される。また、ＲＲＣ信号に設定されたセット内で基地局が端末に動的に指示（ｉｎｄｉｃａｔｅ）される。
【０１８１】
図２６乃至図３３を介して、スロット構成情報をシグナリングする方法について説明する。
【０１８２】
図２６は、本発明の実施例による無線通信システムにおいて端末特定ＰＤＣＣＨが端末にスケジューリングされた資源を指示することを示す図である。
【０１８３】
図２６の実施例において、第１端末ＵＥ１のための端末特定ＰＤＣＣＨは第１端末ＵＥ１のＰＤＳＣＨの受信がスケジューリングされた時間−周波数資源を指示する。また、第２端末ＵＥ２のための端末特定ＰＤＣＣＨは第２端末ＵＥ２のＰＵＳＣＨの受信がスケジューリングされた時間−周波数資源を指示する。この際、基地局は一つの指示値を使用して連続した時間−周波数資源を指示する。詳しくは、ＬＴＥシステムにおいて、基地局は一つの指示値を使用して連続した時間−周波数資源を指示する。この際、指示値はＲＩＶと称し、このような指示方式をＲＩＶ方式と称する。詳しくは、ＲＩＶは連続した資源の開始位置と連続した資源の個数を示す。端末は、ＲＩＶに基づいて端末に割り当てられた連続した資源の開始位置と該当資源の数を判断する。
【０１８４】
ＬＴＥシステムの第２タイプ（ｔｙｐｅ−２）資源割当において、ＲＩＶは以下のように使用される。ＰＤＣＣＣＨのＤＣＩフォーマットが１Ａ、１Ｂ、及び１Ｄのうちいずれか一つであるか、ＥＰＤＣＣＨのＤＣＩフォーマットが１Ａ、１Ｂ、及び１Ｄのうちいずれか一つであるか、ＭＰＤＣＣＨのＤＣＩフォーマットが６−１Ａであれば、ＤＣＩはＲＩＶを含む。基地局は、ＲＩＶを使用して端末の物理データチャネルの受信がスケジューリングされた、周波数領域で連続した資源を指示する。この際、端末はＤＣＩが含むＲＩＶに基づいてＤＣＩがスケジューリングする周波数領域で連続した資源の開始ＲＢであるＲＢｓｔａｒｔと連続した資源のＲＢ個数であるＬＣＲＢｓを獲得する。よって、基地局は以下の数式によってＲＩＶの値を決定する。
【０１８５】
【数７】
2020533861.tif 000012
【０１８６】
この際、ＮＤＬＲＢはＤＬ伝送のための資源割当に使用される総ＲＢの数である。ＵＬ伝送に第２タイプ（ｔｙｐｅ−２）資源割当方式が使用されれば、ＮＤＬＲＢはＵＬ伝送のための資源割当に使用される総ＲＢの数であるＮＵＬＲＢに置換される。
【０１８７】
ＰＤＣＣＨのフォーマットが１Ｃであれば、基地局は第２タイプ（ｔｙｐｅ−２）資源割当方式に従って複数のＲＢ単位に端末にスケジューリングされた資源を指示する。
【数８】
2020533861.tif 000013
は複数のＲＢの個数を示す。この際、基地局が設定可能なＲＩＶが示す連続した資源の開始位置は以下のようである。
【０１８８】
【数９】
2020533861.tif 000014
【０１８９】
また、基地局が設定可能なＲＩＶが示す連続した資源の連続したＲＢの個数は以下のようである。
【０１９０】
【数１０】
2020533861.tif 000015
【０１９１】
この際、基地局は以下の数式によってＲＩＶの値を決定する。
【０１９２】
【数１１】
2020533861.tif 000016
【０１９３】
この際、ＮＤＬＲＢはＤＬ伝送のための資源割当に使用される総ＲＢの数である。ＵＬ伝送に第２タイプ（ｔｙｐｅ−２）資源割当方式が使用されれば、ＮＤＬＲＢはＵＬ伝送のための資源割当に使用される総ＲＢの数であるＮＵＬＲＢに置換される。
【０１９４】
基地局は、ＲＩＶを使用して端末の物理データチャネルの受信がスケジューリングされた、時間領域で連続した資源を指示する。この際、端末はＤＣＩが含むＲＩＶに基づいてＤＣＩがスケジューリングする周波数領域で連続した資源の開始ＯＦＤＭシンボルであるＳｓｔａｒｔと連続した資源のＯＦＤＭシンボルの個数であるＬｓｙｍｂｏｌｓを獲得する。Ｓｓｔａｒｔはスロット内の位置と解釈される。例えば、Ｓｓｔａｒｔ＝０であれば、Ｓｓｔａｒｔはスロットの最初のＯＦＤＭシンボルを示す。ＮｓｙｍｂｏｌがＤＣＩがスケジューリングする端末の物理データチャネルの受信が割り当てられたシンボルの総数であれば、ＲＩＶの値は以下の数式によって決められる。
【０１９５】
【数１２】
2020533861.tif 000017
【０１９６】
基地局は、複数のＯＦＤＭシンボル単位で端末にスケジューリングされた資源を指示する。
【数１３】
2020533861.tif 000018
は複数のＯＦＤＭシンボルの個数を示す。この際、基地局が設定可能なＲＩＶが示す連続した資源の開始位置は以下のようである。
【０１９７】
【数１４】
2020533861.tif 000019
【０１９８】
また、基地局が設定可能なＲＩＶが示す連続した資源の連続したＯＦＤＭシンボルの個数は以下のようである。
【０１９９】
【数１５】
2020533861.tif 000020
【０２００】
基地局は以下の数式によってＲＩＶの値を設定する。
【０２０１】
【数１６】
2020533861.tif 000021
【０２０２】
図２７は、本発明の実施例による無線通信システムにおいて基地局が端末に２つのＲＩＶを伝送して端末にスケジューリングされた時間−周波数資源領域を指示することを示す図である。
【０２０３】
基地局は、上述したように、ＲＩＶを利用して端末のＰＤＳＣＨの受信がスケジューリングされた時間−周波数資源、または端末のＰＵＳＣＨ伝送がスケジューリングされた時間−周波数資源を指示する。この際、端末はＲＩＶが指示する時間−周波数資源でＰＤＳＣＨを受信するかＰＵＳＣＨを伝送する。基地局は、周波数領域のＲＩＶの値と時間領域のＲＩＶの値を使用して端末にスケジューリングされた資源を指示する。詳しくは、基地局は、周波数領域のＲＩＶの値と時間領域のＲＩＶの値を独立的に指示し、端末にスケジューリングされた時間−周波数資源を指示する。説明の便宜上、周波数領域のＲＩＶをＲＩＶｆｒｅｑと表し、時間領域のＲＩＶをＲＩＶｔｉｍｅと表す。具体的な実施例において、基地局は、ＰＤＳＣＨ受信のスケジューリングのためにＲＩＶｆｒｅｑとＲＩＶｔｉｍｅ、の２つのＲＩＶを含むＤＣＩ伝送し、ＰＤＳＣＨが割り当てられた時間−周波数資源を指示する。
【０２０４】
図２７の実施例において、基地局はＤＣＩを介してＲＩＶｆｒｅｑとＲＩＶｔｉｍｅをそれぞれ伝送する。この際、端末は上述した実施例によってＲＩＶｆｒｅｑとＲＩＶｔｉｍｅが指示する時間周波数領域を判断する。詳しくは、端末は上述した実施例によって、ＲＩＶｆｒｅｑからＬＣＲＢ及びＲＢｓｔａｒｔを獲得する。また、端末はＲＩＶｔｉｍｅからＬｓｙｍｂｏｌｓとＳｓｔａｒｔを獲得する。
【０２０５】
ＲＩＶが示す最大値がＱであれば、ＲＩＶを表現するためのビットの長さは
【数１７】
2020533861.tif 000022
である。基地局が端末にスケジューリングするのに使用可能な最大のＲＢの個数が６つで、最大のＯＦＤＭシンボルの個数が９つであれば、ＲＩＶｆｒｅｑの値は０から２０のうちいずれか一つである。この際、ＲＩＶｔｉｍｅの値は０から４４のうちいずれか一つである。よって、ＲＩＶｆｒｅｑを指示するために５ビットが必要であり、ＲＩＶｔｉｍｅを指示するために６ビットが必要である。よって、端末にスケジューリングされた時間−周波数資源を指示するために総１１ビットが必要である。複数のＲＩＶを一つのＲＩＶにエンコーディングできれば、ＲＩＶを伝送するために使用されるビット数を減らすことができる。それについては図２８を介して説明する。
【０２０６】
図２８は、本発明の実施例による無線通信システムにおいて基地局が端末に２つのＲＩＶを伝送して端末にスケジューリングされた時間−周波数資源領域を指示することを示す図である。
【０２０７】
基地局は、一つのＲＩＶを伝送して端末にスケジューリングされた時間−周波数資源を指示する。この際、一つのＲＩＶが２つのＲＩＶ（ＲＩＶ１、ＲＩＶ２）をエンコーディングして生成した値である。２つのＲＩＶは、上述したＲＩＶｆｒｅｑとＲＩＶｔｉｍｅである。ＲＩＶ１が有する最大値をＲＩＶ１ｍａｘと表す。また、２つのＲＩＶをエンコーディングして精製したＲＩＶを最終ＲＩＶ（ＲＩＶｔｏｔａｌ）と称する。基地局は、以下の数式によって最終ＲＩＶ（ＲＩＶｔｏｔａｌ）の値を決定する。
【０２０８】
【数１８】
2020533861.tif 000023
【０２０９】
また、端末は最終ＲＩＶ（ＲＩＶｔｏｔａｌ）から以下の数式によってＲＩＶ１とＲＩＶ２を獲得する。
【０２１０】
【数１９】
2020533861.tif 000024
【０２１１】
この際、ＲＩＶ１はＲＩＶｆｒｅｑである。また、ＲＩＶ２はＲＩＶｔｉｍｅである。基地局が一つのＲＢ単位で端末に時間−周波数資源をスケジューリングすれば、ＲＩＶｆｒｅｑの最大値であるＲＩＶｆｒｅｑｍａｘは以下の数式によって決定される。
【０２１２】
【数２０】
2020533861.tif 000025
【０２１３】
基地局が複数のＲＢ単位で端末に時間−周波数資源をスケジューリングし、複数のＲＢの個数を
【数２１】
2020533861.tif 000026
で表せれば、ＲＩＶｆｒｅｑｍａｘは以下の数式によって決定される。
【０２１４】
【数２２】
2020533861.tif 000027
【０２１５】
この際、
【数２３】
2020533861.tif 000028
である。また、ＮＤＬＲＢはＤＬ伝送のための資源割当に使用される総ＲＢの数である。ＵＬ伝送のための資源のためにＲＩＶが使用されれば、ＮＤＬＲＢはＵＬ伝送のための資源割当に使用される総ＲＢの数であるＮＵＬＲＢに置換される。
【０２１６】
この際、ＲＩＶ２はＲＩＶｔｉｍｅである。また、ＲＩＶ１はＲＩＶｆｒｅｑである。基地局が一つのＯＦＤＭ単位で端末に時間−周波数資源をスケジューリングすれば、ＲＩＶｔｉｍｅの最大値であるＲＩＶｔｉｍｅｍａｘは以下の数式によって決定される。
【０２１７】
【数２４】
2020533861.tif 000029
【０２１８】
基地局が複数のＯＦＤＭシンボル単位で端末に時間−周波数資源をスケジューリングし、複数のＲＢの個数を
【数２５】
2020533861.tif 000030
で表せれば、ＲＩＶｆｒｅｑｍａｘは以下の数式によって決定される。
【０２１９】
【数２６】
2020533861.tif 000031
この際、
【数２７】
2020533861.tif 000032
である。
【０２２０】
図２８の実施例において、基地局は端末特定ＰＤＣＣＨのＤＣＩを介して一つの最終ＲＩＶ（ＲＩＶｔｏｔａｌ）を伝送する。端末は、上述した実施例によって最終ＲＩＶ（ＲＩＶｔｏｔａｌ）からＲＩＶｔｉｍｅとＲＩＶｆｒｅｑを獲得する。端末は、ＩＶｆｒｅｑをからＬＣＲＢ及びＲＢｓｔａｒｔを獲得する。また、端末はＲＩＶｔｉｍｅからＬｓｙｍｂｏｌｓとＳｓｔａｒｔを獲得する。
【０２２１】
他の具体的な実施例において、基地局は３つ以上のＲＩＶをエンコーディングして一つの最終ＲＩＶ（ＲＩＶｔｏｔａｌ）を生成し、ＤＣＩを使用して最終ＲＩＶ（ＲＩＶｔｏｔａｌ）を伝送する。この際、基地局はＲＩＶを２つずつ順次にエンコーディングして最終ＲＩＶ（ＲＩＶｔｏｔａｌ）を生成する。例えば、基地局が３つのＲＩＶ（ＲＩＶ１、ＲＩＶ２、ＲＩＶ３）をエンコーディングして最終ＲＩＶ（ＲＩＶｔｏｔａｌ）を生成してもよい。この際、基地局は２つのＲＩＶ（ＲＩＶ１、ＲＩＶ２）を先にエンコーディングして中間ＲＩＶを生成する。次に、基地局は中間ＲＩＶと残りの一つのＲＩＶ（ＲＩＶ３）をエンコーディングして最終ＲＩＶ（ＲＩＶｔｏｔａｌ）を生成する。
【０２２２】
このような実施例を介して、基地局はＲＩＶ伝送に使用されるビット数を減らす。例えば、端末がスケジューリング可能なＲＢが６つで、端末がスケジューリング可能なＯＦＤＭシンボルが９つであるとする。この際、ＲＩＶｆｒｅｑは０から２０のうちいずれか一つの値を有する。また、ＲＩＶｔｉｍｅは０から４４のうちいずれか一つの値を有する。上述した実施例のように、ＲＩＶｆｒｅｑとＲＩＶｔｉｍｅをエンコーディングして最終ＲＩＶ（ＲＩＶｔｏｔａｌ）を生成すれば、最終ＲＩＶ（ＲＩＶｔｏｔａｌ）は０から９４４のうち一つの値を有する。よって、最終ＲＩＶ（ＲＩＶｔｏｔａｌ）を伝送するために１０ビットが必要となる。詳しくは、ＲＩＶこのような実施例によると、基地局がＲＩＶｆｒｅｑとＲＩＶｔｉｍｅをそれぞれ伝送する場合よりＲＩＶ伝送に使用されるＤＣＩのビットを１ビットだけ減らすことができる。表４は、ＲＩＶｆｒｅｑとＲＩＶｔｉｍｅをそれぞれ伝送する場合、端末がスケジューリング可能なＲＢの個数とＯＦＤＭシンボルの個数に応じてＲＩＶに所要されるＤＣＩのビット数を示す。また、表５は、ＲＩＶｆｒｅｑとＲＩＶｔｉｍｅをエンコーディングして最終ＲＩＶ（ＲＩＶｔｏｔａｌ）を伝送する場合、端末がスケジューリング可能なＲＢの個数とＯＦＤＭシンボルの個数に応じてＲＩＶ伝送に所要されるＤＣＩのビット数を示す。表４と表５を介し、複数のＲＩＶをエンコーディングして最終ＲＩＶ（ＲＩＶｔｏｔａｌ）を伝送する場合、ＲＩＶ伝送に所要されるＤＣＩのビット数を減らすことができることが分かる。
【０２２３】
【表４】
2020533861.tif 000033
【０２２４】
【表５】
2020533861.tif 000034
【０２２５】
上述した実施例において、最終ＲＩＶ（ＲＩＶｔｏｔａｌ）の生成及び最終ＲＩＶ（ＲＩＶｔｏｔａｌ）の伝送がＤＣＩにスケジューリングされる時間−周波数資源を指示する場合に対してのみ説明した。しかし、上述した実施例はこれに対してのみ限らず、ＲＩＶを使用して時間−周波数資源を指示する場合にも適用可能である。例えば、基地局がＲＲＣ信号を介して時間−周波数資源をスケジューリングする際に上述した実施例が適用されてもよい。また、基地局が端末にプリエンプション（ｐｒｅｅｍｐｔｉｏｎ）された時間−周波数資源を指示する際に上述した実施例が適用される。この際、プリエンプションされた時間−周波数資源は、端末に既にスケジューリングされる時間−周波数資源のうち一部の資源が前記端末にスケジューリングされていないことを示す。
【０２２６】
基地局は、端末にスケジューリングする時間資源を以下の実施例によって指示する。詳しくは、基地局はＲＲＣ信号を使用して端末にスケジューリングされた物理データチャネルと時間資源のマッピングを示す時間資源マッピングテーブルを設定する。この際、ＲＲＣ信号は端末−特定ＲＲＣ信号である。また、基地局は、端末の物理データチャネルの受信または物理データチャネルの伝送をスケジューリングするＤＣＩが含むいずれか一つのフィールドを使用してマッピングテーブルのステートをシグナリングする。端末は、ＲＲＣ信号に基づいて基地局が設定する時間資源のマッピングテーブルを判断し、端末の物理データチャネルの受信または物理データチャネルの伝送をスケジューリングするＤＣＩが含むいずれか一つのフィールドに基づいて該当データチャネルがスケジューリングされた時間資源領域を判断する。時間資源マッピングテーブルのステートの個数は１６である。この際、ＤＣＩが含むいずれか一つのフィールドは４ビットである。時間資源マッピングテーブルはＨＡＲＱ−ＡＣＫ伝送スロットを指示するＫ１値、物理データチャネルが伝送されるスロット、物理データチャネルが伝送されるスロットで物理データチャネルがスケジューリングされる最初のＯＦＤＭシンボルと物理データチャネルがスケジューリングされるＯＦＤＭシンボルの個数、及び物理データチャネルのマッピングタイプを含む。この際、物理データチャネルのマッピングタイプは、ＤＭＲＳ（ｄｅｍｏｄｕｌａｔｉｏｎ  ｒｅｆｅｒｅｎｃｅ  ｓｉｇｎａｌ）の位置が物理データチャネルの位置とは関係なく決定されるのかを示す。具体的な実施例において、基地局はＲＲＣ信号の６ビットを使用して物理データチャネルが伝送されるスロット及び物理データチャネルが伝送されるスロットで、物理データチャネルがスケジューリング最初のＯＦＤＭシンボルと物理データチャネルがスケジューリングされるＯＦＤＭシンボルの個数を設定する。例えば、６ビットのうち２ビットは物理データチャネルが伝送されるスロットを示す。物理データチャネルが伝送されるスロットを示す２ビットはＫ０と称する。Ｋ０は、端末がＤＣＩを受信したスロットと端末にスケジューリングされた物理データチャネルが伝送されるスロットとの間のインデックスの差を示す。Ｋ０が有する値は、００ｂ、０１ｂ、１０ｂ、及び１１ｂのうちいずれか一つである。Ｋ０の値が０であれば、端末がＤＣＩを受信したスロットと端末にスケジューリングされた物理データチャネルが伝送されるスロットは同じである。また、６ビットのうち４ビットは、物理データチャネルが伝送されるスロットで物理データチャネルがスケジューリングされる最初のＯＦＤＭシンボルと物理データチャネルがスケジューリングされるＯＦＤＭシンボルの個数を示す。この際、物理データチャネルがスケジューリングされるＯＦＤＭシンボルの個数は２、４、７、及び１４のうちいずれか一つである。詳しくは、４ビットは物理データチャネルがスケジューリングされる最初のＯＦＤＭシンボルと物理データチャネルがスケジューリングされるＯＦＤＭシンボルの個数に下記表６のようにマッピングされる。
【０２２７】
【表６】
2020533861.tif 000035
【０２２８】
一つのスロットのＯＦＤＭシンボルインデックスを０から１５に設定すると、各ステートは以下のようなＯＦＤＭシンボルを示す。ステートの値が示すＯＦＤＭシンボルは以下のようである。０：｛０、１｝、１：｛２、３｝、２：｛４、５｝、３：｛６、７｝、４：｛８、９｝、５：｛１０、１１｝、６：｛１２、１３｝、７：｛０、１、２、３｝、８：｛２、３、４、５｝、９：｛４、５、６、７｝、１０：｛６、７、８、９｝、１１：｛８、９、１０、１１｝、１２：｛１０、１１、１２、１３｝、１３：｛０、１、２、３、４、５、６｝、１４：｛７、８、９、１０、１１、１２、１３｝、１５：｛０、１、２、３、４、５、６、７、８、９、１０、１１、１２、１３、１４｝。この際、Ｘ：｛Ｙ｝においてＸはステートの値を示し、ＹはＸステートが指示するＯＦＤＭシンボルを示す。
【０２２９】
他の具体的な実施例において、６ビットのうち１ビットは物理データチャネルが伝送されるスロットを示す。物理データチャネルが伝送されるスロットを示す１ビットはＫ０と称する。Ｋ０は、端末がＤＣＩを受信したスロットと端末にスケジューリングされた物理データチャネルが伝送されるスロットとの間のインデックスの差を示す。Ｋ０が有する値は、０及び１のうちいずれか一つである。Ｋ０の値が０であれば、端末がＤＣＩを受信したスロットと端末にスケジューリングされた物理データチャネルが伝送されるスロットは同じである。Ｋ０の値が１であれば、端末がＤＣＩを受信したスロットのインデックスと端末にスケジューリングされた物理データチャネルが伝送されるスロットのインデックスの差はＥである。この際、Ｅは１とは異なる自然数に固定される。また、６ビットのうち５ビットは、物理データチャネルが伝送されるスロットで物理データチャネルがスケジューリングされる最初のＯＦＤＭシンボルと物理データチャネルがスケジューリングされるＯＦＤＭシンボルの個数を示す。この際、物理データチャネルがスケジューリングされるＯＦＤＭシンボルの個数は１、２、４、７、及び１４のうちいずれか一つである。詳しくは、５ビットは物理データチャネルがスケジューリングされる最初のＯＦＤＭシンボルと物理データチャネルがスケジューリングされるＯＦＤＭシンボルの個数に下記表７のようにマッピングされる。
【０２３０】
【表７】
2020533861.tif 000036
【０２３１】
０：｛０、１｝、１：｛２、３｝、２：｛４、５｝、３：｛６、７｝、４：｛８、９｝、５：｛１０、１１｝、６：｛１２、１３｝、７：｛０、１、２、３｝、８：｛２、３、４、５｝、９：｛４、５、６、７｝、１０：｛６、７、８、９｝、１１：｛８、９、１０、１１｝、１２：｛１０、１１、１２、１３｝、１３：｛０、１、２、３、４、５、６｝、１４：｛７、８、９、１０、１１、１２、１３｝、１５：｛０、１、２、３、４、５、６、７、８、９、１０、１１、１２、１３、１４｝、１６：｛０｝、１７：｛１｝、１８：｛２｝、１９：｛３｝、２０：｛４｝、２１：｛５｝、２２：｛６｝、２３：｛７｝、２４：｛８｝、２５：｛９｝、２６：｛１０｝、２７：｛１１｝、２８：｛１２｝、２９：｛１３｝。この際、Ｘ：｛Ｙ｝においてＸはステートの値を示し、ＹはＸステートが指示するＯＦＤＭシンボルを示す。また、ステートの値３０と３１はリザーブされる。ステートの値３０と３１は、それぞれセミ−スタティック（ｓｅｍｉ−ｓｔａｔｉｃ）に設定された全てのＤＬシンボルとセミ−スタティックに設定された全てのアンノウン（ｕｎｋｎｏｗｎ）シンボルを示す。この際、アンノウンシンボルはＵＬシンボルまたはＤＬシンボルと設定されていないシンボルを示す。また、ステートの値３０と３１は、それぞれセミ−スタティックに設定された全てのＤＬシンボルとセミ−スタティックに設定された全てのアンノウンシンボルのうち、スロット最後から指定された個数だけのＯＦＤＭシンボルを除いた全てのＯＦＤＭシンボルを示す。この際、指定された個数は固定された数である。例えば、指定された個数は１であってもよい。また、指定された個数は端末ごとに別途に指定される。詳しくは、指定された個数はＲＲＣ信号によって端末別に設定される。
【０２３２】
他の具体的な実施例において、６ビットのうち１ビットは物理データチャネルが伝送されるスロットのリファレンス位置を示す。この際、１ビットは物理データチャネルが伝送されるスロットのリファレンス位置がスロットの最初のＯＦＤＭシンボルであるのか、またはＣＯＲＥＳＥＴのすぐ次のＯＦＤＭシンボルであるのかを示す。６ビットのうち５ビットは、物理データチャネルがスケジューリングされる物理データチャネルがスケジューリングされるＯＦＤＭシンボルの個数である。６ビットのうち１ビットがスロットの開始時点を示し、６ビットのうち５ビットが指示するＯＦＤＭ開始シンボルのインデックスがＡであれば、物理データチャネルはＡから物理データチャネルが伝送されるＯＦＤＭシンボルの個数に当たるＯＦＤＭシンボルで伝送される。６ビットのうち１ビットＣＯＲＥＳＥＴのすぐ次のＯＦＤＭシンボルを示し、６ビットのうち５ビットが指示するＯＦＤＭ開始シンボルのインデックスがＡであれば、物理データチャネルはＡ＋Ｂから物理データチャネルが伝送されるＯＦＤＭシンボルの個数に当たるＯＦＤＭシンボルで伝送される。この際、ＢはＣＯＲＥＳＥＴのすぐ次のＯＦＤＭシンボルに当たるＯＦＤＭシンボルのインデックスである。
【０２３３】
図２９乃至図３３は、本発明の他の実施例による無線通信システムにおいてＲＲＣ信号の６ビットが示す端末にスケジューリングされた物理データチャネルに当たるＯＦＤＭシンボルを示す図である。
【０２３４】
具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が７である２つのステート、物理データチャネルがスケジューリングされたＯＦＤＭシンボルの個数が２の倍数である２８個のステートを指示する。この際、物理データチャネルがスケジューリングされたＯＦＤＭシンボルの個数が２の倍数であるステートは、１４個のＯＦＤＭシンボルを２つずつ束ねて指示するＲＩＶ方式に従う。具体的な実施例によると、６ビットが示すＯＦＤＭシンボルは図２９のようである。
【０２３５】
他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が７である８つのステート、物理データチャネルがスケジューリングされたＯＦＤＭシンボルの個数が２の倍数である２８個のステートを指示する。この際、物理データチャネルがスケジューリングされたＯＦＤＭシンボルの個数が２の倍数であるステートは、偶数のＯＦＤＭシンボルインデックスから始まることを示す。具体的な実施例によると、６ビットが示すＯＦＤＭシンボルは図３０のようである。
【０２３６】
また他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が２の倍数である４９個のステートを指示する。この際、物理データチャネルがスケジューリングされたＯＦＤＭシンボルの個数が２の倍数であるステート４９個のうち、２８個のステートは偶数のＯＦＤＭシンボルインデックスから２１個ステートは奇数のＯＦＤＭシンボルインデックスから始まることを示す。具体的な実施例によると、６ビットが示すＯＦＤＭシンボルは図３１のようである。
【０２３７】
更に他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が２の倍数である４８個のステートを指示する。この際、物理データチャネルがスケジューリングされたＯＦＤＭシンボルの個数が２の倍数であるステート４８個のうち、２８個のステートは偶数のＯＦＤＭシンボルインデックスから２０個ステートは奇数のＯＦＤＭシンボルインデックスから始まることを示す。具体的な実施例によると、６ビットが示すＯＦＤＭシンボルは図３２のようである。
【０２３８】
他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルが物理データチャネルがスケジューリングされたＯＦＤＭシンボルの個数が７である８個のステート、物理データチャネルがスケジューリングされたＯＦＤＭシンボルの個数が２である１３個のステート、物理データチャネルがスケジューリングされたＯＦＤＭシンボルの個数が４である１１個のステート、物理データチャネルがスケジューリングされたＯＦＤＭシンボルの個数が１４である一つのステート、物理データチャネルがスケジューリングされたＯＦＤＭシンボルの個数が３である４個のステート、物理データチャネルがスケジューリングされたＯＦＤＭシンボルの個数が５である２個のステート、物理データチャネルがスケジューリングされたＯＦＤＭシンボルの個数が６である２個のステート、物理データチャネルがスケジューリングされたＯＦＤＭシンボルの個数が８である一つのステート、物理データチャネルがスケジューリングされたＯＦＤＭシンボルの個数が９である一つのステート、物理データチャネルがスケジューリングされたＯＦＤＭシンボルの個数が１０である一つのステート、物理データチャネルがスケジューリングされたＯＦＤＭシンボルの個数が１１である一つのステート、物理データチャネルがスケジューリングされたＯＦＤＭシンボルの個数が１２である一つのステート、及び物理データチャネルがスケジューリングされたＯＦＤＭシンボルの個数が１３である一つのステートを指示する。この際、物理データチャネルがスケジューリングされたＯＦＤＭシンボルの個数が２であるステートは、いずれも３の倍数に当たるＯＦＤＭシンボルインデックスから始まる。具体的な実施例によると、６ビットが示すＯＦＤＭシンボルは図３３のようである。
【０２３９】
他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が７である８個のステート、物理データチャネルがスケジューリングされたＯＦＤＭシンボルの個数が２である１３個のステート、物理データチャネルがスケジューリングされたＯＦＤＭシンボルの個数が４である１１個のステート、物理データチャネルがスケジューリングされたＯＦＤＭシンボルの個数が１４である一つのステート、物理データチャネルがスケジューリングされたＯＦＤＭシンボルの個数が５である１０個のステート、及び物理データチャネルがスケジューリングされたＯＦＤＭシンボルの個数が８である７個のステートを指示する。この際、物理データチャネルがスケジューリングされたＯＦＤＭシンボルの個数が１であるステートは、可能な全てのＯＦＤＭシンボルインデックスから始まることを示す。
【０２４０】
また他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が７である８個のステート、物理データチャネルがスケジューリングされたＯＦＤＭシンボルの個数が２である１３個のステート、物理データチャネルがスケジューリングされたＯＦＤＭシンボルの個数が４である１１個のステート、物理データチャネルがスケジューリングされたＯＦＤＭシンボルの個数が１４である一つのステート、物理データチャネルがスケジューリングされたＯＦＤＭシンボルの個数が３である１２個のステート、及び物理データチャネルがスケジューリングされたＯＦＤＭシンボルの個数が１０である５個のステートを指示する。この際、物理データチャネルがスケジューリングされたＯＦＤＭシンボルの個数が１であるステートは、可能な全てのＯＦＤＭシンボルインデックスから始まることを示す。
【０２４１】
更に他の具体的な実施例において、端末にスケジューリングされた物理データチャネルを示すために基地局が使用するＲＲＣ信号の６ビットは、物理データチャネルがスケジューリングされたＯＦＤＭシンボルの個数が１である１４個のステート、物理データチャネルがスケジューリングされたＯＦＤＭシンボルの個数が７である８個のステート、物理データチャネルがスケジューリングされたＯＦＤＭシンボルの個数が２である１３個のステート、物理データチャネルがスケジューリングされたＯＦＤＭシンボルの個数が４である１１個のステート、物理データチャネルがスケジューリングされたＯＦＤＭシンボルの個数が１４である一つのステート、物理データチャネルがスケジューリングされたＯＦＤＭシンボルの個数が６である９個のステート、物理データチャネルがスケジューリングされたＯＦＤＭシンボルの個数が９である６個のステート、及び物理データチャネルがスケジューリングされたＯＦＤＭシンボルの個数が１１ある２個のステートを指示する。この際、物理データチャネルがスケジューリングされたＯＦＤＭシンボルの個数が１であるステートは、可能な全てのＯＦＤＭシンボルインデックスから始まることを示す。
【０２４２】
前記でＲＩＶを使用して端末にスケジューリングされた時間−周波数資源を示す方法を説明した。基地局は、ＲＩＶを使用して端末にスケジューリングされた、時間領域で連続した資源を指示する。この際、基地局は端末にスケジューリングされた連続した資源の開始シンボルの位置をリファレンスＯＦＤＭシンボルのインデックスを使用して指示する。ＲＩＶが指示する開始ＯＦＤＭシンボルのインデックスは、端末にスケジューリングされた時間−周波数資源の開始ＯＦＤＭシンボルからリファレンスＯＦＤＭシンボルのインデックスを引いた値である。詳しくは、基地局はＲＲＣ信号を使用してリファレンスＯＦＤＭシンボルのインデックスをシグナリングする。また、基地局は以下の数式によってＲＩＶの値を決定する。
【０２４３】
【数２８】
2020533861.tif 000037
【０２４４】
Ｌｓｙｍｂｏｌｓは、端末にスケジューリングされた時間資源のＯＦＤＭシンボルの個数を示す。また、ＳｓｔａｒｔはリファレンスＯＦＤＭシンボルのインデックスを基準に獲得した端末にスケジューリングされた時間資源の開始ＯＦＤＭシンボルのインデックスである。よって、端末にスケジューリングされた時間資源のＯＦＤＭシンボルインデックスは以下の数式によって獲得される。
【０２４５】
Ｓｓｔａｒｔ＝Ｓｓｔａｒｔ’＋Ｒ
【０２４６】
この際、ＲはリファレンスＯＦＤＭシンボルのインデックスである。このようにリファレンスＯＦＤＭシンボルを使用すれば、端末がデータチャネルを受信するために用意すべきメモリの大きさを減らすことができる。また、このような実施例はＲＩＶを伝送するのに使用されるフィールドのビット数を減らすことができる。
【０２４７】
前記で基地局がＲＲＣ信号を使用してリファレンスＯＦＤＭシンボルのインデックスを設定するとした。他の具体的な実施例において、端末はリファレンスＯＦＤＭシンボルのインデックスをスロットの最初のＯＦＤＭシンボルと仮定する。また他の具体的な実施例において、端末は、端末の物理データチャネルの受信をスケジューリングするＤＣＩが伝送されたＣＯＲＥＳＥＴに基づいてリファレンスＯＦＤＭシンボルのインデックスを判断する。例えば、端末は、端末の物理データチャネルの受信をスケジューリングするＤＣＩが伝送されたＣＯＲＥＳＥＴの最初のＯＦＤＭシンボルインデックスをリファレンスＯＦＤＭシンボルのインデックスと判断する。更に他の具体的な実施例において、端末は、端末に時間資源をスケジューリングするＤＣＩが伝送されたＣＯＲＥＳＥＴの最後のＯＦＤＭシンボルのすぐ次のＯＦＤＭシンボルのインデックスをリファレンスＯＦＤＭシンボルのインデックスと判断する。端末に端末の物理データチャネルの受信をスケジューリングするＤＣＩが伝送されたＣＯＲＥＳＥＴの最初のＯＦＤＭシンボルのインデックスがＫで、ＣＯＲＥＳＥＴが占める時間資源に当たるＯＦＤＭシンボルの個数がＡであるとすれば、リファレンスＯＦＤＭシンボルのインデックスはＫ＋Ａである。ＲＲＣ信号を介し、リファレンスＯＦＤＭシンボルのインデックスがシグナリングされる際よりＲＲＣ信号の伝送に必要なビット数を減らすことができる。
【０２４８】
更に他の具体的な実施例において、端末は、端末の物理データチャネルの受信をスケジューリングするＤＣＩが伝送されたＣＯＲＥＳＥＴと上述したＫ０値によってリファレンスＯＦＤＭシンボルのインデックスを判断する。Ｋ０はＰＤＳＣＨがスケジューリングされるスロットを示す。Ｋ０＝０であれば、端末に端末の物理データチャネルの受信をスケジューリングするＤＣＩと該当物理データチャネルが同じスロットで伝送されることを示す。また、Ｋ０＝１であれば、端末に端末の物理データチャネルの受信をスケジューリングするＤＣＩが伝送されるスロットのすぐ次のスロットに該当物理データチャネルが伝送されることを示す。具体的な実施例において、Ｋ０が０より大きければ、端末はリファレンスＯＦＤＭシンボルのインデックスを０と判断する。また、Ｋ０が０と同じであれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルと判断する。他の具体的な実施例において、Ｋ０が０と同じであれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスにＣＯＲＥＳＥＴが占める時間資源に当たるＯＦＤＭシンボルの個数を足した値と判断する。このような実施例において、端末はクロス−スケジューリングが行われる際と行われない際に異なる動作を行って、ＲＩＶ伝送に必要なビットの数を減らすことができる。また、ＲＲＣ信号を介し、リファレンスＯＦＤＭシンボルのインデックスがシグナリングされる際よりＲＲＣ信号の伝送に必要なビット数を減らすことができる。
【０２４９】
更に他の具体的な実施例において、端末は、端末が受信する物理データチャネルのマッピングタイプに基づいてリファレンスＯＦＤＭシンボルのインデックスを判断する。この際、物理データチャネルのマッピングタイプは、ＤＭＲＳの位置が物理データチャネルの位置とは関係なく決定されるのかを示す。また、端末が受信する物理チャネルはＰＤＳＣＨである。詳しくは、物理データチャネルのマッピングタイプはタイプＡとタイプＢに区分される。タイプＡは、ＤＭＲＳの位置がスロット内でＯＦＤＭシンボルのインデックス２または３に固定されることを示す。この際、ＤＭＲＳの位置はＰＢＣＨによって指示される。また、タイプＢは最初のＤＭＲＳが物理データチャネルの最初のＯＦＤＭシンボルに位置することを示す。物理データチャネルのマッピングタイプがタイプＡであれば、端末はリファレンスＯＦＤＭシンボルのインデックスを０と判断する。また、物理データチャネルのマッピングタイプがタイプＢであれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスと判断する。更に具体的な実施例において、物理データチャネルのマッピングタイプがタイプＢであれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスに該当ＣＯＲＥＳＥＴが占める時間資源に当たるＯＦＤＭシンボルの個数を足した値と判断する。
【０２５０】
更に他の具体的な実施例において、端末は、端末の物理データチャネルの受信をスケジューリングするＤＣＩの位置に基づいてリファレンスＯＦＤＭシンボルのインデックスを判断する。詳しくは、端末の物理データチャネルの受信をスケジューリングするＤＣＩが予め指定されたＯＦＤＭシンボルの以前に位置すれば、端末はリファレンスＯＦＤＭシンボルのインデックスを０と判断する。また、端末の物理データチャネルの受信をスケジューリングするＤＣＩが予め指定されたＯＦＤＭシンボルの以前に位置すれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスと判断する。更に他の具体的な実施例において、端末の物理データチャネルの受信をスケジューリングするＤＣＩが予め指定されたＯＦＤＭシンボルの以前に位置すれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスに該当ＣＯＲＥＳＥＴが占める時間資源に当たるＯＦＤＭシンボルの個数を足した値と判断する。予め指定されたＯＦＤＭシンボルの位置は、ＰＢＣＨによって設定された端末が受信する物理データチャネルのマッピングタイプがタイプＡである場合のＤＭＲＳの位置と同じである。詳しくは、物理データチャネルのマッピングタイプがタイプＡで、ＰＢＣＨがＤＭＲＳの位置として２番目のＯＦＤＭシンボルを指示すれば、予め指定されたＯＦＤＭシンボルの位置は２番目ＯＦＤＭシンボルである。また、物理データチャネルのマッピングタイプがタイプＡで、ＰＢＣＨがＤＭＲＳの位置として３番目のＯＦＤＭシンボルを指示すれば、予め指定されたＯＦＤＭシンボルの位置は３番目ＯＦＤＭシンボルである。
【０２５１】
更に他の具体的な実施例において、端末は、端末の物理データチャネルの受信をスケジューリングするＤＣＩが伝送されたＣＯＲＥＳＥＴと上述したＫ０値、及び端末の物理データチャネルの受信をスケジューリングするＤＣＩが予め指定されたＯＦＤＭシンボルの以前に位置するのかに基づいてリファレンスＯＦＤＭシンボルのインデックスを判断する。Ｋ０はＰＤＳＣＨがスケジューリングされるスロットを示す。具体的な実施例において、Ｋ０が０より大きいか、端末の物理データチャネルの受信をスケジューリングするＤＣＩが予め指定されたＯＦＤＭシンボルの以前に位置すれば、端末はリファレンスＯＦＤＭシンボルのインデックスを０と判断する。また、Ｋ０が０と同じで、端末の物理データチャネルの受信をスケジューリングするＤＣＩが予め指定されたＯＦＤＭシンボルの以前に位置しなければ、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルと判断する。更に他の具体的な実施例において、Ｋ０が０と同じで、端末の物理データチャネルの受信をスケジューリングするＤＣＩが予め指定されたＯＦＤＭシンボルの以前に位置しなければ、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスにＣＯＲＥＳＥＴが占める時間資源に当たるＯＦＤＭシンボルの個数を足した値と判断する。このような実施例において、端末はクロス−スケジューリングが行われる際と行われない際に異なる動作を行って、ＲＩＶ伝送に必要なビットの数を減らすことができる。また、ＲＲＣ信号を介し、リファレンスＯＦＤＭシンボルのインデックスがシグナリングされる際よりＲＲＣ信号の伝送に必要なビット数を減らすことができる。
【０２５２】
更に他の具体的な実施例において、端末は、端末がモニタリングするＣＯＲＥＳＥＴに基づいてリファレンスＯＦＤＭシンボルのインデックスを判断する。詳しくは、一つのスロットに端末がモニタリングするＣＯＲＥＳＥＴが複数で設定されれば、端末はリファレンスＯＦＤＭシンボルのインデックスを複数のＣＯＲＥＳＥＴが占めるＯＦＤＭシンボルのうち最も先のＯＦＤＭシンボルと判断する。端末が基地局が複数のＣＯＲＥＳＥＴのうちどのＣＯＲＥＳＥＴを介して物理制御チャネルを伝送するのかを判断することが難しいためである。このような実施例を介し、端末は複数のＣＯＲＥＳＥＴのうちどのＣＯＲＥＳＥＴで物理制御チャネルが伝送されても物理データチャネルを受信することができる。
【０２５３】
更に他の具体的な実施例において、端末の物理データチャネルの受信をスケジューリングＤＣＩが伝送されるＣＯＲＥＳＥＴが該当物理データチャネルが伝送されるスロットとは異なるスロットに位置すれば、端末はリファレンスＯＦＤＭシンボルのインデックスを０と判断する。また、端末の物理データチャネルの受信をスケジューリングするＤＣＩが伝送されるＣＯＲＥＳＥＴが該当物理データチャネルが伝送されるスロットと同じスロットに位置すれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルと判断する。更に他の具体的な実施例において、端末の物理データチャネルの受信をスケジューリングするＤＣＩが伝送されるＣＯＲＥＳＥＴが該当物理データチャネルが伝送されるスロットと同じスロットに位置すれば、端末はリファレンスＯＦＤＭシンボルのインデックスを端末の物理データチャネルの受信をスケジューリングするＤＣＩが伝送されたＣＯＲＥＳＥＴの最初のＯＦＤＭシンボルのインデックスにＣＯＲＥＳＥＴが占める時間資源に当たるＯＦＤＭシンボルの個数を足した値と判断する。
【０２５４】
また、ＤＣＩが端末の物理データチャネルの受信をスケジューリングする際、端末は、端末の物理データチャネルの受信がスケジューリングされる時間−周波数資源の最初のＯＦＤＭシンボルと最後のＯＦＤＭシンボルが互いに異なるスロットに位置することを期待しない。詳しくは、端末は、端末の物理データチャネルの受信がスケジューリングされる時間−周波数資源の最後のＯＦＤＭシンボルを、端末の物理データチャネルの受信がスケジューリングされる時間−周波数資源の開始ＯＦＤＭシンボルが位置するスロットの最後のＯＦＤＭシンボルまたは最後のＯＦＤＭシンボルの以前のシンボルと判断する。例えば、スロットが含むＯＦＤＭシンボルの個数が１４で、ＤＣＩが端末の物理データチャネルの受信がスケジューリングされる時間−周波数資源の最後のＯＦＤＭシンボルを７番目のＯＦＤＭシンボルと指示する。この際、ＤＣＩが指示する端末の物理データチャネルの受信がスケジューリングされる時間−周波数資源が占めるＯＦＤＭシンボルの個数が７であれば、端末は、端末の物理データチャネルの受信がスケジューリングされるＯＦＤＭシンボルを７番目のＯＦＤＭシンボルから１４番目のＯＦＤＭシンボルまでと判断する。上述した実施例において、端末が受信する物理データチャネルはＰＤＳＣＨである。
【０２５５】
上述した基地局が端末にスケジューリングされた連続した資源の開始シンボルの位置リファレンスＯＦＤＭシンボルのインデックスを使用して指示する実施例は、基地局が端末の物理チャネル伝送をスケジューリングする場合にも適用される。詳しくは、端末は、リファレンスＯＦＤＭシンボルのインデックスをスロットの最初のＯＦＤＭシンボルと判断する。端末の物理チャネル伝送に関して言及するＯＦＤＭシンボルはＤＦＴ−Ｓ−ＯＦＤＭシンボルである。
【０２５６】
更に他の具体的な実施例において、端末は、端末が伝送する物理データチャネルのマッピングタイプに基づいてリファレンスＯＦＤＭシンボルのインデックスを判断する。この際、端末が伝送する物理データチャネルのマッピングタイプは、ＤＭＲＳの位置が物理データチャネルの位置と関係なく決定されるのかを示す。また、端末が伝送する物理チャネルはＰＵＳＣＨである。また、端末が伝送する物理データチャネルのマッピングタイプは、ＲＲＣ信号で伝送されるＵＬ−ＤＭＲＳ−ｃｏｎｆｉｇ−ｔｙｐｅを介して設定される。詳しくは、物理データチャネルのマッピングタイプはタイプＡとタイプＢに区分される。タイプＡは、最初のＤＭＲＳの位置がスロット内で固定されることを示す。また、タイプＢは最初のＤＭＲＳが物理データチャネルの最初のＯＦＤＭシンボルに位置することを示す。物理データチャネルのマッピングタイプがタイプＡであれば、端末はリファレンスＯＦＤＭシンボルのインデックスを物理データチャネルに当たる最初のＯＦＤＭシンボルのインデックスと判断する。物理データチャネルのマッピングタイプがタイプＢであれば、端末はリファレンスＯＦＤＭシンボルのインデックスを０と判断する。
【０２５７】
更に他の具体的な実施例において、端末は、端末が伝送する物理データチャネルのマッピングタイプとＵＬ伝送のウェーブフォームに基づいてリファレンスＯＦＤＭシンボルのインデックスを判断する。端末は、ＣＰ−ＯＦＤＭ及びＤＦＴ−Ｓ−ＯＦＤＭのうちいずれか一つを使用してＵＬ伝送を行う。基地局はＲＲＣ信号を使用して、端末がＣＰ−ＯＦＤＭ及びＤＦＴ−Ｓ−ＯＦＤＭのうちいずれか一つを使用するのかを決定する。物理データチャネルのマッピングタイプがタイプＢであれば、端末はリファレンスＯＦＤＭシンボルのインデックスを０と判断する。物理データチャネルのマッピングタイプがタイプＡで、端末がＤＦＴ−Ｓ−ＯＦＤＭウェーブフォームを使用するように設定されれば、端末はリファレンスＯＦＤＭシンボルのインデックスを最初のＤＭＲＳが位置するＯＦＤＭシンボルの次のＯＦＤＭシンボルのインデックスと判断する。ＵＬ  ＤＭＲＳで使用されるＤＦＴ−Ｓ−ＯＦＤＭシンボルは物理データチャネルＵＬ伝送に使用できない可能性があるためである。また、物理データチャネルのマッピングタイプがタイプＡで、端末がＣＰ−ＯＦＤＭウェーブフォームを使用するように設定されれば、端末はリファレンスＯＦＤＭシンボルのインデックスを最初のＤＭＲＳが位置するＯＦＤＭシンボルのインデックスと判断する。
【０２５８】
更に他の具体的な実施例において、端末はセミ−スタティックに設定されたシンボル構成に基づいてリファレンスＯＦＤＭシンボルのインデックスを判断する。詳しくは、端末は、リファレンスＯＦＤＭシンボルのインデックスを端末の物理データチャネルがスケジューリングされたスロットでＤＬシンボルのすぐ次のアンノウンシンボルのインデックスと判断する。更に他の具体的な実施例において、端末は、リファレンスＯＦＤＭシンボルのインデックスを端末の物理データチャネルがスケジューリングされたスロットでＤＬシンボルのすぐ次のアンノウンシンボルのインデックスにギャップシンボルの数だけ足した値と判断する。ギャップシンボルの数は、ＴＡ（ｔｉｍｉｎｇ  ａｄｖａｎｃｅ）値とＯＦＤＭシンボルの長さに基づいて決定される。更に他の具体的な実施例において、ギャップシンボルの数は基地局によって設定される。また、アンノウンシンボルにＤＬデータチャネルがスケジューリングされれば、端末はアンノウンシンボルをＤＬシンボルとみなす。また、アンノウンシンボルにＵＬデータチャネルがスケジューリングされれば、端末はアンノウンシンボルをＵＬシンボルとみなす。
【０２５９】
また、ＤＣＩが端末の物理データチャネルの伝送をスケジューリングする際、端末は、端末の物理データチャネルの伝送がスケジューリングされる時間−周波数資源の最初のＯＦＤＭシンボルと最後のＯＦＤＭシンボルが互いに異なるスロットに位置することを期待しない。詳しくは、端末は、端末の物理データチャネルの伝送がスケジューリングされる時間−周波数資源の最後のＯＦＤＭシンボルを、端末の物理データチャネルの伝送がスケジューリングされる時間−周波数資源の開始ＯＦＤＭシンボルが位置するスロットの最後のＯＦＤＭシンボルまたは最後のＯＦＤＭシンボルの以前のシンボルと判断する。例えば、スロットが含むＯＦＤＭシンボルの個数が１４で、ＤＣＩが端末の物理データチャネルの伝送がスケジューリングされる時間−周波数資源の最後のＯＦＤＭシンボルを７番目のＯＦＤＭシンボルと指示する。この際、ＤＣＩが指示する端末の物理データチャネルの伝送がスケジューリングされる時間−周波数資源が占めるＯＦＤＭシンボルの個数が７であれば、端末は、端末の物理データチャネルの伝送がスケジューリングされるＯＦＤＭシンボルを７番目のＯＦＤＭシンボルから１４番目のＯＦＤＭシンボルまでと判断する。上述した実施例において、端末が伝送する物理データチャネルはＰＵＳＣＨである。
【０２６０】
上述した実施例において、物理データチャネルはＰＤＳＣＨまたはＰＵＳＣＨを含む。また、物理制御チャネルはＰＤＣＣＨまたはＰＵＣＣＨを含む。また、ＰＵＳＣＨ、ＰＤＣＣＨ、ＰＵＣＣＨ、及びＰＤＣＣＨを例に挙げて説明した実施例において、他の種類のデータチャネル及び制御チャネルが適用されてもよい。
【０２６１】
本発明の方法及びシステムを特定実施例に関して説明したが、それらの構成要素または動作の一部または全部は、汎用ハードウェアアーキテクチャを有するコンピューティングシステムを使用して具現される。
【０２６２】
上述した本発明の説明は例示のためのものであって、本発明が属する技術分野における通常の知識を有する者は、本発明の技術的思想や必須的特徴を変更せずも他の具体的な形態に容易に変更可能であることを理解できるはずである。よって、上述した実施例は全ての面で例示的なものであり、限定的なものであると理解すべきである。例えば、単一型として説明されている各構成要素は分散されて実施されてもよく、同じく分散されていると説明されている構成要素も結合された形態で実施されてもよい。
【０２６３】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【符号の説明】
【０２６４】
110  プロセッサ
121  セルラー通信インターフェースカード（第１周波数バンド）
122  セルラー通信インターフェースカード（第２周波数バンド）
123  無線ＬＡＮインターフェースカード（第２周波数バンド）
130  メモリ
140  ユーザインタフェース
150  ディスプレイユニット
210  プロセッサ
221  セルラー通信インターフェースカード（第１周波数バンド）
222  セルラー通信インターフェースカード（第２周波数バンド）
223  無線ＬＡＮインターフェースカード（第２周波数バンド）
230  メモリ
【図１】
2020533861.tif 000038
【図２】
2020533861.tif 000039
【図３】
2020533861.tif 000040
【図４（ａ）】
2020533861.tif 000041
【図４（ｂ）】
2020533861.tif 000042
【図５】
2020533861.tif 000043
【図６】
2020533861.tif 000044
【図７】
2020533861.tif 000045
【図８】
2020533861.tif 000046
【図９】
2020533861.tif 000047
【図１０】
2020533861.tif 000048
【図１１】
2020533861.tif 000049
【図１２（ａ）】
2020533861.tif 000050
【図１２（ｂ）】
2020533861.tif 000051
【図１３】
2020533861.tif 000052
【図１４（ａ）】
2020533861.tif 000053
【図１４（ｂ）】
2020533861.tif 000054
【図１５】
2020533861.tif 000055
【図１６】
2020533861.tif 000056
【図１７】
2020533861.tif 000057
【図１８】
2020533861.tif 000058
【図１９】
2020533861.tif 000059
【図２０（ａ）】
2020533861.tif 000060
【図２０（ｂ）】
2020533861.tif 000061
【図２０（ｃ）】
2020533861.tif 000062
【図２０（ｄ）】
2020533861.tif 000063
【図２０（ｅ）】
2020533861.tif 000064
【図２１】
2020533861.tif 000065
【図２２（ａ）】
2020533861.tif 000066
【図２２（ｂ）】
2020533861.tif 000067
【図２３（ａ）】
2020533861.tif 000068
【図２３（ｂ）】
2020533861.tif 000069
【図２３（ｃ）】
2020533861.tif 000070
【図２４（ａ）】
2020533861.tif 000071
【図２４（ｂ）】
2020533861.tif 000072
【図２５】
2020533861.tif 000073
【図２６】
2020533861.tif 000074
【図２７】
2020533861.tif 000075
【図２８】
2020533861.tif 000076
【図２９】
2020533861.tif 000077
【図３０】
2020533861.tif 000078
【図３１】
2020533861.tif 000079
【図３２】
2020533861.tif 000080
【図３３】
2020533861.tif 000081
【国際調査報告】
2020533861.tif 000082
2020533861.tif 000083
2020533861.tif 000084
2020533861.tif 000085